(57)【要約】      （修正有）【課題】飲用容器や食物容器の敷き具において、安定性や防滑性や防滴性や防汚性を保持しつつ、魅力的にかつ利用者が興味を持てる敷き具を提供する。【解決手段】国名Ｎ１の国旗をモチーフにした意匠を形成した敷き具Ｃ１であり、敷き具表面部Ｃ１（ａ）の任意部位に国名の文字が凹状になるように設けられ、敷き具裏面部Ｃ１（ｃ）は基台部Ｋ１となり、側面部Ｃ１（ｂ）が２層構造だとすると基台部Ｋ１は下部構造となり、色彩部Ｈ１の部位は上部構造となる。また、基台部Ｋ１にはシルク印刷手段を介して灰色系色彩のドットで構成した世界地図ＭＧを印刷する。【選択図】図１
0003191936.tif 000002
【実用新案登録請求の範囲】
【請求項１】
飲用容器や食物容器の敷き具であり、円盤状で薄板状に形成された敷き具において、前記敷き具の表面部の少なくとも一部には、世界の国旗の中から選択した少なくとも一つの国旗をモチーフにした意匠を形成し、該国旗に該当する国名を形成させることを特徴とする国旗をモチーフにした敷き具。
【請求項２】
前記敷き具が２層または３層で形成され、前記２層敷き具または前記３層敷き具の第１層部には、世界の国旗の中から選択した少なくとも一つの国旗をモチーフにした意匠を形成し、また該国旗に該当する国名を形成させることを特徴とする、請求項１に記載の国旗をモチーフにした敷き具。
【請求項３】
前記敷き具の裏面部の少なくとも一部に、または前記２層敷き具の第２層部の裏面部の少なくとも一部に、または前記３層敷き具の第３層部の裏面部の少なくとも一部には、世界地図を表示することを特徴とする、請求項１または請求項２に記載の国旗をモチーフにした敷き具。
【請求項４】
前記国旗モチーフ意匠を構成する図形や文字や記号やシンボルの輪郭が切り込みによって形成されることを特徴とする、請求項１または請求項２に記載の国旗をモチーフにした敷き具。
【請求項５】
前記国旗モチーフ意匠を構成する図形や文字や記号やシンボルを構成する色彩の一つを用いて前記敷き具裏面部の主たる色彩を形成するようにした請求項１に記載の国旗をモチーフにした敷き具。
【請求項６】
前記国旗モチーフ意匠を構成する図形や文字や記号やシンボルを構成する色彩の一つを用いて、前記２層敷き具第２層部、前記３層敷き具第２層部、前記３層敷き具第３層部、の色彩を形成するようにしたことを特徴とする、請求項１から請求項３のいずれかに記載の国旗をモチーフにした敷き具。
【考案の詳細な説明】
【技術分野】
【０００１】  本考案は、飲用容器や食物容器の敷き具（コースター）に関するものである。
【背景技術】
【０００２】  従来から、飲料を摂取するための飲用容器や、食物を摂取するための食物容器を、快適に及び好適に利用するための道具として、一般的にはコースターとして知られていて、例えば、コースターが使用される一般的な目的は、飲用容器や食物容器を載置する載置台や載置場に載置する場合の安定性を向上させるために設けられたり、飲料や食物等の内容物の温度が飲食物容器の外部の温度より低い場合に飲食物容器の表面に生ずる結露等の水分（以下、単に「結露」という。）や、飲食物容器の飲料や食物等の内容物が外部にこぼれた場合には、載置台や載置場に付着しないようにするために用いられている。【０００３】  ところが、一般的に利用されているコースターは、上述したように、飲用容器や食物容器を載置台や載置場に載置する場合の安定性や防滑性が優先され、また飲用容器や食物容器を載置台や載置場に載置した場合に生じやすいとされる飲料や食物等からの防滴性や防汚性が優先されることで、意匠性や面白味にかけるものが多いという指摘がなされている。そこで、近年になると、意匠性や装飾性や意外性のあるコースターの開発案件が増えてきた。【０００４】  例えば、表裏板をコルクで成形し、且つその表裏板間に引っ張られても延伸しない材料からなる芯板を介在したサンドイッチ構造とし、表板のコルク表面にオフセット印刷を施し、更にジグソーパズルを構成していることを特徴とする、コースターの開発案件が知られている。（特許文献１を参照する）
また例えば、押し花とその押し花の花言葉を備えた押し花体の基台をコースターとし、基台の上面に、押し花とその押し花の花言葉を備え、基台の下面に粘着層、該粘着層の下面に剥離層を設け、県花の花の押し花及びその県花の県名を表示し、または国花の花の押し花及びその国花の国名を表示したことを特徴とするコースターの開発案件が知られている。（特許文献２を参照する）
また例えば、家紋や紋章、星座マーク、星座イラスト、星占いのラッキーカラー、などを刺繍や染料により表示した、家紋やマークなどを刺繍や染色表示したコースターの開発案件が知られている。（特許文献３を参照する）
また例えば、文字や図柄模様などの装飾図形の輪郭に沿って切断して作った装飾シート片１を木製台板などの台板２上に接着固定してなるコースタの開発案件が知られている。（特許文献４を参照する）
また例えば、コースター本体の表面に文字、記号、図形等の表示部が形成されていて、該表示部の一部または全部が切り抜き部によって形成されていることを特徴とするコースターの開発案件が知られている。（特許文献５を参照する）
【先行技術文献】
【特許文献】
【０００５】
【特許文献１】特許第２９５４０４６号公報
【特許文献２】特開２００３−２０００号公報
【特許文献３】実用新案登録第３１３２６７６号公報
【特許文献４】実開平０３−０８９６７４号公報
【特許文献５】実開平０１−０６６１７４号公報
【考案の開示】
【考案が解決しようとする課題】
【０００６】  ところが、特許文献１のコースターの開発案件では、単にコースターをジグソーパズルで構成しようという案件であり、この場合ジグソーパズルの意匠や図柄に特徴がないと、利用者に支持されにくい、という指摘を受けている。
また例えば、特許文献２のコースターの開発案件では、県花の花の押し花及びその県花の県名を表示し、または国花の花の押し花及びその国花の国名を表示したことを特徴とするが、アイディアに関しては秀逸であると認められるが、本来のコースターに要求されている、上述したように安定性や防滑性や防滴性や防汚性への対応が不足しているという指摘を受けている。
また例えば、特許文献３の家紋やマークなどを刺繍や染色表示したコースターの開発案件では、家紋や紋章、星座マーク、星座イラスト、星占いのラッキーカラー、などを刺繍や染料により表示した、アイディアに関しては秀逸であると認められるが、本来のコースターに要求されている、上述したように安定性や防滑性や防滴性や防汚性への対応が不足しているという指摘を受けている。
また例えば、特許文献４のコースタの開発案件では、木製台板などの台板２上に接着固定してなる文字や図柄模様などの装飾図形の輪郭に沿って切断して作った装飾シート片１には防滑性が求められていないという指摘を受けている。
また例えば、特許文献５のコースターの開発案件では、コースター本体の表面に文字、記号、図形等の表示部が形成されていて、該表示部の一部または全部が切り抜き部によって形成されていることを特徴とするが、この一部または全部が切り抜き部によって形成された該表示部には防滑性が求められていないという指摘を受けている。【０００７】  本考案は、上記の課題を解決するために成されたものであり、飲用容器や食物容器を載置台や載置場に載置する場合の道具としての敷き具において、安定性や防滑性や防滴性や防汚性を保持しつつ、飲料を摂取する作業をより快適に及び好適に利用できるように、及び食物を摂取する作業をより快適に及び好適に利用できるようにする、敷き具の提供を目的とする。
また本考案は、一般的に知られている図柄をモチーフにして、それをより魅力的にかつ利用者により興味を持ってもらえるようにしつつ安定性や防滑性や防滴性や防汚性に優れた、飲用容器や食物容器の敷き具の提供を目的とする。
「押圧」をチェックする、「押圧」をチェックする、「押圧」をチェックする
【課題を解決するための手段】
【０００８】  課題を解決するための第一の手段（含む請求項１）は、飲用容器や食物容器の敷き具であり、円盤状で薄板状に形成された敷き具において、前記敷き具の表面部の少なくとも一部には、世界の国旗の中から選択した少なくとも一つの国旗をモチーフにした意匠を形成し、該国旗に該当する国名を形成させることを特徴とする国旗をモチーフにした敷き具を提供することである。【０００９】  課題を解決するための第一の手段で示した飲用容器に関しては、人間が摂取することができる液体であれば何を用いても構わないが、一般的には、飲料水、清涼飲料水、清涼飲料、ソフトドリンク、アルコール飲料、などの飲料を、一定期間収納する容器であれば、カップ、グラス、コップ、ジョッキ、など、何を用いても構わない。
課題を解決するための第一の手段で示した食物容器に関しては、一般的には食事に用いる容器や器として知られ、和食器と洋食器で構成され、和食器には、皿、椀、鉢、丼、茶器または茶道具、酒器、洋食器には、皿、ボウル、コップ、カップ、グラス、ティーセット、などが知られている。【００１０】  課題を解決するための第一の手段で示した敷き具に関しては、従来から、飲料を摂取するための飲用容器や、食物を摂取するための食物容器を、快適に及び好適に利用するための道具として、一般的にはコースターという名称で知られているが、例えば、敷き皿、敷き具、載せ具、載置台、敷き板、載置板、下敷き具、下敷き、なども用いられている。
課題を解決するための第一の手段で示した円盤状で薄板状に形成された敷き具に関しては、まず円盤状に関しては、概略円盤状に見える形状であれば、六角形以上の多角形や楕円形状でも構わないものとする。また、薄板状に関しては、概略０．１ｍｍ程度から概略１０ｍｍ程度までの厚さなら任意に選択できるものとする。また前記敷き具の素材に関しては、使い捨てタイプであれば、紙製でもプラスチック製でも構わないし、再使用タイプであれば、木製でもプラスチック製でも合成ゴム製でも布製でも構わないものとする。また、前記敷き具が雑菌に汚染されやすい性質があるため、雑菌対策のためにすなわち殺菌処理のために前記敷き具を高温殺菌処理する場合には、耐熱温度が８０℃〜２５０℃程度であることが好ましい。また前記敷き具の成型手段に関しては特に制限は設けないものであり、一般的に用いられている成型手段であれば何を用いても構わない。【００１１】  課題を解決するための第一の手段で示した世界の国旗の中から選択した少なくとも一つの国旗をモチーフにした意匠を形成することに関しては、例えば国旗とは、国家を表徴する標識としての旗であり、「形」「色彩」「シンボル」により国民の理想や歴史を表現したものであることが知られているが、本考案で示した敷き具の「形」が本明細書で示された円盤状であることが前提条件になっているため、その条件での国旗をモチーフにした意匠やシンボルが、果して該当する国の国旗といえるかどうかの指摘を受けているが、本考案ではあくまでもその国家を表徴する「色彩」による構造と組み合わせによる意匠やシンボルが、国旗に見えるかもしれないという人体の視覚効果や錯覚効果を利用するものである。
また前記敷き具の表面部の少なくとも一部に前記国旗をモチーフにした意匠を形成する手段に関しては印刷手段の使用が好ましく、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。【００１２】  課題を解決するための第一の手段で示した該国旗に該当する国名を形成させることに関しては、該国名を構成する文字や記号やシンボルを凹状に形成させる手段や溝状に形成させる手段を用いることが好ましい。なぜなら前記敷き具の表面部の少なくとも一部に前記凹状形成手段による凹状形成部や前記溝状形成手段による溝状形成部を形成させることは、前記敷き具の表面部に本明細書で示した飲用容器や食物容器を載置した場合に、前記凹状形成部や前記溝状形成部が吸盤作用によって滑りにくさが生じることを利用するためである。また、前記凹状形成手段に関しては、該国名を構成する文字や記号やシンボルを凹状に形成させる技術的手段や加工手段に関しては一般的に知られている手段であれば何を用いても構わない。また、前記溝状形成手段に関しては、該国名を構成する文字や記号やシンボルを溝状に形成させる技術的手段や加工手段に関しては一般的に知られている手段であれば何を用いても構わない。【００１３】  課題を解決するための第二の手段（含む請求項２）は、前記敷き具が２層または３層で形成され、前記２層敷き具または前記３層敷き具の第１層部には、世界の国旗の中から選択した少なくとも一つの国旗をモチーフにした意匠を形成し、また該国旗に該当する国名を形成させることを特徴とする、課題を解決するための第一の手段（含む請求項１）に記載の国旗をモチーフにした敷き具を提供することである。【００１４】  課題を解決するための第二の手段で示した前記敷き具が２層に形成されること関しては、例えば、前記敷き具の素材がプラスチック製（可撓性を備えたタイプや柔軟性を備えたタイプが好ましい）や合成ゴム製を選択した場合に、前記２層敷き具は第１層部と第２層部で形成され、前記２層敷き具第２層部には、概略０．１ｍｍ程度から概略１．０ｍｍ程度のフィルムの使用も可能であり、この場合の前記２層敷き具第２層部の表面部または裏面部には粘着層または接着層を設けて前記２層敷き具第１層部と貼着してもよい。また、前記２層敷き具第２層部が該フィルムの場合は、透明タイプでも着色タイプでも使用可能である。また、前記２層敷き具第１層部と前記２層敷き具第２層部は貼着手段と着色手段から選択可能である。前記貼着手段に関しては、プラスチック製（可撓性を備えたタイプや柔軟性を備えたタイプが好ましい）や合成ゴム製のシート体を熱的に張り合わせる手段や粘着剤や接着剤を用いてもよいし、前記着色手段に関しては、前記２層敷き具第１層部と前記２層敷き具第２層部の色彩を変化させることであたかも２層に分かれて見える現象を利用することも可能である。また、前記２層敷き具第２層部には、印刷手段の使用も可能であり、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。
また前記敷き具が２層に形成されること関しては、例えば、前記敷き具の素材に熱硬化性プラスチック製を用いて前記２層敷き具を形成する場合には、前記２層敷き具第１層部は、所定の国旗をモチーフにした意匠をもとに設計された金型に所定の色素を混錬した熱硬化性プラスチックを注入し熱硬化させ、次に前記２層敷き具第２層部は、該国旗を形成する色彩の中から任意に選択した色素を混錬した熱硬化性プラスチックを注入し熱硬化させる。また、前記熱硬化性プラスチックに関しては、一般的に知られているタイプの中から、任意に選択して利用することができるものとする。【００１５】  課題を解決するための第二の手段で示した前記敷き具が３層に形成されることに関しては、例えば、前記敷き具の素材がプラスチック製（可撓性を備えたタイプや柔軟性を備えたタイプが好ましい）や合成ゴム製を選択した場合に、前記３層敷き具は第１層部と第２層部と第３層部で形成され、前記３層敷き具第３層部には、概略０．１ｍｍ程度から概略１．０ｍｍ程度のフィルムの使用も可能であり、この場合の前記３層敷き具第３層部の表面部または裏面部には粘着層または接着層を設けて前記３層敷き具第２層部と貼着してもよい。また、前記３層敷き具第３層部が該フィルムの場合は、透明タイプでも着色タイプでも使用可能である。また、前記３層敷き具第１層部と前記３層敷き具第２層部と前記３層敷き具第３層部は貼着手段と着色手段から選択可能である。前記貼着手段に関しては、プラスチック製（可撓性を備えたタイプや柔軟性を備えたタイプが好ましい）や合成ゴム製のシート体を熱的に張り合わせる手段や粘着剤や接着剤を用いてもよいし、前記着色手段に関しては、前記３層敷き具第１層部と前記３層敷き具第２層部と前記３層敷き具第３層部の色彩を変化させることであたかも３層に分かれて見える現象を利用することも可能である。
また前記３層敷き具が、３層敷き具第１層部と３層敷き具第２層部と３層敷き具第３層部で形成される場合には、例えば、３層敷き具第１層部と３層敷き具第２層部の素材に熱硬化性プラスチック製を用い形成し、前記３層敷き具第１層部は、所定の国旗をモチーフにした意匠をもとに設計された金型に所定の色素を混錬した熱硬化性プラスチックを注入し熱硬化させ、次に前記３層敷き具第２層部は、該国旗を形成する色彩の中から任意に選択した色素を混錬した熱硬化性プラスチックを注入し熱硬化させる。また、前記熱硬化性プラスチックに関しては、一般的に知られているタイプの中から、任意に選択して利用することができるものとする。また、前記３層敷き具第２層部の裏面部に印刷層を形成することで、この印刷層を３層敷き具第３層部として活用することも可能である。【００１６】  課題を解決するための第二の手段で示した、前記２層敷き具第１層部の表面部の少なくとも一部に、または前記３層敷き具第１層部の表面部の少なくとも一部に、世界の国旗の中から選択した少なくとも一つの国旗をモチーフにした意匠を形成することに関しては、例えば国旗とは、国家を表徴する標識としての旗であり、「形」「色彩」により国民の理想や歴史を表現したものであることが知られているが、本考案で示した敷き具の「形」が本明細書で示された円盤状であることが前提条件になっているため、その条件での国旗をモチーフにした意匠が、果して該当する国の国旗といえるかどうかの指摘を受けているが、本考案ではあくまでもその国家を表徴する「色彩」による構造と組み合わせによって、国旗に見えるかもしれないという人体の視覚効果や錯覚効果を利用するものである。【００１７】  課題を解決するための第二の手段で示した該国旗に該当する国名を形成させることに関しては、前記２層敷き具第１層部の表面部の少なくとも一部に、または前記３層敷き具第１層部の表面部の少なくとも一部に、該国名を構成する文字や記号を凹状に形成させる手段や溝状に形成させる手段を用いることが好ましい。なぜなら前記２層敷き具第１層部の表面部の少なくとも一部に、または前記３層敷き具第１層部の表面部の少なくとも一部に、前記凹状形成手段による凹状形成部や前記溝状形成手段による溝状形成部を形成させることは、前記敷き具の表面部に本明細書で示した飲用容器や食物容器を載置した場合に、前記凹状形成部や前記溝状形成部が吸盤作用によって滑りにくさが生じることを利用するためである。また、前記凹状形成手段に関しては、該国名を構成する文字や記号を凹状に形成させる技術的手段や加工手段に関しては一般的に知られている手段であれば何を用いても構わない。また、前記溝状形成手段に関しては、該国名を構成する文字や記号を溝状に形成させる技術的手段や加工手段に関しては一般的に知られている手段であれば何を用いても構わない。【００１８】  課題を解決するための第三の手段（含む請求項３）は、前記敷き具の裏面部の少なくとも一部に、または前記２層敷き具の第２層部の裏面部の少なくとも一部に、または前記３層敷き具の第３層部の裏面部の少なくとも一部には、世界地図を表示することを特徴とする、課題を解決するための第一の手段（含む請求項１）または課題を解決するための第二の手段（含む請求項２）に記載の国旗をモチーフにした敷き具を提供することである。【００１９】  課題を解決するための第三の手段で示した前記敷き具の裏面部の少なくとも一部に世界地図を表示することに関しては、まず前記敷き具裏面部の任意の部位に世界地図を表示する手段に関しては印刷手段の使用が好ましく、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。また、該世界地図の表現手段としても、ドットで表現することが好ましく、●、○、◎、などの中から組み合わせて用いても単独で用いても構わないものとする。【００２０】  課題を解決するための第三の手段で示した前記２層敷き具の第２層部の裏面部の少なくとも一部に世界地図を表示することに関しては、まず前記２層敷き具第２層部裏面部の任意の部位に世界地図を表示する手段に関しては印刷手段の使用が好ましく、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。また、該世界地図の表現手段としても、ドットで表現することが好ましく、●、○、◎、などの中から組み合わせて用いても単独で用いても構わないものとする。【００２１】  課題を解決するための第三の手段で示した前記３層敷き具の第３層部の裏面部の少なくとも一部に世界地図を表示することに関しては、まず前記３層敷き具第３層部裏面部の任意の部位に世界地図を表示する手段に関しては印刷手段の使用が好ましく、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。また、該世界地図の表現手段としても、ドットで表現することが好ましく、●、○、◎、などの中から組み合わせて用いても単独で用いても構わないものとする。【００２２】  課題を解決するための第四の手段（含む請求項４）は、前記国旗モチーフ意匠を構成する図形や文字や記号やシンボルの輪郭が切り込みによって形成されることを特徴とする、課題を解決するための第一の手段（請求項１）または課題を解決するための第二の手段（含む請求項２）に記載の国旗をモチーフにした敷き具を提供することである。【００２３】  課題を解決するための第四の手段で示した国旗モチーフ意匠を構成する図形や文字や記号やシンボルの輪郭が切り込みによって形成されることに関しては、例えば前記敷き具表面部に、前記国旗モチーフ意匠を構成する図形や文字や記号やシンボルの輪郭が切り込みによって形成される手段の一例として、前記国旗モチーフ意匠を構成する図形や文字や記号や��ンボルの輪郭を金属製の薄板で形成し夫々の部位に所定の色彩で着色した熱硬化性プラスチックを注入できるように形成した金型を用いて、該金型への該熱硬化性プラスチックの注入と加熱工程と加圧工程を経て、所定の図形や文字や記号やシンボルの形状に形成した後に、該金型を取り外すことで、前記敷き具表面部にこれらの図形や文字や記号やシンボルの輪郭に沿って前記金属製薄板の厚さに応じた切り込みが形成される。
また例えば前記２層敷き具第１層部に、前記国旗モチーフ意匠を構成する図形や文字や記号やシンボルの輪郭が切り込みによって形成される手段の一例として、前記国旗モチーフ意匠を構成する図形や文字や記号やシンボルの輪郭を金属製の薄板で形成し夫々の部位に所定の色彩で着色した熱硬化性プラスチックを注入できるように形成した金型を用いて、該金型への該熱硬化性プラスチックの注入と加熱工程と加圧工程を経て、所定の図形や文字や記号やシンボルの形状に形成した後に、該金型を取り外すことで、前記２層敷き具第１層部にこれらの図形や文字や記号やシンボルの輪郭に沿って前記金属製薄板の厚さに応じた切り込みが形成されることになる。
また例えば前記３層敷き具第１層部に、前記国旗モチーフ意匠を構成する図形や文字や記号やシンボルの輪郭が切り込みによって形成される手段の一例として、前記国旗モチーフ意匠を構成する図形や文字や記号やシンボルの輪郭を金属製の薄板で形成し夫々の部位に所定の色彩で着色した熱硬化性プラスチックを注入できるように形成した金型を用いて、該金型への該熱硬化性プラスチックの注入と加熱工程と加圧工程を経て、所定の図形や文字や記号やシンボルの形状に形成した後に、該金型を取り外すことで、前記３層敷き具第１層部にこれらの図形や文字や記号やシンボルの輪郭に沿って前記金属製薄板の厚さに応じた切り込みが形成されることになる。【００２４】  課題を解決するための第五の手段（含む請求項５）は、前記国旗モチーフ意匠を構成する図形や文字や記号やシンボルを構成する色彩の一つを用いて前記敷き具裏面部の主たる色彩を形成するようにした課題を解決するための第一の手段（含む請求項１）に記載の国旗をモチーフにした敷き具を提供することである。【００２５】  課題を解決するための第五の手段で示した前記国旗モチーフ意匠を構成する図形や文字や記号やシンボルを構成する色彩の一つを用いて前記敷き具裏面部の主たる色彩を形成する手段に関しては印刷手段の使用が好ましく、該印刷手段に関してはオフセット印刷でもシルク印刷でもその他印刷手段でも構わないが、印刷層の任意の厚みや十分な耐久性や耐熱性の確保という面と油性インキ（熱硬化性や紫外線硬化性なども可能）や樹脂インキ（熱硬化性や紫外線硬化性なども可能）などの汎用性の良さでシルク印刷の使用が好ましい。【００２６】  課題を解決するための第六の手段（含む請求項５）は、前記国旗モチーフ意匠を構成する図形や文字や記号やシンボルを構成する色彩の一つを用いて、前記２層敷き具第２層部、前記３層敷き具第２層部、前記３層敷き具第３層部、の色彩を形成するようにしたことを特徴とする、課題を解決するための第一の手段（含む請求項１）から課題を解決するための第三の手段（含む請求項３）のいずれかに記載の国旗をモチーフにした敷き具を提供することである。【００２７】  課題を解決するための第六の手段で示した前記国旗モチーフ意匠を構成する図形や文字や記号やシンボルを構成する色彩の一つを用いて前記２層敷き具第２層部の色彩を形成することに関しては、前記２層敷き具に前記２層敷き具第２層部を形成できるようにした金型を用いて、前記２層敷き具第１層部で使用した色彩の中から選択した一つの色彩で着色した熱硬化性プラスチックを該金型へ注入した後に加熱工程と加圧工程を経て、該金型を取り外すことで、前記国旗モチーフ意匠を構成する図形や文字や記号やシンボルを構成する色彩の一つを用いた前記２層敷き具第２層部が形成されることになる。【００２８】  課題を解決するための第六の手段で示した前記国旗モチーフ意匠を構成する図形や文字や記号やシンボルを構成する色彩の一つを用いて前記３層敷き具第２層部の色彩を形成することに関しては、前記３層敷き具に前記３層敷き具第２層部を形成できるようにした金型を用いて、前記３層敷き具第１層部で使用した色彩の中から選択した一つの色彩で着色した熱硬化性プラスチックを��金型へ注入した後に加熱工程と加圧工程を経て、該金型を取り外すことで、前記国旗モチーフ意匠を構成する図形や文字や記号やシンボルを構成する色彩の一つを用いた前記３層敷き具第２層部が形成されることになる。【００２９】  課題を解決するための第六の手段で示した前記国旗モチーフ意匠を構成する図形や文字や記号やシンボルを構成する色彩の一つを用いて前記３層敷き具第３層部の色彩を形成することに関しては、前記３層敷き具に前記３層敷き具第３層部を形成できるようにした金型を用いて、前記３層敷き具第１層部で使用した色彩の中から選択した一つの色彩で着色した熱硬化性プラスチックを該金型へ注入した後に加熱工程と加圧工程を経て、該金型を取り外すことで、前記国旗モチーフ意匠を構成する図形や文字や記号やシンボルを構成する色彩の一つを用いた前記３層敷き具第３層部が形成されることになる。
【考案の効果】
【００３０】  本考案の国旗をモチーフにした敷き具を採用した飲食店は、一般的なコースターを利用する以上に、飲料を摂取するための作業や、食物を摂取するための作業を、楽しむための道具として、来店者に提供できる。また、本考案のコースターは装飾性に優れているので、飲食店の卓上装飾品として商品価値が高くなり、該飲食店に対してのヒット商品になりやすい。また上記の考案の効果に加えて、国旗のデザインの要素と国名の要素が飲食容器の滑り止めとして機能するコースターを提供できる。【００３１】  本考案の国旗をモチーフにした敷き具を採用した飲食店が、例えば、店内にあるコースターを全て別々の国旗のデザインで揃えることが可能であり、来店者の来店記録を利用することで、来店者が来店する度に異なる国旗のコースターを提供することが可能になり、顧客サービスと同時に顧客とのコミュニケーションツールとして活用することができる。また、該飲食店の扱い商品としても可能になり量販効果が期待できる。また上記考案の効果に加えて、国旗のデザインの要素と国名の要素が飲食容器の滑り止めとして機能するコースターを提供できる。【００３２】  本考案の国旗をモチーフにした敷き具を採用した飲食店が、例えば、日本料理や、フランス料理や、イタリア料理や、インド料理や、中華料理や、トルコ料理や、ロシア料理や、スペイン料理や、ドイツ料理や、韓国料理や、その他各国料理を、提供する場合には、その料理に合わせたコースターの提供が可能になり、顧客サービスと同時に顧客とのコミュニケーションツールとして活用することができる。また、該飲食店の扱い商品としても可能になり、該飲食店の売り上げ向上が可能になる。また上記の考案の効果に加えて、国旗のデザインの要素と国名の要素が飲食容器の滑り止めとして機能するコースターを提供できる。【００３３】  本考案の国旗をモチーフにした敷き具を採用した飲食店が、例えば、日本料理店や、フランス料理店や、イタリア料理店や、インド料理店や、中華料理店や、トルコ料理店や、ロシア料理店や、スペイン料理店や、ドイツ料理店や、韓国料理店や、その他各国料理店や、その他多国籍料理店、などの場合には、その店に合わせたコースターの提供が可能になり、商品価値が高くなり、本考案の商品が流通量向上にも貢献できる。また上記考案の効果に加えて、国旗のデザインの要素と国名の要素が飲食容器の滑り止めとして機能するコースターを提供できる。【００３４】  本考案の国旗をモチーフにした敷き具を採用した飲食店は、例えば、提供する飲料や料理に合わせた、コースターの提供が可能になり、結果的に顧客サービスにつながり、さらに結果的に本考案の採用が増大する。また上記の考案の効果に加えて、国旗のデザインの要素と国名の要素が飲食容器の滑り止めとして機能するコースターを提供できる。【００３５】  本考案の国旗をモチーフにした敷き具は、例えばコースター機能を備えた国旗学習用具としの商品化も可能であり、また例えばコースター機能を備えた国家学習用具としの商品化も可能であり、例えば学校や学習塾や家庭内の教材として、また例えば学校や学習塾や家庭内の実用品としての可能性がある商品の提供が可能になる。さらに学習塾の扱い商品としても可能になることで、相当数の流通が可能になる。また上記の考案の効果に加えて、国旗のデザインの要素と国名の要素が飲食容器の滑り止めとして機能するコースターを提供できる。【００３６】  本考案の国旗をモチーフにした敷き具は、例えばゲーム機能を備えた国旗学習用コースターとしの商品化も可能であり、また例えばゲーム機能を備えた国家学習用コースターとしの商品化も可能であり、例えば学校や学習塾や家庭内の教材として、また例えば学校や学習塾や家庭内の実用品としての可能性がある商品の提供が可能になる。さらに学習塾の扱い商品としても可能になることで、相当数の流通が可能になる。また上記の考案の効果に加えて、国旗のデザインの要素と国名の要素が飲食容器の滑り止めとして機能するコースターを提供できる。【００３７】  上述した考案の効果に加えて、本考案の国旗をモチーフにした敷き具は、国旗とその国家名と世界地図という互いに密接な関係にある要素や機能を一体化させたので、その国家の世界の中での位置関係が理解でき、２０１８年に韓国で予定されている冬季オリンピックや２０２０年に東京で予定されている夏季オリンピックで盛り上がりに対応する商品としての商品価値が増大するものであり、相当数の売り上げが期待できる商品の提供が可能である。また上記の考案の効果に加えて、国旗のデザインの要素と国名の要素が飲食容器の滑り止めとして機能するコースターを提供できる。【００３８】  上述した考案の効果に加えて、本考案の国旗をモチーフにした敷き具は、これを用いた人間の認識のレベルを向上させ、人間の文化と文明を発展させる一助になるかもしれないという、仮説を見出して、本考案に至ったものである。例えば、人間が進化の過程で文化と文明を発展させることができた要因、仮説として、物と物、事と事、物と事の間の関係が三つを超える認知世界は人間特有のものであり、道具とシンボルとを総合し、言葉（シンボル）や文字の使用、道具の使用を総合的活用することができたからだといわれている。（「科学者が人間であること」中村桂子著（岩波新書）３０Ｐを参照する。）
したがって、本考案を利用することで、まず本考案の表面部を認知することになり、その結果、世界の中のある少なくとも一つの国家を国旗というシンボルを介して認知し、次にその国家がどんな文字（また、記号やシンボル）で表現されているのか、という認知プロセスを経験し、さらに本考案の裏面部を認知することで、世界地図を介してその国家と世界の関係の認識に至る。したがって、本考案の価値を認識して本考案のコースターを利用した人は、新しい飲食文化の創造に立会いかつ参加した人になりうるのである。【００３９】
【考案を実施するための最良の形態】
【００４０】  以下、本考案の国旗をモチーフにした敷き具の実施の形態について、図１〜図６２に基づいて説明する。図１は国名「ＪＡＰＡＮ」の国旗をモチーフにして形成した敷き具の説明図であり、図２は国名「ＣＨＩＮＡ」の国旗をモチーフにして形成した敷き具の説明図であり、図３は国名「ＫＯＲＥＡ」の国旗をモチーフにして形成した敷き具の説明図であり、図４は国名「ＴＡＩＷＡＮ」の国旗をモチーフにして形成した敷き具の説明図であり、図５は国名「ＴＨＡＩＬＡＮＤ」の国旗をモチーフにして形成した敷き具の説明図であり、図６は国名「ＩＮＤＩＡ」の国旗をモチーフにして形成した敷き具の説明図であり、図７は国名「ＩＮＤＯＮＥＳＩＡ」の国旗をモチーフにして形成した敷き具の説明図であり、図８は国名「ＩＲＡＮ」の国旗をモチーフにして形成した敷き具の説明図であり、図９は国名「ＭＡＬＡＹＳＩＡ」の国旗をモチーフにして形成した敷き具の説明図であり、図１０は国名「ＭＯＮＧＯＬＩＡ」の国旗をモチーフにして形成した敷き具の説明図であり、図１１は国名「ＳＩＮＧＡＰＯＲＥ」の国旗をモチーフにして形成した敷き具の説明図であり、図１２は国名「ＳＲＩＬＡＮＫＡ」の国旗をモチーフにして形成した敷き具の説明図であり、図１３は国名「ＴＵＲＫＥＹ」の国旗をモチーフにして形成した敷き具の説明図であり、図１４は国名「ＶＩＥＴＮＡＭ」の国旗をモチーフにして形成した敷き具の説明図であり、図１５は国名「ＹＥＭＥＮ」の国旗をモチーフにして形成した敷き具の説明図であり、図１６は国名「ＤＥＮＭＡＲＫ」の国旗をモチーフにして形成した敷き具の説明図であり、図１７は国名「ＦＩＮＬＡＮＤ」の国旗をモチーフにして形成した敷き具の説明図であり、図１８は国名「ＦＲＡＮＣＥ」の国旗をモチーフにして形成した敷き具の説明図であり、図１９は国名「ＧＥＲＭＡＮＹ」の国旗をモチーフにして形成した敷き具の説明図であり、図２０は国名「ＩＴＡＬＹ」の国旗をモチーフにして形成した敷き具の説明図であり、図２１は国名「ＮＯＲＷＡＹ」の国旗をモチーフにして形成した敷き具の説明図であり、図２２は国名「ＳＰＡＩＮ」の国旗をモチーフにして形成した敷き具の説明図であり、図２３は国名「ＳＷＥＤＥＮ」の国旗をモチーフにして形成した敷き具の説明図であり、図２４は国名「ＳＷＩＴＺＥＲＬＡＮＤ」の国旗をモチーフにして形成した敷き具の説明図であり、図２５は国名「ＵＫ」の国旗をモチーフにして形成した敷き具の説明図であり、図２６は国名「ＢＥＬＧＩＵＭ」の国旗をモチーフにして形成した敷き具の説明図であり、図２７は国名「ＢＯＳＮＩＡ−ＨＥＲＺＥＧＯＶＩＮＡ」の国旗をモチーフにして形成した敷き具の説明図であり、図２８は国名「ＣＲＯＡＴＩＡ」の国旗をモチーフにして形成した敷き具の説明図であり、図２９は国名「ＥＮＧＬＡＮＤ」の国旗をモチーフにして形成した敷き具の説明図であり、図３０は国名「ＧＲＥＥＣＥ」の国旗をモチーフにして形成した敷き具の説明図であり、図３１は国名「ＨＵＮＧＡＲＹ」の国旗をモチーフにして形成した敷き具の説明図であり、図３２は国名「ＮＥＴＨＥＲ  ＬＡＮＤＳ」の国旗をモチーフにして形成した敷き具の説明図であり、図３３は国名「Ｐ��ＲＴＵＧＡＬ」の国旗をモチーフにして形成した敷き具の説明図であり、図３４は国名「ＡＲＧＥＮＴＩＮＡ」の国旗をモチーフにして形成した敷き具の説明図であり、図３５は国名「ＭＥＸＩＣＯ」の国旗をモチーフにして形成した敷き具の説明図であり、図３６は国名「ＢＲＡＺＩＬ」の国旗をモチーフにして形成した敷き具の説明図であり、図３７は国名「ＣＨＩＬＥ」の国旗をモチーフにして形成した敷き具の説明図であり、図３８は国名「ＣＯＬＯＭＢＩＡ」の国旗をモチーフにして形成した敷き具の説明図であり、図３９は国名「ＤＯＭＩＮＩＣＡ」の国旗をモチーフにして形成した敷き具の説明図であり、図４０は国名「ＥＣＵＡＤＯＲ」の国旗をモチーフにして形成した敷き具の説明図であり、図４１は国名「ＧＵＡＴＥＭＡＬＡ」の国旗をモチーフにして形成した敷き具の説明図であり、図４２は国名「ＨＯＮＤＵＲＡＳ」の国旗をモチーフにして形成した敷き具の説明図であり、図４３は国名「ＣＯＳＴＡ  ＲＩＣＡ」の国旗をモチーフにして形成した敷き具の説明図であり、図４４は国名「ＪＡＭＡＩＣＡ」の国旗をモチーフにして形成した敷き具の説明図であり、図４５は国名「ＣＵＢＡ」の国旗をモチーフにして形成した敷き具の説明図であり、図４６は国名「ＵＲＵＧＵＡＩ」の国旗をモチーフにして形成した敷き具の説明図であり、図４７は国名「ＣＡＭＥＲＯＯＮ」の国旗をモチーフにして形成した敷き具の説明図であり、図４８は国名「ＣＯＴＥ  ＤＩＶＯＩＲ」の国旗をモチーフにして形成した敷き具の説明図であり、図４９は国名「ＥＧＹＰＴ」の国旗をモチーフにして形成した敷き具の説明図であり、図５０は国名「ＥＴＨＩＯＰＩＡ」の国旗をモチーフにして形成した敷き具の説明図であり、図５１は国名「ＧＨＡＮＡ」の国旗をモチーフにして形成した敷き具の説明図であり、図５２は国名「ＫＥＮＹＡ」の国旗をモチーフにして形成した敷き具の説明図であり、図５３は国名「ＭＯＲＯＣＣＯ」の国旗をモチーフにして形成した敷き具の説明図であり、図５４は国名「ＮＩＧＥＲＩＡ」の国旗をモチーフにして形成した敷き具の説明図であり、図５５は国名「ＳＯＵＴＨ  ＡＦＲＩＣＡ」の国旗をモチーフにして形成した敷き具の説明図であり、図５６は国名「ＴＡＮＺＡＮＩＡ」の国旗をモチーフにして形成した敷き具の説明図であり、図５７は国名「ＡＬＧＥＲＩＡ」の国旗をモチーフにして形成した敷き具の説明図であり、図５８は国名「ＲＵＳＳＩＡ」の国旗をモチーフにして形成した敷き具の説明図であり、図５９は国名「ＡＵＳＴＲＡＬＩＡ」の国旗をモチーフにして形成した敷き具の説明図であり、図６０は国名「ＮＥＷ  ＺＥＡＬＡＮＤ」の国旗をモチーフにして形成した敷き具の説明図であり、図６１は国名「ＣＡＮＡＤＡ」の国旗をモチーフにして形成した敷き具の説明図であり、図６２は国名「ＵＳＡ」の国旗をモチーフにして形成した敷き具の説明図である。
【実施例１】
【００４１】  図１を用いて、本考案で記載された考案の内容に基づいて実施例１を説明する。まずこの図は、熱硬化性樹脂を用いて円盤状で薄板状に形成された敷き具Ｃ１を説明する３点図であり、「ＪＡＰＡＮ」と示された国名Ｎ１の国旗をモチーフにして形成した意匠を用いている。該３点図の上端に示した図は敷き具Ｃ１の表面部Ｃ１（ａ）を示し、下端に示した図は敷き具Ｃ１の裏面部Ｃ１（ｃ）を示し、敷き具表面部Ｃ１（ａ）と敷き具裏面部Ｃ１（ｃ）の間には敷き具Ｃ１の側面部Ｃ１（ｂ）を示している。次に敷き具表面部Ｃ１（ａ）の略中央部に赤色系色彩円形部Ｒ１とその周辺の白色系色彩周辺部Ｈ１で形成され、白色系色彩周辺部Ｈ１の任意部位に国名Ｎ１の文字が凹状になるように設けられる。次に敷き具裏面部Ｃ１（ｃ）は白色系色彩を用いて基台部Ｋ１となり、側面部Ｃ１（ｂ）が２層構造だとすると基台部Ｋ１は下部構造となり、白色系色彩部Ｈ１の部位は上部構造となり、赤色系色彩円形部Ｒ１の部位は敷き具表面部Ｃ１（ａ）の略中央部に凹状になるように、また国名Ｎ１の部位が凹状になるように設計された金型を用いて、まず白色系色素を混錬した熱硬化性樹脂を注入し押圧しながら熱硬化させ、次に敷き具表面部Ｃ１（ａ）の略中央部の凹状部に赤色系色素を混錬した熱硬化性樹脂を注入し押圧しながら熱硬化させ、金型を取り外すことで、国名Ｎ１の部位は凹状に、また赤色系色彩円形部Ｒ１の輪郭は切り込み状に形成されることになる。次に基台部Ｋ１にはシルク印刷手段を介して灰色系色彩のドットで構成した世界地図ＭＧを印刷する。
【実施例２】
【００４２】  図２を用いて、本考案で記載された考案の内容に基づいて実施例２を説明する。まずこの図は、熱硬化性樹脂を用いて円盤状で薄板状に形成された敷き具Ｃ２を説明する３点図であり、「ＣＨＩＮＡ」と示された国名Ｎ２の国旗をモチーフにして形成した意匠を用いている。該３点図の上端に示した図は敷き具Ｃ２の表面部Ｃ２（ａ）を示し、下端に示した図は敷き具Ｃ２の裏面部Ｃ２（ｃ）を示し、敷き具表面部Ｃ２（ａ）と敷き具裏面部Ｃ２（ｃ）の間には敷き具Ｃ２の側面部Ｃ２（ｂ）を示している。次に敷き具表面部Ｃ２（ａ）の略中央部に黄色系色彩星形部Ｙ２の５点とその周辺の赤色系色彩周辺部Ｒ２で形成され、赤色系色彩周辺部Ｒ２の任意部位に国名Ｎ２の文字が凹状になるように設けられる。次に敷き具裏面部Ｃ２（ｃ）は赤色系色彩を用いて基台部Ｋ２となり、側面部Ｃ２（ｂ）が２層構造だとすると基台部Ｋ２は下部構造となり、赤色系色彩周辺部Ｒ２の部位は上部構造となり、黄色系色彩星形部Ｙ２の５点の部位は敷き具表面部Ｃ２（ａ）の略中央部に５つの凹状部になるように、また国名Ｎ２の部位が凹状になるように設計された金型を用いて、まず赤色系色素を混錬した熱硬化性樹脂を注入し押圧しながら熱硬化させ、生じた５つの凹状部に黄色系色素を混錬した熱硬化性樹脂を注入し押圧しながら熱硬化させ、金型を取り外すことで、国名Ｎ２の部位は凹状に、また黄色系色彩星形部Ｙ２の５点の輪郭は切り込み状に形成されることになる。次に基台部Ｋ２にはシルク印刷手段を介して白色系色彩のドットで構成した世界地図ＭＨを印刷する。
【実施例３】
【００４３】  図３を用いて、本考案で記載された考案の内容に基づいて実施例３を説明する。まずこの図は、熱硬化性樹脂を用いて円盤状で薄板状に形成された敷き具Ｃ３を説明する３点図であり、「ＫＯＲＥＡ」と示された国名Ｎ３の国旗をモチーフにして形成した意匠を用いている。該３点図の上端に示した図は敷き具Ｃ３の表面部Ｃ３（ａ）を示し、下端に示した図は敷き具Ｃ３の裏面部Ｃ３（ｃ）を示し、敷き具表面部Ｃ３（ａ）と敷き具裏面部Ｃ３（ｃ）の間には敷き具Ｃ３の側面部Ｃ３（ｂ）を示している。次に敷き具表面部Ｃ３（ａ）の略中央部に紺色系色彩と赤色系色彩を組合せた円形状のシンボルＳ３を設け、シンボルＳ３の周囲４か所に配置した棒状体の組合せである黒色系色彩部Ｂｋ３とその周辺を占める白色系色彩周辺部Ｈ３で形成され、白色系色彩周辺部Ｈ３の任意部位に国名Ｎ３の文字が凹状になるように設ける。次に敷き具裏面部Ｃ３（ｃ）は白色系色彩を用いて基台部Ｋ３となり、側面部Ｃ３（ｂ）が２層構造だとすると基台部Ｋ３は下部構造となり、白色系色彩周辺部Ｈ３の部位は上部構造となり、シンボルＳ３の紺色系色彩の部位が第一凹状部に赤色系色彩の部位が第二凹状部になり、黒色系色彩部Ｂｋ３の部位が第三凹状部になり、国名Ｎ３の部位が凹状になるように設計された金型を用いて、まず白色系色彩の色素を混錬した熱硬化性樹脂を注入し押圧しながら熱硬化させ、生じた、第一凹状部に紺色系色素を混錬した熱硬化性樹脂を注入し、第二凹状部に赤色系色素を混錬した熱硬化性樹脂を注入し、第三凹状部に黒色系色素を混錬した熱硬化性樹脂を注入し、押圧しながら熱硬化させた後に、金型を取り外すことで、国名Ｎ３の部位は凹状に、シンボルＳ３と黒色系色彩部Ｂｋ３の輪郭は切り込み状に形成されることになる。次に基台部Ｋ３にはシルク印刷手段を介して灰色系色彩のドットで構成した世界地図ＭＧを印刷する。
【実施例４】
【００４４】  図４を用いて、本考案で記載された考案の内容に基づいて実施例４を説明する。まずこの図は、熱硬化性樹脂を用いて円盤状で薄板状に形成された敷き具Ｃ４を説明する３点図であり、「ＴＡＩＷＡＮ」と示された国名Ｎ４の国旗をモチーフにして形成した意匠を用いている。該３点図の上端に示した図は敷き具Ｃ４の表面部Ｃ４（ａ）を示し、下端に示した図は敷き具Ｃ４の裏面部Ｃ４（ｃ）を示し、敷き具表面部Ｃ４（ａ）と敷き具裏面部Ｃ４（ｃ）の間には敷き具Ｃ４の側面部Ｃ４（ｂ）を示している。次に敷き具表面部Ｃ４（ａ）の端部に白色系色彩三角形１２個と紺色系色彩リングで構成されたシンボルＳ４とその周辺の紺色系色彩周辺部ＤＢ４と敷き具表面部Ｃ４（ａ）の大部分を占める赤色系色彩部Ｒ４で形成され、赤色系色彩部Ｒ４の任意部位に国名Ｎ４の文字が凹状になるように設けられる。次に敷き具裏面部Ｃ４（ｃ）は赤色系色彩を用いて基台部Ｋ４となり、側面部Ｃ４（ｂ）が２層構造だとすると基台部Ｋ４は下部構造となり、赤色系色彩部Ｒ４の部位は上部構造となり、紺色系色彩周辺部ＤＢ４の部位が第一凹状部になり、シンボルＳ４の部位が２色凹状部になり、国名Ｎ４の部位が凹状になるように設計された金型を用いて、まず赤色系色素を混錬した熱硬化性樹脂を注入し押圧しながら熱硬化させ、生じた、第一凹状部と２色凹状部に紺色系色素を混錬した熱硬化性樹脂を注入し、２色凹状部に白色系色素を混錬した熱硬化性樹脂を注入し、押圧しながら熱硬化させ、金型を取り外すことで、国名Ｎ４の部位は凹状に、またシンボルＳ４と紺色系色彩周辺部ＤＢ４の輪郭は切り込み状に形成されることになる。次に基台部Ｋ４にはシルク印刷手段を介して白色系色彩のドットで構成した世界地図ＭＨを印刷する。
【実施例５】
【００４５】  図５を用いて、本考案で記載された考案の内容に基づいて実施例５を説明する。まずこの図は、熱硬化性樹脂を用いて円盤状で薄板状に形成された敷き具Ｃ５を説明する３点図であり、「ＴＨＡＩＬＡＮＤ」と示された国名Ｎ５の国旗をモチーフにして形成した意匠を用いている。該３点図の上端に示した図は敷き具Ｃ５の表面部Ｃ５（ａ）を示し、下端に示した図は敷き具Ｃ５の裏面部Ｃ５（ｃ）を示し、敷き具表面部Ｃ５（ａ）と敷き具裏面部Ｃ５（ｃ）の間には敷き具Ｃ５の側面部Ｃ５（ｂ）を示している。次に敷き具表面部Ｃ５（ａ）には、赤色系色彩部Ｒ５と白色系色彩部Ｈ５と紺色系色彩部ＤＢ５で形成され、赤色系色彩部Ｒ５の任意部位に国名Ｎ５の文字が凹状になるように設けられる。次に敷き具裏面部Ｃ５（ｃ）は紺色系色彩を用いて基台部Ｋ５となり、側面部Ｃ５（ｂ）が２層構造だとすると基台部Ｋ５は下部構造となり、紺色系色彩部ＤＢ５の部位は上部構造となり、赤色系色彩部Ｒ５の部位が第一凹状部になり、白色系色彩部Ｈ５の部位が第二凹状部になり、国名Ｎ５の部位が凹状になるように設計された金型を用いて、まず紺色系色素を混錬した熱硬化性樹脂を注入し、押圧しながら熱硬化させ、生じた、第一凹状部に赤色系色素を混錬した熱硬化性樹脂を注入し、第二凹状部に白色系色素を混錬した熱硬化性樹脂を注入し、押圧しながら熱硬化させた後に、金型を取り外すことで、国名Ｎ５の部位は凹状に、また紺色系色彩部ＤＢ５と白色系色彩部Ｈ５と赤色系色彩部Ｒ５の境界は切り込み状に形成されることになる。次に基台部Ｋ５にはシルク印刷手段を介して白色系色彩のドットで構成した世界地図ＭＨを印刷する。
【実施例６】
【００４６】  図６を用いて、本考案で記載された考案の内容に基づいて実施例６を説明する。まずこの図は、熱硬化性樹脂を用いて円盤状で薄板状に形成された敷き具Ｃ６を説明する３点図であり、「ＩＮＤＩＡ」と示された国名Ｎ６の国旗をモチーフにして形成した意匠を用いている。該３点図の上端に示した図は敷き具Ｃ６の表面部Ｃ６（ａ）を示し、下端に示した図は敷き具Ｃ６の裏面部Ｃ６（ｃ）を示し、敷き具表面部Ｃ６（ａ）と敷き具裏面部Ｃ６（ｃ）の間には敷き具Ｃ６の側面部Ｃ６（ｂ）を示している。次に敷き具表面部Ｃ６（ａ）には、緑色系色彩部Ｇ６と橙色系色彩部Ｄ６と白色系色彩部Ｈ６と、白色系色彩部Ｈ６の中に図示するように黒色系色彩で構成されたシンボルＳ６で形成され、緑色系色彩部Ｇ６の任意部位に国名Ｎ６の文字が凹状になるように設けられる。次に敷き具裏面部Ｃ６（ｃ）は白色系色彩を用いて基台部Ｋ６となり、側面部Ｃ６（ｂ）が２層構造だとすると基台部Ｋ６は下部構造となり、白色系色彩部Ｈ６の部位は上部構造となり、緑色系色彩部Ｇ６の部位が第一凹状部になり、橙色系色彩部Ｄ６の部位が第二凹状部になり、シンボルＳ６の部位が第三凹状部になり、国名Ｎ６の部位が凹状になるように設計された金型を用いて、まず白色系色素を混錬した熱硬化性樹脂を注入し、押圧しながら熱硬化させ、生じた、第一凹状部に緑色系色素を混錬した熱硬化性樹脂を注入し、第二凹状部に橙色系色素を混錬した熱硬化性樹脂を注入し、第三凹状部に黒色系色素を混錬した熱硬化性樹脂を注入し、押圧しながら熱硬化させた後に、金型を取り外すことで、国名Ｎ６の部位は凹状に、またシンボルＳ６の輪郭と白色系色彩部Ｈ６と緑色系色彩部Ｇ６と橙色系色彩部Ｄ６の境界は切り込み状に形成されることになる。次に基台部Ｋ６にはシルク印刷手段を介して灰色系色彩のドットで構成した世界地図ＭＧを印刷する。
【実施例７】
【００４７】  図７を用いて、本考案で記載された考案の内容に基づいて実施例７を説明する。まずこの図は、熱硬化性樹脂を用いて円盤状で薄板状に形成された敷き具Ｃ７を説明する３点図であり、「ＩＮＤＯＮＥＳＩＡ」と示された国名Ｎ７の国旗をモチーフにして形成した意匠を用いている。該３点図の上端に示した図は敷き具Ｃ７の表面部Ｃ７（ａ）を示し、下端に示した図は敷き具Ｃ７の裏面部Ｃ７（ｃ）を示し、敷き具表面部Ｃ７（ａ）と敷き具裏面部Ｃ７（ｃ）の間には敷き具Ｃ７の側面部Ｃ７（ｂ）を示している。次に敷き具表面部Ｃ７（ａ）は、白色系色彩部Ｈ７と赤色系色彩部Ｒ７で２分割されるように形成され、白色系色彩部Ｈ７の任意部位に国名Ｎ７の文字が凹状になるように設けられる。次に敷き具裏面部Ｃ７（ｃ）は白色系色彩を用いて基台部Ｋ７となり、側面部Ｃ７（ｂ）が２層構造だとすると基台部Ｋ７は下部構造となり、白色系色彩部Ｈ７の部位は上部構造となり、赤色系色彩部Ｒ７の部位が凹状部になり、国名Ｎ７の部位が凹状になるように設計された金型を用いて、まず白色系色素を混錬した熱硬化性樹脂を注入し、押圧しながら熱硬化させ、生じた凹状部に赤色系色素を混錬した熱硬化性樹脂を注入し、押圧しながら熱硬化させた後に、金型を取り外すことで、国名Ｎ７の部位は凹状に、また白色系色彩部Ｈ７と赤色系色彩部Ｒ７の境界が切り込み状に形成されることになる。次に基台部Ｋ３７にはシルク印刷手段を介して灰色系色彩のドットで構成した世界地図ＭＧを印刷する。
【実施例８】
【００４８】  図８を用いて、本考案で記載された考案の内容に基づいて実施例８を説明する。まずこの図は、熱硬化性樹脂を用いて円盤状で薄板状に形成された敷き具Ｃ８を説明する３点図であり、「ＩＲＡＮ」と示された国名Ｎ８の国旗をモチーフにして形成した意匠を用いている。該３点図の上端に示した図は敷き具Ｃ８の表面部Ｃ８（ａ）を示し、下端に示した図は敷き具Ｃ８の裏面部Ｃ８（ｃ）を示し、敷き具表面部Ｃ８（ａ）と敷き具裏面部Ｃ８（ｃ）の間には敷き具Ｃ８の側面部Ｃ８（ｂ）を示している。次に敷き具表面部Ｃ８（ａ）には、緑色系色彩部Ｇ８と赤色系色彩部Ｒ８と白色系色彩部Ｈ８と、白色系色彩部Ｈ８の中に図示するように赤色系色彩で構成されたシンボルＳ８と、白色系色彩部Ｈ８と赤色系色彩部Ｒ８との間に設けられる帯状幾何学部ＨＲ８と、白色系色彩部Ｈ８と緑色系色彩部Ｇ８との間に設けられる帯状幾何学部ＨＧ８で形成され、赤色系色彩部Ｒ８の任意部位に国名Ｎ８の文字が凹状になるように設けられる。次に敷き具裏面部Ｃ８（ｃ）は白色系色彩を用いて基台部Ｋ８となり、側面部Ｃ８（ｂ）が２層構造だとすると基台部Ｋ８は下部構造となり、白色系色彩部Ｈ８の部位は上部構造となり、赤色系色彩部Ｒ８と帯状幾何学部ＨＲ８とシンボルＳ８の部位が第一凹状部になり、緑色系色彩部Ｇ８と帯状幾何学部ＨＧ８の部位が第二凹状部になり、国名Ｎ８の部位が凹状になるように設計された金型を用いて、まず白色系色素を混錬した熱硬化性樹脂を注入し押圧しながら熱硬化させ、生じた、第一凹状部に赤色系色素を混錬した熱硬化性樹脂を注入し、第二凹状部に緑色系色彩の色素を混錬した熱硬化性樹脂を注入し、押圧しながら熱硬化させた後に、金型を取り外すことで、国名Ｎ８の部位は凹状に、また赤色系色彩部Ｒ８と帯状幾何学部ＨＲ８と緑色系色彩部Ｇ８と帯状幾何学部ＨＧ８とまたシンボルＳ８の輪郭は切り込み状に形成されることになる。次に基台部Ｋ８にはシルク印刷手段を介して灰色系色彩のドットで構成した世界地図ＭＧを印刷する。
【実施例９】
【００４９】  図９を用いて、本考案で記載された考案の内容に基づいて実施例９を説明する。まずこの図は、熱硬化性樹脂を用いて円盤状で薄板状に形成された敷き具Ｃ９を説明する３点図であり、「ＭＡＬＡＹＳＩＡ」と示された国名Ｎ９の国旗をモチーフにして形成した意匠を用いている。該３点図の上端に示した図は敷き具Ｃ９の表面部Ｃ９（ａ）を示し、下端に示した図は敷き具Ｃ９の裏面部Ｃ９（ｃ）を示し、敷き具表面部Ｃ９（ａ）と敷き具裏面部Ｃ９（ｃ）の間には敷き具Ｃ９の側面部Ｃ９（ｂ）を示している。次に敷き具表面部Ｃ９（ａ）に、７つの棒状体である赤色系色彩部Ｒ９と赤色系色彩部Ｒ９と平行に隣接して設けられる白色系色彩部Ｈ９と、敷き具表面部Ｃ９（ａ）の端部に設けた黄色系色彩で示した三日月型と太陽型とを組み合わせたシンボルＳ９と、シンボルＳ９の周辺に設けた紺色系色彩周辺部ＤＢ９で形成され、赤色系色彩部Ｒ９の一つに国名Ｎ９の文字が凹状になるように設けられる。次に敷き具裏面部Ｃ９（ｃ）は赤色系色彩を用いて基台部Ｋ９となり、側面部Ｃ９（ｂ）が２層構造だとすると基台部Ｋ９は下部構造となり、赤色系色彩部Ｒ９の部位は上部構造となり、白色系色彩部Ｈ９の部位が第一凹状部になり、紺色系色彩周辺部ＤＢ９の部位が第二凹状部になり、シンボルＳ９の部位が第三凹状部になり、国名Ｎ９の部位が凹状になるように、設計された金型を用いて、まず赤色系色素を混錬した熱硬化性樹脂を注入し押圧しながら熱硬化させ、生じた、第一凹状部に白色系色素を混錬した熱硬化性樹脂を注入し、第二凹状部に紺色系色素を混錬した熱硬化性樹脂を注入し、第三凹状部に黄色系色彩の色素を混錬した熱硬化性樹脂を注入し押圧しながら熱硬化させた後に、金型を取り外すことで、国名Ｎ９の部位は凹状に、またシンボルＳ９の輪郭と紺色系色彩周辺部ＤＢ９と赤色系色彩部Ｒ９と白色系色彩部Ｈ９の境界は切り込み状に形成されることになる。次に基台部Ｋ９にはシルク印刷手段を介して白色系色彩のドットで構成した世界地図ＭＨを印刷する。
【実施例１０】
【００５０】  図１０を用いて、本考案で記載された考案の内容に基づいて実施例１０を説明する。まずこの図は、熱硬化性樹脂を用いて円盤状で薄板状に形成された敷き具Ｃ１０を説明する３点図であり、「ＭＯＮＧＯＬＩＡ」と示された国名Ｎ１０の国旗をモチーフにして形成した意匠を用いている。該３点図の上端に示した図は敷き具Ｃ１０の表面部Ｃ１０（ａ）を示し、下端に示した図は敷き具Ｃ１０の裏面部Ｃ１０（ｃ）を示し、敷き具表面部Ｃ１０（ａ）と敷き具裏面部Ｃ１０（ｃ）の間には敷き具Ｃ１０の側面部Ｃ１０（ｂ）を示している。次に敷き具表面部Ｃ１０（ａ）は、概略３分割されている構造であり、一端部が赤色系色彩部Ｒ１０であり、他端部も赤色系色彩部Ｒ１０であり、この２つの間には紺色系色彩部ＤＢ１０が設けられ、一端部の赤色系色彩部Ｒ１０には黄色系色彩でかつ幾何学模様で構成されたシンボルＳ１０が設けられ、紺色系色彩部ＤＢ１０の任意部位に国名Ｎ１０の文字が凹状になるように設けられる。次に敷き具裏面部Ｃ１０（ｃ）は紺色系色彩を用いて基台部Ｋ１０となり、側面部Ｃ１０（ｂ）が２層構造だとすると基台部Ｋ１０は下部構造となり、紺色系色彩部ＤＢ１０の部位は上部構造となり、一端部の赤色系色彩部Ｒ１０の部位が第一凹状部になり、他端部の赤色系色彩部Ｒ１０の部位が第二凹状部になり、シンボルＳ１０の部位が第三凹状部になり、国名Ｎ１０の部位が凹状になるように設計された金型を用いて、まず紺色系色素を混錬した熱硬化性樹脂を注入し押圧しながら熱硬化させ、生じた第一凹状部と第二凹状部に赤色系色素を混錬した熱硬化性樹脂を注入し押圧しながら熱硬化させ、生じた第三凹状部に黄色系色素を混錬した熱硬化性樹脂を注入し、押圧しながら熱硬化させた後に金型を取り外すことで、国名Ｎ１０の部位は凹状に、紺色系色彩部ＤＢ１０と両端の赤色系色彩部Ｒ１０の境界とシンボルＳ１０の輪郭は切り込み状に形成されることになる。次に基台部Ｋ１０にはシルク印刷手段を介して白色系色彩のドットで構成した世界地図ＭＨを印刷する。
【実施例１１】
【００５１】  図１１を用いて、本考案で記載された考案の内容に基づいて実施例１１を説明する。まずこの図は、熱硬化性樹脂を用いて円盤状で薄板状に形成された敷き具Ｃ１１を説明する３点図であり、「ＳＩＮＧＡＰＯＲＥ」と示された国名Ｎ１１の国旗をモチーフにして形成した意匠を用いている。該３点図の上端に示した図は敷き具Ｃ１１の表面部Ｃ１１（ａ）を示し、下端に示した図は敷き具Ｃ１１の裏面部Ｃ１１（ｃ）を示し、敷き具表面部Ｃ１１（ａ）と敷き具裏面部Ｃ１１（ｃ）の間には敷き具Ｃ１１の側面部Ｃ１１（ｂ）を示している。次に敷き具表面部Ｃ１１（ａ）は、白色系色彩部Ｈ１１と赤色系色彩部Ｒ１１で概略２分割された構造であり、赤色系色彩部Ｒ１１には白色系色彩で示した三日月と５つの星とを組み合わせたシンボルＳ１１と、白色系色彩部Ｈ１１の任意の部位には国名Ｎ１１の文字が凹状になるように形成される。次に敷き具裏面部Ｃ１１（ｃ）は赤色系色彩を用いて基台部Ｋ１１となり、側面部Ｃ１１（ｂ）が２層構造だとすると基台部Ｋ１１は下部構造となり、赤色系色彩部Ｒ１１の部位は上部構造となり、白色系色彩部Ｈ１１の部位が第一凹状部になり、シンボルＳ１１の部位が第二凹状部になり、国名Ｎ１１の部位が凹状になるように設計された金型を用いて、まず赤色系色彩の色素を混錬した熱硬化性樹脂を注入し押圧しながら熱硬化させ、生じた第一凹状部と第二凹状部に白色系色彩の色素を混錬した熱硬化性樹脂を注入し押圧しながら熱硬化させた後に、金型を取り外すことで、国名Ｎ１１の部位は凹状に、またシンボルＳ１１の輪郭と赤色系色彩部Ｒ１１と白色系色彩部Ｈ１１の境界は切り込み状に形成されることになる。次に基台部Ｋ１１にはシルク印刷手段を介して白色系色彩のドットで構成した世界地図ＭＨを印刷する。
【実施例１２】
【００５２】  図１２を用いて、本考案で記載された考案の内容に基づいて実施例１２を説明する。まずこの図は、熱硬化性樹脂を用いて円盤状で薄板状に形成された敷き具Ｃ１２を説明する３点図であり、「ＳＲＩＬＡＮＫＡ」と示された国名Ｎ１２の国旗をモチーフにして形成した意匠を用いている。該３点図の上端に示した図は敷き具Ｃ１２の表面部Ｃ１２（ａ）を示し、下端に示した図は敷き具Ｃ１２の裏面部Ｃ１２（ｃ）を示し、敷き具表面部Ｃ１２（ａ）と敷き具裏面部Ｃ１２（ｃ）の間には敷き具Ｃ１２の側面部Ｃ１２（ｂ）を示している。次に敷き具表面部Ｃ１２（ａ）は、略中央付近に、方形の緑色系色彩部Ｇ１２と方形の橙色系色彩部Ｄ１２の組合せと、紫色系色彩の方形体の中に黄色系色彩の動物と４点の葉を配したシンボルＳ１２を配置し、緑色系色彩部Ｇ１２と橙色系色彩部Ｄ１２の組合せとシンボルＳ１２の周辺には黄色系色彩周辺部Ｙ１２で構成され、黄色系色彩周辺部Ｙ１２の任意部位に国名Ｎ１２の文字が凹状になるように設けられる。次に敷き具裏面部Ｃ１２（ｃ）は黄色系色彩を用いて基台部Ｋ１２となり、側面部Ｃ１２（ｂ）が２層構造だとすると基台部Ｋ１２は下部構造となり、黄色系色彩周辺部Ｙ１２の部位は上部構造となり、シンボルＳ１２の部位が第一凹状部になり、緑色系色彩部Ｇ１２の部位が第二凹状部になり、橙色系色彩部Ｄ１２の部位が第三凹状部になり、国名Ｎ１２の部位が凹状になるように設計された金型を用いて、まず黄色系色素を混錬した熱硬化性樹脂を注入し押圧しながら熱硬化させ、生じた、第一凹状部に紫色系色素を混錬した熱硬化性樹脂を注入し、第二凹状部に緑色系色素を混錬した熱硬化性樹脂を注入し、第三凹状部に橙色系色素を混錬した熱硬化性樹脂を注入し、押圧しながら熱硬化させた後に金型を取り外すことで、国名Ｎ１２の部位は凹状に、シンボルＳ１２と緑色系色彩部Ｇ１２と橙色系色彩部Ｄ１２の輪郭は切り込み状に形成されることになる。次に基台部Ｋ１２にはシルク印刷手段を介して白色系色彩のドットで構成した世界地図ＭＨを印刷する。
【実施例１３】
【００５３】  図１３を用いて、本考案で記載された考案の内容に基づいて実施例１３を説明する。まずこの図は、熱硬化性樹脂を用いて円盤状で薄板状に形成された敷き具Ｃ１３を説明する３点図であり、「ＴＵＲＫＥＹ」と示された国名Ｎ１３の国旗をモチーフにして形成した意匠を用いている。該３点図の上端に示した図は敷き具Ｃ１３の表面部Ｃ１３（ａ）を示し、下端に示した図は敷き具Ｃ１３の裏面部Ｃ１３（ｃ）を示し、敷き具表面部Ｃ１３（ａ）と敷き具裏面部Ｃ１３（ｃ）の間には敷き具Ｃ１３の側面部Ｃ１３（ｂ）を示している。次に敷き具表面部Ｃ１３（ａ）は、概略中央付近に三日月状の白色系色彩部Ｈ１３と星型状の白色系色彩部Ｈ１３が配置された構造であり、三日月状の白色系色彩部Ｈ１３と星型状の白色系色彩部Ｈ１３の周辺は赤色系色彩周辺部Ｒ１３で構成され、赤色系色彩周辺部Ｒ１３の任意の部位には国名Ｎ１３の文字が凹状になるように形成される。次に敷き具裏面部Ｃ１３（ｃ）は赤色系色彩を用いて基台部Ｋ１３となり、側面部Ｃ１３（ｂ）が２層構造だとすると基台部Ｋ１３は下部構造となり、赤色系色彩周辺部Ｒ１３の部位は上部構造となり、三日月状の白色系色彩部Ｈ１３の部位が第一凹状部になり、星型状の白色系色彩部Ｈ１３の部位が第二凹状部になり、国名Ｎ１３の部位が凹状になるように設計された金型を用いて、まず赤色系色素を混錬した熱硬化性樹脂を注入し押圧しながら熱硬化させ、生じた第一凹状部と第二凹状部に白色系色素を混錬した熱硬化性樹脂を注入し押圧しながら熱硬化させた後に、金型を取り外すことで、国名Ｎ１３は凹状に、また白色系色彩部Ｈ１３の輪郭が切り込み状に形成されることになる。次に基台部Ｋ１３にはシルク印刷手段を介して白色系色彩のドットで構成した世界地図ＭＨを印刷する。
【実施例１４】
【００５４】  図１４を用いて、本考案で記載された考案の内容に基づいて実施例１４を説明する。まずこの図は、熱硬化性樹脂を用いて円盤状で薄板状に形成された敷き具Ｃ１４を説明する３点図であり、「ＶＩＥＴＮＡＭ」と示された国名Ｎ１４の国旗をモチーフにして形成した意匠を用いている。該３点図の上端に示した図は敷き具Ｃ１４の表面部Ｃ１４（ａ）を示し、下端に示した図は敷き具Ｃ１４の裏面部Ｃ１４（ｃ）を示し、敷き具表面部Ｃ１４（ａ）と敷き具裏面部Ｃ１４（ｃ）の間には敷き具Ｃ１４の側面部Ｃ１４（ｂ）を示している。次に敷き具表面部Ｃ１４（ａ）は、概略中央付近に星型状の黄色系色彩部Ｙ１４が配置され、黄色系色彩部Ｙ１４の周辺は赤色系色彩周辺部Ｒ１４で構成され、赤色系色彩周辺部Ｒ１４の任意の部位には国名Ｎ１４の文字が凹状になるように形成される。次に敷き具裏面部Ｃ１４（ｃ）は赤色系色彩を用いて基台部Ｋ１４となり、側面部Ｃ１４（ｂ）が２層構造だとすると基台部Ｋ１４は下部構造となり、赤色系色彩周辺部Ｒ１４の部位は上部構造となり、黄色系色彩部Ｙ１４の部位が凹状部になり、国名Ｎ１４の部位が凹状になるように設計された金型を用いて、まず赤色系色素を混錬した熱硬化性樹脂を注入し押圧しながら熱硬化させ、生じた凹状部に黄色系色素を混錬した熱硬化性樹脂を注入し押圧しながら熱硬化させた後に、金型を取り外すことで、国名Ｎ１４の部位は凹状に、黄色系色彩部Ｙ１４の輪郭が切り込み状に形成されることになる。次に基台部Ｋ１４にはシルク印刷手段を介して白色系色彩のドットで構成した世界地図ＭＨを印刷する。
【実施例１５】
【００５５】  図１５を用いて、本考案で記載された考案の内容に基づいて実施例１５を説明する。まずこの図は、熱硬化性樹脂を用いて円盤状で薄板状に形成された敷き具Ｃ１５を説明する３点図であり、「ＹＥＭＥＮ」と示された国名Ｎ１５の国旗をモチーフにして形成した意匠を用いている。該３点図の上端に示した図は敷き具Ｃ１５の表面部Ｃ１５（ａ）を示し、下端に示した図は敷き具Ｃ１５の裏面部Ｃ１５（ｃ）を示し、敷き具表面部Ｃ１５（ａ）と敷き具裏面部Ｃ１５（ｃ）の間には敷き具Ｃ１５の側面部Ｃ１５（ｂ）を示している。次に敷き具表面部Ｃ１５（ａ）は、概略３分割されており、一端部が黒色系色彩部Ｂｋ１５で、他端部が赤色系色彩部Ｒ１５で、黒色系色彩部Ｂｋ１５と赤色系色彩部Ｒ１５の間には白色系色彩部Ｈ１５で構成され、黒色系色彩部Ｂｋ１５の任意部位に国名Ｎ１５の文字が凹状になるように形成される。次に敷き具裏面部Ｃ１５（ｃ）は白色系色彩を用いて基台部Ｋ１５となり、側面部Ｃ１５（ｂ）が２層構造だとすると基台部Ｋ１５は下部構造となり、白色系色彩部Ｈ１５の部位は上部構造となり、黒色系色彩部Ｂｋ１５の部位が第一凹状部になり、赤色系色彩部Ｒ１５の部位が第二凹状部になり、国名Ｎ１５の部位が凹状になるように設計された金型を用いて、まず白色系色素を混錬した熱硬化性樹脂を注入し押圧しながら熱硬化させ、生じた、第一凹状部に黒色系色素を混錬した熱硬化性樹脂を注入し、第二凹状部に赤色系色素を混錬した熱硬化性樹脂を注入し、押圧しながら熱硬化させた後に、金型を取り外すことで、国名Ｎ１５は凹状に、また黒色系色彩部Ｂｋ１５と白色系色彩部Ｈ１５と赤色系色彩部Ｒ１５の境界が切り込み状に形成されることになる。次に基台部Ｋ１５にはシルク印刷手段を介して灰色系色彩のドットで構成した世界地図ＭＧを印刷する。
【実施例１６】
【００５６】  図１６を用いて、本考案で記載された考案の内容に基づいて実施例１６を説明する。まずこの図は、熱硬化性樹脂を用いて円盤状で薄板状に形成された敷き具Ｃ１６を説明する３点図であり、「ＤＥＮＭＡＲＫ」と示された国名Ｎ１６の国旗をモチーフにして形成した意匠を用いている。該３点図の上端に示した図は敷き具Ｃ１６の表面部Ｃ１６（ａ）を示し、下端に示した図は敷き具Ｃ１６の裏面部Ｃ１６（ｃ）を示し、敷き具表面部Ｃ１６（ａ）と敷き具裏面部Ｃ１６（ｃ）の間には敷き具Ｃ１６の側面部Ｃ１６（ｂ）を示している。次に敷き具表面部Ｃ１６（ａ）の略中央付近に十字形状の白色系色彩部Ｈ１６とその周辺を占める赤色系色彩周辺部Ｒ１６で形成され、表面部Ｃ１６（ａ）の任意部位に国名Ｎ１６の文字が凹状になるように形成される。次に敷き具裏面部Ｃ１６（ｃ）は赤色系色彩を用いて基台部Ｋ１６となり、側面部Ｃ１６（ｂ）が２層構造だとすると基台部Ｋ１６は下部構造となり、赤色系色彩周辺部Ｒ１６の部位は上部構造となり、白色系色彩部Ｈ１６の部位が十字形状の凹状部になるように、また国名Ｎ１６の文字が凹状になるように設計された金型を用いて、まず赤色系色素を混錬した熱硬化性樹脂を注入し押圧しながら熱硬化させ、生じた十字形状の凹状部には白色系色素を混錬した熱硬化性樹脂を注入し押圧しながら熱硬化させた後に、金型を取り外すことで、国名Ｎ１６の部位は凹状に、また白色系色彩部Ｈ１６の輪郭は切り込み状に形成されることになる。次に基台部Ｋ１６にはシルク印刷手段を介して白色系色彩のドットで構成した世界地図ＭＨを印刷する。
【実施例１７】
【００５７】  図１７を用いて、本考案で記載された考案の内容に基づいて実施例１７を説明する。まずこの図は、熱硬化性樹脂を用いて円盤状で薄板状に形成された敷き具Ｃ１７を説明する３点図であり、「ＦＩＮＬＡＮＤ」と示された国名Ｎ１７の国旗をモチーフにして形成した意匠を用いている。該３点図の上端に示した図は敷き具Ｃ１７の表面部Ｃ１７（ａ）を示し、下端に示した図は敷き具Ｃ１７の裏面部Ｃ１７（ｃ）を示し、敷き具表面部Ｃ１７（ａ）と敷き具裏面部Ｃ１７（ｃ）の間には敷き具Ｃ１７の側面部Ｃ１７（ｂ）を示している。次に敷き具表面部Ｃ１７（ａ）の略中央付近に十字形状の紺色系色彩部ＤＢ１７とその周辺を占める白色系色彩周辺部Ｈ１７で形成され、表面部Ｃ１７（ａ）の任意部位に国名Ｎ１７の文字が凹状になるように形成される。次に敷き具裏面部Ｃ１７（ｃ）は白色系色彩を用いて基台部Ｋ１７となり、側面部Ｃ１７（ｂ）が２層構造だとすると基台部Ｋ１７は下部構造となり、白色系色彩周辺部Ｈ１７の部位は上部構造となり、紺色系色彩部ＤＢ１７の部位が十字形状の凹状部になるように、国名Ｎ１７の文字が凹状になるように設計された金型を用いて、まず白色系色素を混錬した熱硬化性樹脂を注入し押圧しながら熱硬化させ、生じた十字形状の凹状部には紺色系色素を混錬した熱硬化性樹脂を注入し押圧しながら熱硬化させた後に、金型を取り外すことで、国名Ｎ１７の部位は凹状に、また紺色系色彩部ＤＢ１７の輪郭は切り込み状に形成されることになる。次に基台部Ｋ１７にはシルク印刷手段を介して灰色系色彩のドットで構成した世界地図ＭＧを印刷する。
【実施例１８】
【００５８】  図１８を用いて、本考案で記載された考案の内容に基づいて実施例１８を説明する。まずこの図は、熱硬化性樹脂を用いて円盤状で薄板状に形成された敷き具Ｃ１８を説明する３点図であり、「ＦＲＡＮＣＥ」と示された国名Ｎ１８の国旗をモチーフにして形成した意匠を用いている。該３点図の上端に示した図は敷き具Ｃ１８の表面部Ｃ１８（ａ）を示し、下端に示した図は敷き具Ｃ１８の裏面部Ｃ１８（ｃ）を示し、敷き具表面部Ｃ１８（ａ）と敷き具裏面部Ｃ１８（ｃ）の間には敷き具Ｃ１８の側面部Ｃ１８（ｂ）を示している。次に敷き具表面部Ｃ１８（ａ）は、概略３分割されており、一端部が紺色系色彩部ＤＢ１８で、他端部が赤色系色彩部Ｒ１８で、紺色系色彩部ＤＢ１８と赤色系色彩部Ｒ１８の間には白色系色彩部Ｈ１８で構成され、白色系色彩部Ｈ１８の任意部位に国名Ｎ１８の文字が凹状になるように形成される。次に敷き具裏面部Ｃ１８（ｃ）は白色系色彩を用いて基台部Ｋ１８となり、側面部Ｃ１８（ｂ）が２層構造だとすると基台部Ｋ１８は下部構造となり、白色系色彩部Ｈ１８の部位は上部構造となり、紺色系色彩部ＤＢ１８の部位が第一凹状部になり、赤色系色彩部Ｒ１８の部位が第二凹状部になり、また国名Ｎ１８の文字が凹状になるように設計された金型を用いて、まず白色系色素を混錬した熱硬化性樹脂を注入し押圧しながら熱硬化させ、生じた、第一凹状部に紺色系色素を混錬した熱硬化性樹脂を注入し、第二凹状部に赤色系色素を混錬した熱硬化性樹脂を注入し押圧しながら熱硬化させた後に、金型を取り外すことで、国名Ｎ１８は凹状に、また紺色系色彩部ＤＢ１８と白色系色彩部Ｈ１８と赤色系色彩部Ｒ１８の境界が切り込み状に形成されることになる。次に基台部Ｋ１８にはシルク印刷手段を介して灰色系色彩のドットで構成した世界地図ＭＧを印刷する。
【実施例１９】
【００５９】  図１９を用いて、本考案で記載された考案の内容に基づいて実施例１９を説明する。まずこの図は、熱硬化性樹脂を用いて円盤状で薄板状に形成された敷き具Ｃ１９を説明する３点図であり、「ＧＥＲＭＡＮＹ」と示された国名Ｎ１９の国旗をモチーフにして形成した意匠を用いている。該３点図の上端に示した図は敷き具Ｃ１９の表面部Ｃ１９（ａ）を示し、下端に示した図は敷き具Ｃ１９の裏面部Ｃ１９（ｃ）を示し、敷き具表面部Ｃ１９（ａ）と敷き具裏面部Ｃ１９（ｃ）の間には敷き具Ｃ１９の側面部Ｃ１９（ｂ）を示している。次に敷き具表面部Ｃ１９（ａ）は、概略３分割されており、一端部が黒色系色彩部Ｂｋ１９で、他端部が黄色系色彩部Ｙ１９で、黒色系色彩部Ｂｋ１９と黄色系色彩部Ｙ１９の間には赤色系色彩部Ｒ１９で構成され、黄色系色彩部Ｙ１９の任意部位に国名Ｎ１９の文字が凹状になるように形成される。次に敷き具裏面部Ｃ１９（ｃ）は赤色系色彩を用いて基台部Ｋ１９となり、側面部Ｃ１９（ｂ）が２層構造だとすると基台部Ｋ１９は下部構造となり、赤色系色彩部Ｒ１９の部位は上部構造となり、黒色系色彩部Ｂｋ１９の部位が第一凹状部になり、黄色系色彩部Ｙ１９の部位が第二凹状部になり、国名Ｎ１９の文字が凹状になるように設計された金型を用いて、まず赤色系色素を混錬した熱硬化性樹脂を注入し押圧しながら熱硬化させ、生じた、第一凹状部に黒色系色素を混錬した熱硬化性樹脂を注入し、第二凹状部に黄色系色素を混錬した熱硬化性樹脂を注入し押圧しながら熱硬化させた後に、金型を取り外すことで、国名Ｎ１９の部位は凹状に、また黒色系色彩部Ｂｋ１９と赤色系色彩部Ｒ１９と黄色系色彩部Ｙ１９の境界が切り込み状に形成されることになる。次に基台部Ｋ１９にはシルク印刷手段を介して白色系色彩のドットで構成した世界地図ＭＨを印刷する。
【実施例２０】
【００６０】  図２０を用いて、本考案で記載された考案の内容に基づいて実施例２０を説明する。まずこの図は、熱硬化性樹脂を用いて円盤状で薄板状に形成された敷き具Ｃ２０を説明する３点図であり、「ＩＴＡＬＹ」と示された国名Ｎ２０の国旗をモチーフにして形成した意匠を用いている。該３点図の上端に示した図は敷き具Ｃ２０の表面部Ｃ２０（ａ）を示し、下端に示した図は敷き具Ｃ２０の裏面部Ｃ２０（ｃ）を示し、敷き具表面部Ｃ２０（ａ）と敷き具裏面部Ｃ２０（ｃ）の間には敷き具Ｃ２０の側面部Ｃ２０（ｂ）を示している。次に敷き具表面部Ｃ２０（ａ）は、概略３分割されており、一端部が緑色系色彩部Ｇ２０で、他端部が赤色系色彩部Ｒ２０で、緑色系色彩部Ｇ２０と赤色系色彩部Ｒ２０の間には白色系色彩部Ｈ２０で構成され、白色系色彩部Ｈ２０の任意部位に国名Ｎ２０の文字が凹状になるように形成される。次に敷き具裏面部Ｃ２０（ｃ）は白色系色彩を用いて基台部Ｋ２０となり、側面部Ｃ２０（ｂ）が２層構造だとすると基台部Ｋ２０は下部構造となり、白色系色彩部Ｈ２０の部位は上部構造となり、緑色系色彩部Ｇ２０の部位が第一凹状部になり、赤色系色彩部Ｒ２０の部位が第二凹状部になり、また国名Ｎ２０の文字が凹状になるように設計された金型を用いて、まず白色系色素を混錬した熱硬化性樹脂を注入し押圧しながら熱硬化させ、生じた、第一凹状部に緑色系色素を混錬した熱硬化性樹脂を注入し、第二凹状部に赤色系色素を混錬した熱硬化性樹脂を注入し押圧しながら熱硬化させた後に、金型を取り外すことで、国名Ｎ２０の部位は凹状に、また緑色系色彩部Ｇ２０と白色系色彩部Ｈ２０と赤色系色彩部Ｒ２０の境界が切り込み状に形成されることになる。次に基台部Ｋ２０にはシルク印刷手段を介して灰色系色彩のドットで構成した世界地図ＭＧを印刷する。
【実施例２１】
【００６１】  図２１を用いて、本考案で記載された考案の内容に基づいて実施例２１を説明する。まずこの図は、熱硬化性樹脂を用いて円盤状で薄板状に形成された敷き具Ｃ２１を説明する３点図であり、「ＮＯＲＷＡＹ」と示された国名Ｎ２１の国旗をモチーフにして形成した意匠を用いている。該３点図の上端に示した図は敷き具Ｃ２１の表面部Ｃ２１（ａ）を示し、下端に示した図は敷き具Ｃ２１の裏面部Ｃ２１（ｃ）を示し、敷き具表面部Ｃ２１（ａ）と敷き具裏面部Ｃ２１（ｃ）の間には敷き具Ｃ２１の側面部Ｃ２１（ｂ）を示している。次に敷き具表面部Ｃ２１（ａ）の略中央付近に十字形状の紺色系色彩部ＤＢ２１と紺色系色彩部ＤＢ２１の周囲を十字形状に囲った白色系色彩周囲部Ｈ２１と白色系色彩周囲部Ｈ２１の周辺を占める赤色系色彩周辺部Ｒ２１で形成され、表面部Ｃ２１（ａ）の任意部位に国名Ｎ２１の文字が凹状になるように形成される。次に敷き具裏面部Ｃ２１（ｃ）は赤色系色彩を用いて基台部Ｋ２１となり、側面部Ｃ２１（ｂ）が２層構造だとすると基台部Ｋ２１は下部構造となり、赤色系色彩周辺部Ｒ２１の部位は上部構造となり、紺色系色彩部ＤＢ２１の部位が十字形状の第一凹状部になるように、また白色系色彩周囲部Ｈ２１の部位が中抜き十字形状の第二凹状部になるように、また国名Ｎ２１の文字が凹状になるように設計された金型を用いて、まず赤色系色素を混錬した熱硬化性樹脂を注入し押圧しながら熱硬化させ、生じた第一凹状部に紺色系色素を混錬した熱硬化性樹脂を注入し押圧しながら熱硬化させ、生じた第二凹状部に白色系色素を混錬した熱硬化性樹脂を注入し押圧しながら熱硬化させた後に、金型を取り外すことで、国名Ｎ２１は凹状に、また紺色系色彩部ＤＢ２１と白色系色彩周囲部Ｈ２１の輪郭は切り込み状に形成されることになる。次に基台部Ｋ２１にはシルク印刷手段を介して白色系色彩のドットで構成した世界地図ＭＨを印刷する。
【実施例２２】
【００６２】  図２２を用いて、本考案で記載された考案の内容に基づいて実施例２２を説明する。まずこの図は、熱硬化性樹脂を用いて円盤状で薄板状に形成された敷き具Ｃ２２を説明する３点図であり、「ＳＰＡＩＮ」と示された国名Ｎ２２の国旗をモチーフにして形成した意匠を用いている。該３点図の上端に示した図は敷き具Ｃ２２の表面部Ｃ２２（ａ）を示し、下端に示した図は敷き具Ｃ２２の裏面部Ｃ２２（ｃ）を示し、敷き具表面部Ｃ２２（ａ）と敷き具裏面部Ｃ２２（ｃ）の間には敷き具Ｃ２２の側面部Ｃ２２（ｂ）を示している。次に敷き具表面部Ｃ２２（ａ）は、概略３分割されており、左から見て一端部が赤色系色彩部Ｒ２２で、他端部が赤色系色彩部Ｒ２２で、一端部赤色系色彩部Ｒ２２と他端部赤色系色彩部Ｒ２２の間には黄色系色彩部Ｙ２２で、黄色系色彩部Ｙ２２の中には赤色系色彩と黄色系色彩と白色系色彩と紺色系色彩とピンク色系色彩で構成されたシンボルＳ２２と、一端部赤色系色彩部Ｒ２２の任意部位に国名Ｎ２２の文字が凹状になるように形成される。次に敷き具裏面部Ｃ２２（ｃ）は黄色系色彩を用いて基台部Ｋ２２となり、側面部Ｃ２２（ｂ）が２層構造だとすると基台部Ｋ２２は下部構造となり、黄色系色彩部Ｙ２２の部位は上部構造となり、一端部赤色系色彩部Ｒ２２の部位が第一凹状部になり、他端部赤色系色彩部Ｒ２２の部位が第二凹状部になり、シンボルＳ２２の赤色系色彩と黄色系色彩と白色系色彩と紺色系色彩とピンク色系色彩の夫々の部位が多色凹状部になり、国名Ｎ２２の文字が凹状になるように設計された金型を用いて、まず黄色系色素を混錬した熱硬化性樹脂を注入し押圧しながら熱硬化させ、生じた第一凹状部と第二凹状部と多色凹状部に赤色系色素を混錬した熱硬化性樹脂を注入し押圧しながら熱硬化させ、次に多色凹状部に白色系色素を混錬した熱硬化性樹脂を注入し、また紺色系色素を混錬した熱硬化性樹脂を注入し、またピンク系色素を混錬した熱硬化性樹脂を注入し、押圧しながら熱硬化させた後に、金型を取り外すことで、国名Ｎ２２の部位は凹状に、また一端部赤色系色彩部Ｒ２２や他端部赤色系色彩部Ｒ２２と黄色系色彩部Ｙ２２の境界、シンボルＳ２２の輪郭が切り込み状に形成されることになる。次に基台部Ｋ２２にはシルク印刷手段を介して白色系色彩のドットで構成した世界地図ＭＨを印刷する。
【実施例２３】
【００６３】  図２３を用いて、本考案で記載された考案の内容に基づいて実施例２３を説明する。まずこの図は、熱硬化性樹脂を用いて円盤状で薄板状に形成された敷き具Ｃ２３を説明する３点図であり、「ＳＷＥＤＥＮ」と示された国名Ｎ２３の国旗をモチーフにして形成した意匠を用いている。該３点図の上端に示した図は敷き具Ｃ２３の表面部Ｃ２３（ａ）を示し、下端に示した図は敷き具Ｃ２３の裏面部Ｃ２３（ｃ）を示し、敷き具表面部Ｃ２３（ａ）と敷き具裏面部Ｃ２３（ｃ）の間には敷き具Ｃ２３の側面部Ｃ２３（ｂ）を示している。次に敷き具表面部Ｃ２３（ａ）の略中央付近に十字形状の黄色系色彩部Ｙ２３とその周辺を占める紺色系色彩周辺部ＤＢ２３で形成され、表面部Ｃ２３（ａ）の任意部位に国名Ｎ２３の文字が凹状になるように形成される。次に敷き具裏面部Ｃ２３（ｃ）は紺色系色彩を用いて基台部Ｋ２３となり、側面部Ｃ２３（ｂ）が２層構造だとすると基台部Ｋ２３は下部構造となり、紺色系色彩部ＤＢ２３の部位は上部構造となり、黄色系色彩部Ｙ２３の部位が十字形状の凹状部になるように、また国名Ｎ２３の文字が凹状になるように設計された金型を用いて、まず紺色系色素を混錬した熱硬化性樹脂を注入し押圧しながら熱硬化させ、生じた十字形状の凹状部には黄色系色素を混錬した熱硬化性樹脂を注入し押圧しながら熱硬化させた後に、金型を取り外すことで、国名Ｎ２３の部位は凹状に、また黄色系色彩部Ｙ２３の輪郭は切り込み状に形成されることになる。次に基台部Ｋ２３にはシルク印刷手段を介して白色系色彩のドットで構成した世界地図ＭＨを印刷する。
【実施例２４】
【００６４】  図２４を用いて、本考案で記載された考案の内容に基づいて実施例２４を説明する。まずこの図は、熱硬化性樹脂を用いて円盤状で薄板状に形成された敷き具Ｃ２４を説明する３点図であり、「ＳＷＩＴＺＥＲＬＡＮＤ」と示された国名Ｎ２４の国旗をモチーフにして形成した意匠を用いている。該３点図の上端に示した図は敷き具Ｃ２４の表面部Ｃ２４（ａ）を示し、下端に示した図は敷き具Ｃ２４の裏面部Ｃ２４（ｃ）を示し、敷き具表面部Ｃ２４（ａ）と敷き具裏面部Ｃ２４（ｃ）の間には敷き具Ｃ２４の側面部Ｃ２４（ｂ）を示している。次に敷き具表面部Ｃ２４（ａ）の略中央部に十字形状の白色系色彩部Ｈ２４と白色系色彩部Ｈ２４の周囲を赤色系色彩周辺部Ｒ２４で形成され、赤色系色彩周辺部Ｒ２４の任意部位に国名Ｎ２４の文字が凹状になるように形成される。次に敷き具裏面部Ｃ２４（ｃ）は赤色系色彩を用いて基台部Ｋ２４となり、側面部Ｃ２４（ｂ）が２層構造だとすると基台部Ｋ２４は下部構造となり、赤色系色彩周辺部Ｒ２４の部位は上部構造となり、白色系色彩部Ｈ２４の部位が十字形状の凹状部になるように、また国名Ｎ２４の文字が凹状になるように設計された金型を用いて、まず赤色系色素を混錬した熱硬化性樹脂を注入し押圧しながら熱硬化させ、生じた十字形状の凹状部に白色系色素を混錬した熱硬化性樹脂を注入し押圧しながら熱硬化させた後に、金型を取り外すことで、国名Ｎ２４の部位は凹状に、また白色系色彩部Ｈ２４の輪郭は切り込み状に形成されることになる。次に基台部Ｋ２４にはシルク印刷手段を介して白色系色彩のドットで構成した世界地図ＭＨを印刷する。
【実施例２５】
【００６５】  図２５を用いて、本考案で記載された考案の内容に基づいて実施例２５を説明する。まずこの図は、熱硬化性樹脂を用いて円盤状で薄板状に形成された敷き具Ｃ２５を説明する３点図であり、「ＵＫ」と示された国名Ｎ２５の国旗をモチーフにして形成した意匠を用いている。該３点図の上端に示した図は敷き具Ｃ２５の表面部Ｃ２５（ａ）を示し、下端に示した図は敷き具Ｃ２５の裏面部Ｃ２５（ｃ）を示し、敷き具表面部Ｃ２５（ａ）と敷き具裏面部Ｃ２５（ｃ）の間には敷き具Ｃ２５の側面部Ｃ２５（ｂ）を示している。次に敷き具表面部Ｃ２５（ａ）の略中央付近に＊字形状の赤色系色彩部Ｒ２５と赤色系色彩部Ｒ２５の周囲を囲った白色系色彩周囲部Ｈ２５と白色系色彩周囲部Ｈ２５の周辺を占める紺色系色彩周辺部ＤＢ２５で形成され、赤色系色彩部Ｒ２５の任意部位に国名Ｎ２５の文字が凹状になるように形成される。次に敷き具裏面部Ｃ２５（ｃ）は紺色系色を用いて基台部Ｋ２５となり、側面部Ｃ２５（ｂ）が２層構造だとすると基台部Ｋ２５は下部構造となり、紺色系色彩部ＤＢ２５の部位は上部構造となり、赤色系色彩部Ｒ２５の部位が＊字形状の第一凹状部になるように、また白色系色彩周囲部Ｈ２５の部位が第二凹状部になるように、また国名Ｎ２５の文字が凹状になるように設計された金型を用いて、まず紺色系色素を混錬した熱硬化性樹脂を注入し押圧しながら熱硬化させ、生じた第一凹状部に赤色系色素を混錬した熱硬化性樹脂を注入し押圧しながら熱硬化させ、生じた第二凹状部に白色系色素を混錬した熱硬化性樹脂を注入し押圧しながら熱硬化させた後に、金型を取り外すことで、国名Ｎ２５の部位は凹状に、また赤色系色彩部Ｒ２５と白色系色彩周囲部Ｈ２５の輪郭は切り込み状に形成されることになる。次に基台部Ｋ２５にはシルク印刷手段を介して白色系色彩のドットで構成した世界地図ＭＨを印刷する。
【実施例２６】
【００６６】  図２６を用いて、本考案で記載された考案の内容に基づいて実施例２６を説明する。まずこの図は、熱硬化性樹脂を用いて円盤状で薄板状に形成された敷き具Ｃ２６を説明する３点図であり、「ＢＥＬＧＩＵＭ」と示された国名Ｎ２６の国旗をモチーフにして形成した意匠を用いている。該３点図の上端に示した図は敷き具Ｃ２６の表面部Ｃ２６（ａ）を示し、下端に示した図は敷き具Ｃ２６の裏面部Ｃ２６（ｃ）を示し、敷き具表面部Ｃ２６（ａ）と敷き具裏面部Ｃ２６（ｃ）の間には敷き具Ｃ２６の側面部Ｃ２６（ｂ）を示している。次に敷き具表面部Ｃ２６（ａ）は、概略３分割されており、一端部が黒色系色彩部Ｂｋ２６で、他端部が赤色系色彩部Ｒ２６で、黒色系色彩部Ｂｋ２６と赤色系色彩部Ｒ２６の間には黄色系色彩部Ｙ２６で構成され、黄色系色彩部Ｙ２６の任意部位に国名Ｎ２６の文字が凹状になるように形成される。次に敷き具裏面部Ｃ２６（ｃ）は黄色系色彩を用いて基台部Ｋ２６となり、側面部Ｃ２６（ｂ）が２層構造だとすると基台部Ｋ２６は下部構造となり、黄色系色彩部Ｙ２６の部位は上部構造となり、黒色系色彩部Ｂｋ２６の部位が第一凹状部になり、赤色系色彩部Ｒ２６の部位が第二凹状部になり、また国名Ｎ２６の文字が凹状になるように設計された金型を用いて、まず黄色系色素を混錬した熱硬化性樹脂を注入し押圧しながら熱硬化させ、生じた、第一凹状部に黒色系色素を混錬した熱硬化性樹脂を注入し、第二凹状部に赤色系色素を混錬した熱硬化性樹脂を注入し押圧しながら熱硬化させた後に、金型を取り外すことで、国名Ｎ２６は凹状に、黒色系色彩部Ｂｋ２６と黄色系色彩部Ｙ２６と赤色系色彩部Ｒ２６の境界、が切り込み状に形成されることになる。次に基台部Ｋ２６にはシルク印刷手段を介して白色系色彩のドットで構成した世界地図ＭＨを印刷する。
【実施例２７】
【００６７】  図２７を用いて、本考案で記載された考案の内容に基づいて実施例２７を説明する。まずこの図は、熱硬化性樹脂を用いて円盤状で薄板状に形成された敷き具Ｃ２７を説明する３点図であり、「ＢＯＳＮＩＡ−ＨＥＲＺＥＧＯＶＩＮＡ」と示された国名Ｎ２７の国旗をモチーフにして形成した意匠を用いている。該３点図の上端に示した図は敷き具Ｃ２７の表面部Ｃ２７（ａ）を示し、下端に示した図は敷き具Ｃ２７の裏面部Ｃ２７（ｃ）を示し、敷き具表面部Ｃ２７（ａ）と敷き具裏面部Ｃ２７（ｃ）の間には敷き具Ｃ２７の側面部Ｃ２７（ｂ）を示している。次に敷き具表面部Ｃ２７（ａ）の略中央付近に５つの星形形状の白色系色彩部Ｈ２７とその近傍に図示したような形状の黄色系色彩部Ｙ２７と、白色系色彩部Ｈ２７と黄色系色彩部Ｙ２７の周囲を占める紺色系色彩周辺部ＤＢ２７で構成され、また紺色系色彩周辺部ＤＢ２７の任意部位に国名Ｎ２７の文字が凹状になるように形成される。次に敷き具裏面部Ｃ２７（ｃ）は紺色系色彩を用いて基台部Ｋ２７となり、側面部Ｃ２７（ｂ）が２層構造だとすると基台部Ｋ２７は下部構造となり、紺色系色彩周辺部ＤＢ２７の部位は上部構造となり、白色系色彩部Ｈ２７の５つの星形形状の部位を第一凹状部とし、また黄色系色彩部Ｙ２７の部位を第二凹状部とし、また国名Ｎ２７の文字が凹状になるように設計された金型を用いて、まず紺色系色素を混錬した熱硬化性樹脂を注入し押圧しながら熱硬化させ、生じた第一凹状部に白色系色素を混錬した熱硬化性樹脂と第二凹状部に黄色系色素を混錬した熱硬化性樹脂を注入し押圧しながら熱硬化させ、金型を取り外すことで、国名Ｎ２７の部位は凹状に、また白色系色彩部Ｈ２７と黄色系色彩部Ｙ２７の輪郭は切り込み状に形成されることになる。次に基台部Ｋ２７にはシルク印刷手段を介して白色系色彩のドットで構成した世界地図ＭＨを印刷する。
【実施例２８】
【００６８】  図２８を用いて、本考案で記載された考案の内容に基づいて実施例２８を説明する。まずこの図は、熱硬化性樹脂を用いて円盤状で薄板状に形成された敷き具Ｃ２８を説明する３点図であり、「ＣＲＯＡＴＩＡ」と示された国名Ｎ２８の国旗をモチーフにして形成した意匠を用いている。該３点図の上端に示した図は敷き具Ｃ２８の表面部Ｃ２８（ａ）を示し、下端に示した図は敷き具Ｃ２８の裏面部Ｃ２８（ｃ）を示し、敷き具表面部Ｃ２８（ａ）と敷き具裏面部Ｃ２８（ｃ）の間には敷き具Ｃ２８の側面部Ｃ２８（ｂ）を示している。次に敷き具表面部Ｃ２８（ａ）は、概略３分割されており、左から見て一端部が紺色系色彩部ＤＢ２８で、他端部が赤色系色彩部Ｒ２８で、紺色系色彩部ＤＢ２８と赤色系色彩部Ｒ２８の間には白色系色彩部Ｈ２８で、紺色系色彩部ＤＢ２８の任意部位に国名Ｎ２８の文字が凹状になるように、また敷き具表面部Ｃ２８（ａ）の約中央付近には、図示するような赤色系色彩と白色系色彩と青色系色彩と紺色系色彩と黄色系色彩で構成されたシンボルＳ２８が形成される。次に敷き具裏面部Ｃ２８（ｃ）は白色系色彩を用いて基台部Ｋ２８となり、側面部Ｃ２８（ｂ）が２層構造だとすると基台部Ｋ２８は下部構造となり、白色系色彩部Ｈ２８の部位は上部構造となり、紺色系色彩部ＤＢ２８の部位が第一凹状部になり、赤色系色彩部Ｒ２８の部位が第二凹状部になり、シンボルＳ２８の赤色系色彩と白色系色彩と青色系色彩と紺色系色彩と黄色系色彩の夫々の部位が多色凹状部になり、また国名Ｎ２８の文字が凹状になるように設計された金型を用いて、まず白色系色素を混錬した熱硬化性樹脂を注入し押圧しながら熱硬化させ、生じた、第一凹状部と多色凹状部に紺色系色素を混錬した熱硬化性樹脂を注入し、第二凹状部と多色凹状部に赤色系色素を混錬した熱硬化性樹脂を注入し、多色凹状部に青色系色素を混錬した熱硬化性樹脂を注入し、多色凹状部に黄色系色素を混錬した熱硬化性樹脂を注入し押圧しながら熱硬化させた後に、金型を取り外すことで、国名Ｎ２８の部位は凹状に、また紺色系色彩部ＤＢ２８と白色系色彩部Ｈ２８と赤色系色彩部Ｒ２８との境界、またシンボルＳ２８の輪郭が切り込み状に形成されることになる。次に基台部Ｋ２８にはシルク印刷手段を介して灰色系色彩のドットで構成した世界地図ＭＧを印刷する。
【実施例２９】
【００６９】  図２９を用いて、本考案で記載された考案の内容に基づいて実施例２９を説明する。まずこの図は、熱硬化性樹脂を用いて円盤状で薄板状に形成された敷き具Ｃ２９を説明する３点図であり、「ＥＮＧＬＡＮＤ」と示された国名Ｎ２９の国旗をモチーフにして形成した意匠を用いている。該３点図の上端に示した図は敷き具Ｃ２９の表面部Ｃ２９（ａ）を示し、下端に示した図は敷き具Ｃ２９の裏面部Ｃ２９（ｃ）を示し、敷き具表面部Ｃ２９（ａ）と敷き具裏面部Ｃ２９（ｃ）の間には敷き具Ｃ２９の側面部Ｃ２９（ｂ）を示している。次に敷き具表面部Ｃ１６（ａ）の略中央付近に十字形状の赤色系色彩部Ｒ２９とその周辺を占める白色系色彩周辺部Ｈ２９で形成され、表面部Ｃ２９（ａ）の任意部位に国名Ｎ２９の文字が凹状になるように形成される。次に敷き具裏面部Ｃ２９（ｃ）は白色系色彩を用いて基台部Ｋ２９となり、側面部Ｃ２９（ｂ）が２層構造だとすると基台部Ｋ２９は下部構造となり、白色系色彩周辺部Ｈ２９の部位は上部構造となり、赤色系色彩部Ｒ２９の部位が十字形状の凹状部になるように、また国名Ｎ２９の文字が凹状になるように設計された金型を用いて、まず白色系色素を混錬した熱硬化性樹脂を注入し押圧しながら熱硬化させ、生じた十字形状の凹状部には赤色系色素を混錬した熱硬化性樹脂を注入し押圧しながら熱硬化させた後に、金型を取り外すことで、国名Ｎ２９の部位は凹状に、また赤色系色彩部Ｒ２９の輪郭は切り込み状に形成されることになる。次に基台部Ｋ２９にはシルク印刷手段を介して灰色系色彩のドットで構成した世界地図ＭＧを印刷する。
【実施例３０】
【００７０】  図３０を用いて、本考案で記載された考案の内容に基づいて実施例３０を説明する。まずこの図は、熱硬化性樹脂を用いて円盤状で薄板状に形成された敷き具Ｃ３０を説明する３点図であり、「ＧＲＥＥＣＥ」と示された国名Ｎ３０の国旗をモチーフにして形成した意匠を用いている。該３点図の上端に示した図は敷き具Ｃ３０の表面部Ｃ３０（ａ）を示し、下端に示した図は敷き具Ｃ３０の裏面部Ｃ３０（ｃ）を示し、敷き具表面部Ｃ３０（ａ）と敷き具裏面部Ｃ３０（ｃ）の間には敷き具Ｃ３０の側面部Ｃ３０（ｂ）を示している。次に敷き具表面部Ｃ３０（ａ）には、一つの十字形状と４つの方形での組合せである白色系色彩部Ｈ３０とその周辺を占める紺色系色彩周辺部ＤＢ３０で形成され、表面部Ｃ３０（ａ）の任意部位に国名Ｎ３０の文字が凹状になるように形成される。次に敷き具裏面部Ｃ３０（ｃ）は紺色系色彩を用いて基台部Ｋ３０となり、側面部Ｃ３０（ｂ）が２層構造だとすると基台部Ｋ３０は下部構造となり、紺色系色彩周辺部ＤＢ３０の部位は上部構造となり、白色系色彩部Ｈ３０の部位が一つの十字形状と４つの方形の凹状部になるように、また国名Ｎ３０の文字が凹状になるように設計された金型を用いて、まず紺色系色素を混錬した熱硬化性樹脂を注入し押圧しながら熱硬化させ、生じた一つの十字形状と４つの方形の凹状部には白色系色素を混錬した熱硬化性樹脂を注入し押圧しながら熱硬化させた後に、金型を取り外すことで、国名Ｎ３０の部位は凹状に、また白色系色彩部Ｈ３０の輪郭は切り込み状に形成されることになる。次に基台部Ｋ３０にはシルク印刷手段を介して白色系色彩のドットで構成した世界地図ＭＨを印刷する。
【実施例３１】
【００７１】  図３１を用いて、本考案で記載された考案の内容に基づいて実施例３１を説明する。まずこの図は、熱硬化性樹脂を用いて円盤状で薄板状に形成された敷き具Ｃ３１を説明する３点図であり、「ＨＵＮＧＡＲＹ」と示された国名Ｎ３１の国旗をモチーフにして形成した意匠を用いている。該３点図の上端に示した図は敷き具Ｃ３１の表面部Ｃ３１（ａ）を示し、下端に示した図は敷き具Ｃ３１の裏面部Ｃ３１（ｃ）を示し、敷き具表面部Ｃ３１（ａ）と敷き具裏面部Ｃ３１（ｃ）の間には敷き具Ｃ３１の側面部Ｃ３１（ｂ）を示している。次に敷き具表面部Ｃ３１（ａ）は、概略３分割されており、左から見て一端部が緑系色彩部Ｇ３１で、他端部が赤色系色彩部Ｒ３１で、緑系色彩部Ｇ３１と赤色系色彩部Ｒ３１の間には白色系色彩部Ｈ３１で構成され、緑系色彩部Ｇ３１の任意部位に国名Ｎ３１の文字が凹状になるように形成される。次に敷き具裏面部Ｃ３１（ｃ）は白色系色彩を用いて基台部Ｋ３１となり、側面部Ｃ３１（ｂ）が２層構造だとすると基台部Ｋ３１は下部構造となり、白色系色彩部Ｈ３１の部位は上部構造となり、緑系色彩部Ｇ３１の部位が第一凹状部になり、赤色系色彩部Ｒ３１の部位が第二凹状部になり、また国名Ｎ３１の文字が凹状になるように設計された金型を用いて、まず白色系色素を混錬した熱硬化性樹脂を注入し押圧しながら熱硬化させ、生じた、第一凹状部に緑色系色素を混錬した熱硬化性樹脂を注入し、第二凹状部に赤色系色素を混錬した熱硬化性樹脂を注入し押圧しながら熱硬化させた後に、金型を取り外すことで、国名Ｎ３１は凹状に、また緑系色彩部Ｇ３１と白色系色彩部Ｈ３１の境界と赤色系色彩部Ｒ３１の境界が切り込み状に形成されることになる。次に基台部Ｋ３１にはシルク印刷手段を介して灰色系色彩のドットで構成した世界地図ＭＧを印刷する。
【実施例３２】
【００７２】  図３２を用いて、本考案で記載された考案の内容に基づいて実施例３２を説明する。まずこの図は、熱硬化性樹脂を用いて円盤状で薄板状に形成された敷き具Ｃ３２を説明する３点図であり、「ＮＥＴＨＥＲ  ＬＡＮＤＳ」と示された国名Ｎ３２の国旗をモチーフにして形成した意匠を用いている。該３点図の上端に示した図は敷き具Ｃ３２の表面部Ｃ３２（ａ）を示し、下端に示した図は敷き具Ｃ３２の裏面部Ｃ３２（ｃ）を示し、敷き具表面部Ｃ３２（ａ）と敷き具裏面部Ｃ３２（ｃ）の間には敷き具Ｃ３２の側面部Ｃ３２（ｂ）を示している。次に敷き具表面部Ｃ３２（ａ）は、概略３分割されており、左から見て一端部が紺色系色彩部ＤＢ３２で、他端部が赤色系色彩部Ｒ３２で、紺色系色彩部ＤＢ３２と赤色系色彩部Ｒ３２の間には白色系色彩部Ｈ３２で構成され、紺色系色彩部ＤＢ３２の任意部位に国名Ｎ３２の文字が凹状になるように形成される。次に敷き具裏面部Ｃ３２（ｃ）は白色系色彩を用いて基台部Ｋ３２となり、側面部Ｃ３２（ｂ）が２層構造だとすると基台部Ｋ３２は下部構造となり、白色系色彩部Ｈ３２の部位は上部構造となり、紺色系色彩部ＤＢ３２の部位が第一凹状部になり、赤色系色彩部Ｒ３２の部位が第二凹状部になり、また国名Ｎ３２の文字が凹状になるように設計された金型を用いて、まず白色系色素を混錬した熱硬化性樹脂を注入し押圧しながら熱硬化させ、生じた、第一凹状部に紺色系色素を混錬した熱硬化性樹脂を注入し、第二凹状部に赤色系色素を混錬した熱硬化性樹脂を注入し押圧しながら熱硬化させた後に、金型を取り外すことで、国名Ｎ３２の部位は凹状に、また紺色系色彩部ＤＢ３２と白色系色彩部Ｈ３２と赤色系色彩部Ｒ３２の境界が切り込み状に形成されることになる。次に基台部Ｋ３２にはシルク印刷手段を介して灰色系色彩のドットで構成した世界地図ＭＧを印刷する。
【実施例３３】
【００７３】  図３３を用いて、本考案で記載された考案の内容に基づいて実施例３３を説明する。まずこの図は、熱硬化性樹脂を用いて円盤状で薄板状に形成された敷き具Ｃ３３を説明する３点図であり、「ＰＯＲＴＵＧＡＬ」と示された国名Ｎ３３の国旗をモチーフにして形成した意匠を用いている。該３点図の上端に示した図は敷き具Ｃ３３の表面部Ｃ３３（ａ）を示し、下端に示した図は敷き具Ｃ３３の裏面部Ｃ３３（ｃ）を示し、敷き具表面部Ｃ３３（ａ）と敷き具裏面部Ｃ３３（ｃ）の間には敷き具Ｃ３３の側面部Ｃ３３（ｂ）を示している。次に敷き具表面部Ｃ３３（ａ）は、概略２分割されており、上端部が緑色系色彩部Ｇ３３で、下端部が赤色系色彩部Ｒ３３で、敷き具表面部Ｃ３３（ａ）の任意部位に国名Ｎ３３の文字が凹状になるように、また敷き具表面部Ｃ３３（ａ）の約中央部やや上端寄り付近には、図示するような赤色系色彩と黄色系色彩と白色系色彩と紺色系色彩とで構成されたシンボルＳ３３が形成される。次に敷き具裏面部Ｃ３３（ｃ）は赤色系色彩を用いて基台部Ｋ３３となり、側面部Ｃ３３（ｂ）が２層構造だとすると基台部Ｋ３３は下部構造となり、赤色系色彩部Ｒ３３の部位は上部構造となり、緑色系色彩部Ｇ３３の部位が第一凹状部になり、シンボルＳ３３の赤色系色彩と黄色系色彩と白色系色彩と紺色系色彩の夫々の部位が多色凹状部になり、また国名Ｎ３３の文字が凹状になるように設計された金型を用いて、まず赤色系色素を混錬した熱硬化性樹脂を注入し押圧しながら熱硬化させ、生じた、第一凹状部に緑色系色素を混錬した熱硬化性樹脂を注入し、多色凹状部に黄色系色素を混錬した熱硬化性樹脂を注入し、多色凹状部に白色系色素を混錬した熱硬化性樹脂を注入し、多色凹状部に紺色系色素を混錬した熱硬化性樹脂を注入し、押圧しながら熱硬化させた後に、金型を取り外すことで、国名Ｎ３３の部位は凹状に、また緑色系色彩部Ｇ３３と赤色系色彩部Ｒ３３との境界、またシンボルＳ３３の輪郭が切り込み状に形成されることになる。次に基台部Ｋ３３にはシルク印刷手段を介して白色系色彩のドットで構成した世界地図ＭＨを印刷する。
【実施例３４】
【００７４】  図３４を用いて、本考案で記載された考案の内容に基づいて実施例３４を説明する。まずこの図は、熱硬化性樹脂を用いて円盤状で薄板状に形成された敷き具Ｃ３４を説明する３点図であり、「ＡＲＧＥＮＴＩＮＡ」と示された国名Ｎ３４の国旗をモチーフにして形成した意匠を用いている。該３点図の上端に示した図は敷き具Ｃ３４の表面部Ｃ３４（ａ）を示し、下端に示した図は敷き具Ｃ３４の裏面部Ｃ３４（ｃ）を示し、敷き具表面部Ｃ３４（ａ）と敷き具裏面部Ｃ３４（ｃ）の間には敷き具Ｃ３４の側面部Ｃ３４（ｂ）を示している。次に敷き具表面部Ｃ３４（ａ）は、概略３分割されており、左端部が青色系色彩部Ｂ３４で、右端部が青色系色彩部Ｂ３４で、左端部青色系色彩部Ｂ３４と右端部青色系色彩部Ｂ３４の間には白色系色彩部Ｈ３４で、左端部青色系色彩部Ｂ３４の任意部位に国名Ｎ３４の文字が凹状になるように、また白色系色彩部Ｈ３４の約中央付近には、太陽を擬人化し黄色系色彩と黒色系色彩で構成されたシンボルＳ３４が形成される。次に敷き具裏面部Ｃ３４（ｃ）は青色系色彩を用いて基台部Ｋ３４となり、側面部Ｃ３４（ｂ）が２層構造だとすると基台部Ｋ３４は下部構造となり、左右青色系色彩部Ｂ３４の部位は上部構造となり、白色系色彩部Ｈ３４の部位が第一凹状部になり、シンボルＳ３４のデザインの部位が第二凹状部になり、また国名Ｎ３４の部位が凹状になるように設計された金型を用いて、まず青色系色素を混錬した熱硬化性樹脂を注入し押圧しながら熱硬化させ、生じた、第一凹状部に白色系色素を混錬した熱硬化性樹脂を注入し押圧しながら熱硬化させ、生じた、第二凹状部に黄色系色素を混錬した熱硬化性樹脂を注入し、黒色系色素を混錬した熱硬化性樹脂を注入し押圧しながら熱硬化させた後に、金型を取り外すことで、国名Ｎ３４の部位は凹状に、また両端部の青色系色彩部Ｂ３４と白色系色彩部Ｈ３４との境界、またシンボルＳ３４の輪郭が切り込み状に形成されることになる。次に基台部Ｋ３４にはシルク印刷手段を介して白色系色彩のドットで構成した世界地図ＭＨを印刷する。
【実施例３５】
【００７５】  図３５を用いて、本考案で記載された考案の内容に基づいて実施例３５を説明する。まずこの図は、熱硬化性樹脂を用いて円盤状で薄板状に形成された敷き具Ｃ３５を説明する３点図であり、「ＭＥＸＩＣＯ」と示された国名Ｎ３５の国旗をモチーフにして形成した意匠を用いている。該３点図の上端に示した図は敷き具Ｃ３５の表面部Ｃ３５（ａ）を示し、下端に示した図は敷き具Ｃ３５の裏面部Ｃ３５（ｃ）を示し、敷き具表面部Ｃ３５（ａ）と敷き具裏面部Ｃ３５（ｃ）の間には敷き具Ｃ３５の側面部Ｃ３５（ｂ）を示している。次に敷き具表面部Ｃ３５（ａ）は、概略３分割されており、上端部が緑色系色彩部Ｇ３５で、下端部が赤色系色彩部Ｒ３５で、緑色系色彩部Ｇ３５と赤色系色彩部Ｒ３５の間には白色系色彩部Ｈ３５で、白色系色彩部Ｈ３５の任意部位に国名Ｎ３５の文字が凹状になるように、また白色系色彩部Ｈ３５の約中央付近には、図示するような赤色系色彩と緑色系色彩と黄色系色彩と青色系色彩で構成されたシンボルＳ３５が形成される。次に敷き具裏面部Ｃ３５（ｃ）は白色系色彩を用いて基台部Ｋ３５となり、側面部Ｃ３５（ｂ）が２層構造だとすると基台部Ｋ３５は下部構造となり、白色系色彩部Ｈ３５の部位は上部構造となり、緑色系色彩部Ｇ３５の部位が第一凹状部になり、赤色系色彩部Ｒ３５の部位が第二凹状部になり、シンボルＳ３５の赤色系色彩と緑色系色彩と黄色系色彩と青色系色彩の夫々の部位が多色凹状部になり、また国名Ｎ３５の文字が凹状になるように設計された金型を用いて、まず白色系色素を混錬した熱硬化性樹脂を注入し押圧しながら熱硬化させ、生じた、第一凹状部と多色凹状部に緑色系色素を混錬した熱硬化性樹脂を注入し、第二凹状部と多色凹状部に赤色系色素を混錬した熱硬化性樹脂を注入し、多色凹状部に青色系色素を混錬した熱硬化性樹脂を注入し、多色凹状部に黄色系色素を混錬した熱硬化性樹脂を注入し、押圧しながら熱硬化させた後に金型を取り外すことで、国名Ｎ３５の部位は凹状に、また緑色系色彩部Ｇ３５と白色系色彩部Ｈ３５と赤色系色彩部Ｒ３５との境界、またシンボルＳ３５の輪郭が切り込み状に形成されることになる。次に基台部Ｋ３５にはシルク印刷手段を介して灰色系色彩のドットで構成した世界地図ＭＧを印刷する。
【実施例３６】
【００７６】  図３６を用いて、本考案で記載された考案の内容に基づいて実施例３６を説明する。まずこの図は、熱硬化性樹脂を用いて円盤状で薄板状に形成された敷き具Ｃ３６を説明する３点図であり、「ＢＲＡＺＩＬ」と示された国名Ｎ３６の国旗をモチーフにして形成した意匠を用いている。該３点図の上端に示した図は敷き具Ｃ３６の表面部Ｃ３６（ａ）を示し、下端に示した図は敷き具Ｃ３６の裏面部Ｃ３６（ｃ）を示し、敷き具表面部Ｃ３６（ａ）と敷き具裏面部Ｃ３６（ｃ）の間には敷き具Ｃ３６の側面部Ｃ３６（ｂ）を示している。次に敷き具表面部Ｃ３６（ａ）は、概略中央付近に菱形形状の黄色系色彩部Ｙ３６を配し、黄色系色彩部Ｙ３６の周囲は緑色系色彩部Ｇ３６で占められ、緑色系色彩部Ｇ３６の任意部位に国名Ｎ３６の文字が凹状になるように、また黄色系色彩部Ｙ３６の中には図示するように円形状で紫色系色彩と白色系色彩と緑色系色彩で構成されたシンボルＳ３６が形成される。次に敷き具裏面部Ｃ３６（ｃ）は緑色系色彩を用いて基台部Ｋ３６となり、側面部Ｃ３６（ｂ）が２層構造だとすると基台部Ｋ３６は下部構造となり、緑色系色彩部Ｇ３６とシンボルＳ３６の緑色系色彩の部位は上部構造となり、黄色系色彩部Ｙ３６の部位が第一凹状部になり、シンボルＳ３６の紫色系色彩と白色系色彩と緑色系色の夫々の部位が多色凹状部になり、また国名Ｎ３６の文字が凹状になるように設計された金型を用いて、まず緑色系色素を混錬した熱硬化性樹脂を注入し押圧しながら熱硬化させ、生じた、第一凹状部に黄色系色素を混錬した熱硬化性樹脂を注入し、多色凹状部に紫色系色素を混錬した熱硬化性樹脂を注入し、多色凹状部に白色系色素を混錬した熱硬化性樹脂を注入し、押圧しながら熱硬化させた後に金型を取り外すことで、国名Ｎ３６の部位は凹状に、また黄色系色彩部Ｙ３６の輪郭、またシンボルＳ３６の輪郭が切り込み状に形成されることになる。次に基台部Ｋ３６にはシルク印刷手段を介して白色系色彩のドットで構成した世界地図ＭＨを印刷する。
【実施例３７】
【００７７】  図３７を用いて、本考案で記載された考案の内容に基づいて実施例３７を説明する。まずこの図は、熱硬化性樹脂を用いて円盤状で薄板状に形成された敷き具Ｃ３７を説明する３点図であり、「ＣＨＩＬＥ」と示された国名Ｎ３７の国旗をモチーフにして形成した意匠を用いている。該３点図の上端に示した図は敷き具Ｃ３７の表面部Ｃ３７（ａ）を示し、下端に示した図は敷き具Ｃ３７の裏面部Ｃ３７（ｃ）を示し、敷き具表面部Ｃ３７（ａ）と敷き具裏面部Ｃ３７（ｃ）の間には敷き具Ｃ３７の側面部Ｃ３７（ｂ）を示している。次に敷き具表面部Ｃ３７（ａ）は、略半円形状の赤色系色彩部Ｒ３７と、略１／４円形状の紺色系色彩部ＤＢ３７と、略１／４円形状の白色系色彩部Ｈ３７で構成され、また赤色系色彩部Ｒ３７の任意部位には国名Ｎ３７の文字が凹状になるように、また紺色系色彩部ＤＢ３７の中には白色系色彩で星形形状のシンボルＳ３７が形成される。次に敷き具裏面部Ｃ３７（ｃ）は赤色系色彩を用いて基台部Ｋ３７となり、側面部Ｃ３７（ｂ）が２層構造だとすると基台部Ｋ３７は下部構造となり、赤色系色彩部Ｒ３７の部位は上部構造となり、紺色系色彩部ＤＢ３７の部位が第一凹状部になり、白色系色彩部Ｈ３７の部位が第二凹状部になり、シンボルＳ３７の部位が第三凹状部になり、また国名Ｎ３７の文字が凹状になるように設計された金型を用いて、まず赤色系色素を混錬した熱硬化性樹脂を注入し押圧しながら熱硬化させ、生じた、第一凹状部に紺色系色素を混錬した熱硬化性樹脂を注入し、第二凹状部と第三凹状部に白色系色素を混錬した熱硬化性樹脂を注入し押圧しながら熱硬化させた後に、金型を取り外すことで、国名Ｎ３７の部位は凹状に、また赤色系色彩部Ｒ３７と紺色系色彩部ＤＢ３７と白色系色彩部Ｈ３７の境界、またシンボルＳ３７の輪郭が切り込み状に形成されることになる。次に基台部Ｋ３７にはシルク印刷手段を介して白色系色彩のドットで構成した世界地図ＭＨを印刷する。
【実施例３８】
【００７８】  図３８を用いて、本考案で記載された考案の内容に基づいて実施例３８を説明する。まずこの図は、熱硬化性樹脂を用いて円盤状で薄板状に形成された敷き具Ｃ３８を説明する３点図であり、「ＣＯＬＯＭＢＩＡ」と示された国名Ｎ３８の国旗をモチーフにして形成した意匠を用いている。該３点図の上端に示した図は敷き具Ｃ３８の表面部Ｃ３８（ａ）を示し、下端に示した図は敷き具Ｃ３８の裏面部Ｃ３８（ｃ）を示し、敷き具表面部Ｃ３８（ａ）と敷き具裏面部Ｃ３８（ｃ）の間には敷き具Ｃ３８の側面部Ｃ３８（ｂ）を示している。次に敷き具表面部Ｃ３８（ａ）は、概略３分割されており、左から見て一端部が赤色系色彩部Ｒ３８で、他端部が略半円形状の黄色系色彩部Ｙ３８で、赤色系色彩部Ｒ３８と黄色系色彩部Ｙ３８の間には紺色系色彩部ＤＢ３８で、赤色系色彩部Ｒ３８の任意部位に国名Ｎ３８の文字が凹状になるように形成される。次に敷き具裏面部Ｃ３８（ｃ）は黄色系色彩を用いて基台部Ｋ３８となり、側面部Ｃ３８（ｂ）が２層構造だとすると基台部Ｋ３８は下部構造となり、黄色系色彩部Ｙ３８の部位は上部構造となり、赤色系色彩部Ｒ３８の部位が第一凹状部になり、紺色系色彩部ＤＢ３８の部位が第二凹状部になり、また国名Ｎ３８の部位が凹状になるように設計された金型を用いて、まず黄色系色素を混錬した熱硬化性樹脂を注入し押圧しながら熱硬化させ、生じた、第一凹状部に赤色系色素を混錬した熱硬化性樹脂を注入し、第二凹状部に紺色系色素を混錬した熱硬化性樹脂を注入し、押圧しながら熱硬化させた後に、金型を取り外すことで、国名Ｎ３８の部位は凹状に、また赤色系色彩部Ｒ３８と紺色系色彩部ＤＢ３８と黄色系色彩部Ｙ３８との境界が切り込み状に形成されることになる。次に基台部Ｋ３８にはシルク印刷手段を介して白色系色彩のドットで構成した世界地図ＭＨを印刷する。
【実施例３９】
【００７９】  図３９を用いて、本考案で記載された考案の内容に基づいて実施例３９を説明する。まずこの図は、熱硬化性樹脂を用いて円盤状で薄板状に形成された敷き具Ｃ３９を説明する３点図であり、「ＤＯＭＩＮＩＣＡ」と示された国名Ｎ３９の国旗をモチーフにして形成した意匠を用いている。該３点図の上端に示した図は敷き具Ｃ３９の表面部Ｃ３９（ａ）を示し、下端に示した図は敷き具Ｃ３９の裏面部Ｃ３９（ｃ）を示し、敷き具表面部Ｃ３９（ａ）と敷き具裏面部Ｃ３９（ｃ）の間には敷き具Ｃ３９の側面部Ｃ３９（ｂ）を示している。次に敷き具表面部Ｃ３９（ａ）の略中央部には、十字形状の白色系色彩部Ｈ３９と、白色系色彩部Ｈ３９の略中央付近に図示するように緑色系色彩と赤色系色彩と紺色系色彩と黄色系色彩で構成されたシンボルＳ３９と、また白色系色彩部Ｈ３９と敷き具表面部Ｃ３９（ａ）の間、即ち十字形状と円形状の間の４か所のうち、２か所に赤色系色彩部Ｒ３９と、２か所に紺色系色彩部ＤＢ３９と、敷き具表面部Ｃ３９（ａ）の任意部位に国名Ｎ３９の文字が凹状になるように形成される。次に敷き具裏面部Ｃ３９（ｃ）は白色系色彩を用いて基台部Ｋ３９となり、側面部Ｃ３９（ｂ）が２層構造だとすると基台部Ｋ３９は下部構造となり、白色系色彩部Ｈ３９との部位は上部構造となり、赤色系色彩部Ｒ３９の部位が第一凹状部になり、紺色系色彩部ＤＢ３９の部位が第二凹状部になり、シンボルＳ３９の部位が第三凹状部になり、また国名Ｎ３９の部位が凹状になるように設計された金型を用いて、まず白色系色素を混錬した熱硬化性樹脂を注入し押圧しながら熱硬化させ、生じた、第一凹状部に赤色系色素を混錬した熱硬化性樹脂を注入し、第二凹状部に紺色系色素を混錬した熱硬化性樹脂を注入し、第三凹状部に緑色系色素を混錬した熱硬化性樹脂を注入し、第三凹状部に黄色系色素を混錬した熱硬化性樹脂を注入し、押圧しながら熱硬化させた後に、金型を取り外すことで、国名Ｎ３９の部位は凹状に、また白色系色彩部Ｈ３９とシンボルＳ３９の輪郭は切り込み状に形成されることになる。次に基台部Ｋ３９にはシルク印刷手段を介して灰色系色彩のドットで構成した世界地図ＭＧを印刷する。
【実施例４０】
【００８０】  図４０を用いて、本考案で記載された考案の内容に基づいて実施例４０を説明する。まずこの図は、熱硬化性樹脂を用いて円盤状で薄板状に形成された敷き具Ｃ４０を説明する３点図であり、「ＥＣＵＡＤＯＲ」と示された国名Ｎ４０の国旗をモチーフにして形成した意匠を用いている。該３点図の上端に示した図は敷き具Ｃ４０の表面部Ｃ４０（ａ）を示し、下端に示した図は敷き具Ｃ４０の裏面部Ｃ４０（ｃ）を示し、敷き具表面部Ｃ４０（ａ）と敷き具裏面部Ｃ４０（ｃ）の間には敷き具Ｃ４０の側面部Ｃ４０（ｂ）を示している。次に敷き具表面部Ｃ４０（ａ）は、概略３分割されており、左端部が赤色系色彩部Ｒ４０で、右端部が略半円形状で黄色系色彩部Ｙ４０で、赤色系色彩部Ｒ４０と黄色系色彩部Ｙ４０の間には紺色系色彩部ＤＢ４０で、また赤色系色彩部Ｒ４０の任意部位に国名Ｎ４０の文字が凹状になるように、また敷き具表面部Ｃ４０（ａ）の約中央部には、図示するような赤色系色彩と黄色系色彩と白色系色彩と緑色系色彩とで構成されたシンボルＳ４０が形成される。次に敷き具裏面部Ｃ４０（ｃ）は黄色系色彩を用いて基台部Ｋ４０となり、側面部Ｃ４０（ｂ）が２層構造だとすると基台部Ｋ４０は下部構造となり、黄色系色彩部Ｙ４０とシンボルＳ４０の黄色系色彩の部位は上部構造となり、赤色系色彩部Ｒ４０の部位が第一凹状部になり、紺色系色彩部ＤＢ４０の部位が第二凹状部になり、シンボルＳ４０の赤色系色彩と黄色系色彩と白色系色彩と緑色系色彩の夫々の部位が多色凹状部になり、また国名Ｎ４０の部位が凹状になるように設計された金型を用いて、まず黄色系色素を混錬した熱硬化性樹脂を注入し押圧しながら熱硬化させ、生じた、第一凹状部に赤色系色素を混錬した熱硬化性樹脂を注入し、第二凹状部に紺色系色素を混錬した熱硬化性樹脂を注入し、多色凹状部に緑色系色素を混錬した熱硬化性樹脂を注入し、多色凹状部に白色系色素を混錬した熱硬化性樹脂を注入し、押圧しながら熱硬化させた後に、金型を取り外すことで、国名Ｎ４０の部位は凹状に、また赤色系色彩部Ｒ４０と紺色系色彩部ＤＢ４０と黄色系色彩部Ｙ４０との境界、またシンボルＳ４０の輪郭が切り込み状に形成されることになる。次に基台部Ｋ４０にはシルク印刷手段を介して白色系色彩のドットで構成した世界地図ＭＨを印刷する。
【実施例４１】
【００８１】  図４１を用いて、本考案で記載された考案の内容に基づいて実施例４１を説明する。まずこの図は、熱硬化性樹脂を用いて円盤状で薄板状に形成された敷き具Ｃ４１を説明する３点図であり、「ＧＵＡＴＥＭＡＬＡ」と示された国名Ｎ４１の国旗をモチーフにして形成した意匠を用いている。該３点図の上端に示した図は敷き具Ｃ４１の表面部Ｃ４１（ａ）を示し、下端に示した図は敷き具Ｃ４１の裏面部Ｃ４１（ｃ）を示し、敷き具表面部Ｃ４１（ａ）と敷き具裏面部Ｃ４１（ｃ）の間には敷き具Ｃ４１の側面部Ｃ４１（ｂ）を示している。次に敷き具表面部Ｃ４１（ａ）は、概略３分割されており、上端部と下端部が青色系色彩部Ｂ４１で、上端部と下端部の間に白色系色彩部Ｈ４１で、白色系色彩部Ｈ４１の任意部位に国名Ｎ４１の文字が凹状になるように、また白色系色彩部Ｈ４１の約中央部には、図示するような形状と赤色系色彩と黄色系色彩と緑色系色彩とで構成されたシンボルＳ４１が形成される。次に敷き具裏面部Ｃ４１（ｃ）は白色系色彩を用いて基台部Ｋ４１となり、側面部Ｃ４１（ｂ）が２層構造だとすると基台部Ｋ４１は下部構造となり、白色系色彩部Ｈ４１の部位は上部構造となり、青色系色彩部Ｂ４１の部位が第一凹状部になり、シンボルＳ４１の赤色系色彩と黄色系色彩と緑色系色彩の夫々の部位が多色凹状部になり、また国名Ｎ４１の部位が凹状になるように設計された金型を用いて、まず白色系色素を混錬した熱硬化性樹脂を注入し押圧しながら熱硬化させ、生じた、第一凹状部に青色系色素を混錬した熱硬化性樹脂を注入し、多色凹状部に黄色系色素を混錬した熱硬化性樹脂を注入し、多色凹状部に緑色系色素を混錬した熱硬化性樹脂を注入し、多色凹状部に赤色系色素を混錬した熱硬化性樹脂を注入し、押圧しながら熱硬化させた後に、金型を取り外すことで、国名Ｎ４１は凹状に、また青色系色彩部Ｂ４１と白色系色彩部Ｈ４１との境界、またシンボルＳ４１の輪郭が切り込み状に形成されることになる。次に基台部Ｋ４１にはシルク印刷手段を介して灰色系色彩のドットで構成した世界地図ＭＧを印刷する。
【実施例４２】
【００８２】  図４２を用いて、本考案で記載された考案の内容に基づいて実施例４２を説明する。まずこの図は、熱硬化性樹脂を用いて円盤状で薄板状に形成された敷き具Ｃ４２を説明する３点図であり、「ＨＯＮＤＵＲＡＳ」と示された国名Ｎ４２の国旗をモチーフにして形成した意匠を用いている。該３点図の上端に示した図は敷き具Ｃ４２の表面部Ｃ４２（ａ）を示し、下端に示した図は敷き具Ｃ４２の裏面部Ｃ４２（ｃ）を示し、敷き具表面部Ｃ４２（ａ）と敷き具裏面部Ｃ４２（ｃ）の間には敷き具Ｃ４２の側面部Ｃ４２（ｂ）を示している。次に敷き具表面部Ｃ４２（ａ）は、概略３分割されており、左端部が青色系色彩部Ｂ４２で、右端部が青色系色彩部Ｂ４２で、左端部青色系色彩部Ｂ４２と右端部青色系色彩部Ｂ４２の間には白色系色彩部Ｈ４２で、右端部青色系色彩部Ｂ４２の任意部位に国名Ｎ４２の文字が凹状になるように、また白色系色彩部Ｈ４２の約中央付近には、青色系色彩で５つの星が配置されている。次に敷き具裏面部Ｃ４２（ｃ）は白色系色彩を用いて基台部Ｋ４２となり、側面部Ｃ４２（ｂ）が２層構造だとすると基台部Ｋ４２は下部構造となり、白色系色彩部Ｈ４２の部位は上部構造となり、両端部の青色系色彩部Ｂ４２と５つの星が凹状部になり、また国名Ｎ４２の部位が凹状になるように設計された金型を用いて、まず白色系色素を混錬した熱硬化性樹脂を注入し押圧しながら熱硬化させ、生じた凹状部に青色系色素を混錬した熱硬化性樹脂を注入し押圧しながら熱硬化させた後に、金型を取り外すことで、国名Ｎ４２の部位は凹状に、また両端部の青色系色彩部Ｂ４２と白色系色彩部Ｈ４２との境界、また５つの星の輪郭が切り込み状に形成されることになる。次に基台部Ｋ４２にはシルク印刷手段を介して灰色系色彩のドットで構成した世界地図ＭＧを印刷する。
【実施例４３】
【００８３】  図４３を用いて、本考案で記載された考案の内容に基づいて実施例４３を説明する。まずこの図は、熱硬化性樹脂を用いて円盤状で薄板状に形成された敷き具Ｃ４３を説明する３点図であり、「ＣＯＳＴＡＲＩＣＡ」と示された国名Ｎ４３の国旗をモチーフにして形成した意匠を用いている。該３点図の上端に示した図は敷き具Ｃ４３の表面部Ｃ４３（ａ）を示し、下端に示した図は敷き具Ｃ４３の裏面部Ｃ４３（ｃ）を示し、敷き具表面部Ｃ４３（ａ）と敷き具裏面部Ｃ４３（ｃ）の間には敷き具Ｃ４３の側面部Ｃ４３（ｂ）を示している。次に敷き具表面部Ｃ４３（ａ）は、概略５分割されており、左端部が紺色系色彩部ＤＢ４３で、右端部が紺色系色彩部ＤＢ４３で、左端部紺色系色彩部ＤＢ４３に隣接する部位が左側白色系色彩部Ｈ４３で、右端部紺色系色彩部ＤＢ４３に隣接する部位が右側白色系色彩部Ｈ４３で、左側白色系色彩部Ｈ４３と右側白色系色彩部Ｈ４３の間には赤色系色彩部Ｒ４３を設け、また左端部紺色系色彩部ＤＢ４３の任意部位に国名Ｎ４３の文字が凹状になるように、また赤色系色彩部Ｒ４３の約中央部からやや上部付近には、図示するような図柄で黄色系色彩と青色系色彩と緑色系色彩で構成されるシンボルＳ４３が配置されている。次に敷き具裏面部Ｃ４３（ｃ）は白色系色彩を用いて基台部Ｋ４３となり、側面部Ｃ４３（ｂ）が２層構造だとすると基台部Ｋ４３は下部構造となり、左右の白色系色彩部Ｈ４３とシンボルＳ４３の周囲の白色系色彩の部位は上部構造となり、両端部の紺色系色彩部ＤＢ４３の部位が第一凹状部になり、赤色系色彩部Ｒ４３の部位が第二凹状部になり、シンボルＳ４３の部位が３色凹状部になり、また国名Ｎ４３の部位が凹状になるように設計された金型を用いて、まず白色系色素を混錬した熱硬化性樹脂を注入し押圧しながら熱硬化させ、生じた、第一凹状部に紺色系色素を混錬した熱硬化性樹脂を注入し、第二凹状部に赤色系色素を混錬した熱硬化性樹脂を注入し、３色凹状部に黄色系色素を混錬した熱硬化性樹脂を注入し、３色凹状部に青色系色素を混錬した熱硬化性樹脂を注入し、３色凹状部に緑色系色素を混錬した熱硬化性樹脂を注入し、押圧しながら熱硬化させた後に、金型を取り外すことで、国名Ｎ４３は凹状に、また両端部の紺色系色彩部ＤＢ４３と白色系色彩部Ｈ４３と赤色系色彩部Ｒ４３の境界、またシンボルＳ４３の輪郭が切り込み状に形成されることになる。次に基台部Ｋ４３にはシルク印刷手段を介して灰色系色彩のドットで構成した世界地図ＭＧを印刷する。
【実施例４４】
【００８４】  図４４を用いて、本考案で記載された考案の内容に基づいて実施例４４を説明する。まずこの図は、熱硬化性樹脂を用いて円盤状で薄板状に形成された敷き具Ｃ４４を説明する３点図であり、「ＪＡＭＡＩＣＡ」と示された国名Ｎ４４の国旗をモチーフにして形成した意匠を用いている。該３点図の上端に示した図は敷き具Ｃ４４の表面部Ｃ４４（ａ）を示し、下端に示した図は敷き具Ｃ４４の裏面部Ｃ４４（ｃ）を示し、敷き具表面部Ｃ４４（ａ）と敷き具裏面部Ｃ４４（ｃ）の間には敷き具Ｃ４４の側面部Ｃ４４（ｂ）を示している。次に敷き具表面部Ｃ４４（ａ）の略中央付近には、×字形状の黄色系色彩部Ｙ４４と、黄色系色彩部Ｙ４４と円形状との間には、４か所の色彩部位があり、左端部と右端部には緑色系色彩部Ｇ４４と、上端部と下端部には黒色系色彩部Ｂｋ４４と、左端部緑色系色彩部Ｇ４４の任意部位に国名Ｎ４４の文字が凹状になるように形成される。次に敷き具裏面部Ｃ４４（ｃ）は緑色系色彩を用いて基台部Ｋ４４となり、側面部Ｃ４４（ｂ）が２層構造だとすると基台部Ｋ４４は下部構造となり、左右の緑色系色彩部Ｇ４４の部位は上部構造となり、黄色系色彩部Ｙ４４の部位が第一凹状部になり、黒色系色彩部Ｂｋ４４の部位が第二凹状部になり、また国名Ｎ４４の部位が凹状になるように設計された金型を用いて、まず緑色系色素を混錬した熱硬化性樹脂を注入し押圧しながら熱硬化させ、生じた、第一凹状部に黄色系色素を混錬した熱硬化性樹脂を注入し、第二凹状部に黒色系色素を混錬した熱硬化性樹脂を注入し、押圧しながら熱硬化させた後に、金型を取り外すことで、国名Ｎ４４の部位は凹状に、また黄色系色彩部Ｙ４４と両端部の緑色系色彩部Ｇ４４と両端部の黒色系色彩部Ｂｋ４４との境界が切り込み状に形成されることになる。次に基台部Ｋ４４にはシルク印刷手段を介して白色系色彩のドットで構成した世界地図ＭＨを印刷する。
【実施例４５】
【００８５】  図４５を用いて、本考案で記載された考案の内容に基づいて実施例４５を説明する。まずこの図は、熱硬化性樹脂を用いて円盤状で薄板状に形成された敷き具Ｃ４５を説明する３点図であり、「ＣＵＢＡ」と示された国名Ｎ４５の国旗をモチーフにして形成した意匠を用いている。該３点図の上端に示した図は敷き具Ｃ４５の表面部Ｃ４５（ａ）を示し、下端に示した図は敷き具Ｃ４５の裏面部Ｃ４５（ｃ）を示し、敷き具表面部Ｃ４５（ａ）と敷き具裏面部Ｃ４５（ｃ）の間には敷き具Ｃ４５の側面部Ｃ４５（ｂ）を示している。次に敷き具表面部Ｃ４５（ａ）は、上端部でかつ中央付近寄りに略三角形状の赤色系色彩部Ｒ４５と、赤色系色彩部Ｒ４５の中に設けた星形形状の白色系色彩部Ｈ４５と、敷き具表面部Ｃ４５（ａ）の円形部の中から赤色系色彩部Ｒ４５を切り欠いた形状を概略５分割した場合に生じる左端部と右端部が紺色系色彩部ＤＢ４５で、左端部紺色系色彩部ＤＢ４５に隣接する部位が左側白色系色彩部Ｈ４５で、右端部紺色系色彩部ＤＢ４５に隣接する部位が右側白色系色彩部Ｈ４５で、左側と右側の白色系色彩部Ｈ４５の間には紺色系色彩部ＤＢ４５を配置し、また左端部紺色系色彩部ＤＢ４５の任意部位に国名Ｎ４５の文字が凹状になるように、構成されている。次に敷き具裏面部Ｃ４５（ｃ）は紺色系色彩を用いて基台部Ｋ４５となり、側面部Ｃ４５（ｂ）が２層構造だとすると基台部Ｋ４５は下部構造となり、左右中の紺色系色彩部ＤＢ４５の部位は上部構造となり、左側と右側の白色系色彩部Ｈ４５と星形形状の白色系色彩部Ｈ４５の部位が第一凹状部になり、赤色系色彩部Ｒ４５の部位が第二凹状部になり、また国名Ｎ４５の部位が凹状になるように設計された金型を用いて、まず紺色系色素を混錬した熱硬化性樹脂を注入し押圧しながら熱硬化させ、生じた、第一凹状部に白色系色素を混錬した熱硬化性樹脂を注入し、第二凹状部に赤色系色素を混錬した熱硬化性樹脂を注入し、押圧しながら熱硬化させた後に、金型を取り外すことで、国名Ｎ４５は凹状に、また両端部と中央部位の紺色系色彩部ＤＢ４５と白色系色彩部Ｈ４５と赤色系色彩部Ｒ４５の境界、また星形形状の白色系色彩部Ｈ４５の輪郭が切り込み状に形成されることになる。次に基台部Ｋ４５にはシルク印刷手段を介して白色系色彩のドットで構成した世界地図ＭＨを印刷する。
【実施例４６】
【００８６】  図４６を用いて、本考案で記載された考案の内容に基づいて実施例４６を説明する。まずこの図は、熱硬化性樹脂を用いて円盤状で薄板状に形成された敷き具Ｃ４６を説明する３点図であり、「ＵＲＵＧＵＡＩ」と示された国名Ｎ４６の国旗をモチーフにして形成した意匠を用いている。該３点図の上端に示した図は敷き具Ｃ４６の表面部Ｃ４６（ａ）を示し、下端に示した図は敷き具Ｃ４６の裏面部Ｃ４６（ｃ）を示し、敷き具表面部Ｃ４６（ａ）と敷き具裏面部Ｃ４６（ｃ）の間には敷き具Ｃ４６の側面部Ｃ４６（ｂ）を示している。次に敷き具表面部Ｃ４６（ａ）には、円形状の中に２つの長い方形体である紺色系色彩部ＤＢ４６と２つの短い方形体である紺色系色彩部ＤＢ４６と、短方形体紺色系色彩部ＤＢ４６の近傍には太陽を擬人化し黄色系色彩と紺色系色彩で構成されたシンボルＳ４６が配置され、また長方形体紺色系色彩部ＤＢ４６と短方形体紺色系色彩部ＤＢ４６とシンボルＳ４６の周囲を占める白色系色彩周辺部Ｈ４６と、敷き具表面部Ｃ４６（ａ）の任意部位に国名Ｎ４６の文字が凹状になるように形成される。次に敷き具裏面部Ｃ４６（ｃ）は紺色系色彩を用いて基台部Ｋ４６となり、側面部Ｃ４６（ｂ）が２層構造だとすると基台部Ｋ４６は下部構造となり、長方形体紺色系色彩部ＤＢ４６と短方形体紺色系色彩部ＤＢ４６とシンボルＳ４６の紺色系色彩の部位は上部構造となり、白色系色彩周辺部Ｈ４６の部位が第一凹状部になり、シンボルＳ４６のデザインの内黄色系色彩の部位が第二凹状部になり、また国名Ｎ４６の部位が凹状になるように設計された金型を用いて、まず紺色系色素を混錬した熱硬化性樹脂を注入し押圧しながら熱硬化させ、生じた、第一凹状部に白色系色素を混錬した熱硬化性樹脂を注入し、第二凹状部に黄色系色素を混錬した熱硬化性樹脂を注入し、押圧しながら熱硬化させた後に、金型を取り外すことで、国名Ｎ４６の部位は凹状に、また長方形体紺色系色彩部ＤＢ４６と短方形体紺色系色彩部ＤＢ４６との境界、またシンボルＳ４６の輪郭が切り込み状に形成されることになる。次に基台部Ｋ４６にはシルク印刷手段を介して白色系色彩のドットで構成した世界地図ＭＨを印刷する。
【実施例４７】
【００８７】  図４７を用いて、本考案で記載された考案の内容に基づいて実施例４７を説明する。まずこの図は、熱硬化性樹脂を用いて円盤状で薄板状に形成された敷き具Ｃ４７を説明する３点図であり、「ＣＡＭＥＲＯＯＮ」と示された国名Ｎ４７の国旗をモチーフにして形成した意匠を用いている。該３点図の上端に示した図は敷き具Ｃ４７の表面部Ｃ４７（ａ）を示し、下端に示した図は敷き具Ｃ４７の裏面部Ｃ４７（ｃ）を示し、敷き具表面部Ｃ４７（ａ）と敷き具裏面部Ｃ４７（ｃ）の間には敷き具Ｃ４７の側面部Ｃ４７（ｂ）を示している。次に敷き具表面部Ｃ４７（ａ）は、概略３分割されており、上端部が緑色系色彩部Ｇ４７で、下端部が黄色系色彩部Ｙ４７で、緑色系色彩部Ｇ４７と黄色系色彩部Ｙ４７の間には赤色系色彩部Ｒ４７で、赤色系色彩部Ｒ４７の任意部位に国名Ｎ４７の文字が凹状になるように、また赤色系色彩部Ｒ４７の約中央付近には、星形形状で黄色系色彩で構成されたシンボルＳ４７が形成されている。次に敷き具裏面部Ｃ４７（ｃ）は赤色系色彩を用いて基台部Ｋ４７となり、側面部Ｃ４７（ｂ）が２層構造だとすると基台部Ｋ４７は下部構造となり、赤色系色彩部Ｒ４７の部位は上部構造となり、緑色系色彩部Ｇ４７の部位が第一凹状部になり、黄色系色彩部Ｙ４７の部位が第二凹状部になり、シンボルＳ４７の黄色系色彩の部位が第三凹状部になり、また国名Ｎ４７の部位が凹状になるように設計された金型を用いて、まず赤色系色素を混錬した熱硬化性樹脂を注入し押圧しながら熱硬化させ、生じた、第一凹状部に緑色系色素を混錬した熱硬化性樹脂を注入し、第二凹状部と第三凹状部に黄色系色素を混錬した熱硬化性樹脂を注入し、押圧しながら熱硬化させた後に金型を取り外すことで、国名Ｎ４７の部位は凹状に、また緑色系色彩部Ｇ４７と赤色系色彩部Ｒ４７と黄色系色彩部Ｙ４７の境界、またシンボルＳ４７の輪郭が切り込み状に形成されることになる。次に基台部Ｋ４７にはシルク印刷手段を介して白色系色彩のドットで構成した世界地図ＭＨを印刷する。
【実施例４８】
【００８８】  図４８を用いて、本考案で記載された考案の内容に基づいて実施例４８を説明する。まずこの図は、熱硬化性樹脂を用いて円盤状で薄板状に形成された敷き具Ｃ４８を説明する３点図であり、「ＣＯＴＥ  ＤＩＶＯＩＲ」と示された国名Ｎ４８の国旗をモチーフにして形成した意匠を用いている。該３点図の上端に示した図は敷き具Ｃ４８の表面部Ｃ４８（ａ）を示し、下端に示した図は敷き具Ｃ４８の裏面部Ｃ４８（ｃ）を示し、敷き具表面部Ｃ４８（ａ）と敷き具裏面部Ｃ４８（ｃ）の間には敷き具Ｃ４８の側面部Ｃ４８（ｂ）を示している。次に敷き具表面部Ｃ４８（ａ）は、概略３分割されており、上端部が橙色系色彩部Ｄ４８で、下端部が緑色系色彩部Ｇ４８で、橙色系色彩部Ｄ４８と緑色系色彩部Ｇ４８の間には白色系色彩部Ｈ４８が設けられ、敷き具表面部Ｃ４８（ａ）の任意部位に国名Ｎ４８の文字が凹状になるように構成される。次に敷き具裏面部Ｃ４８（ｃ）は白色系色彩を用いて基台部Ｋ４８となり、側面部Ｃ４８（ｂ）が２層構造だとすると基台部Ｋ４８は下部構造となり、白色系色彩部Ｈ４８の部位は上部構造となり、橙色系色彩部Ｄ４８の部位が第一凹状部になり、緑色系色彩部Ｇ４８の部位が第二凹状部になり、また国名Ｎ４８の部位が凹状になるように設計された金型を用いて、まず白色系色素を混錬した熱硬化性樹脂を注入し押圧しながら熱硬化させ、生じた、第一凹状部に橙色系色素を混錬した熱硬化性樹脂を注入し、第二凹状部に緑色系色素を混錬した熱硬化性樹脂を注入し押圧しながら熱硬化させた後に金型を取り外すことで、国名Ｎ４８は凹状に橙色系色彩部Ｄ４８と白色系色彩部Ｈ４８と緑色系色彩部Ｇ４８との境界が切り込み状に形成されることになる。次に基台部Ｋ４８にはシルク印刷手段を介して灰色系色彩のドットで構成した世界地図ＭＧを印刷する。
【実施例４９】
【００８９】  図４９を用いて、本考案で記載された考案の内容に基づいて実施例４９を説明する。まずこの図は、熱硬化性樹脂を用いて円盤状で薄板状に形成された敷き具Ｃ４９を説明する３点図であり、「ＥＧＹＰＴ」と示された国名Ｎ４９の国旗をモチーフにして形成した意匠を用いている。該３点図の上端に示した図は敷き具Ｃ４９の表面部Ｃ４９（ａ）を示し、下端に示した図は敷き具Ｃ４９の裏面部Ｃ４９（ｃ）を示し、敷き具表面部Ｃ４９（ａ）と敷き具裏面部Ｃ４９（ｃ）の間には敷き具Ｃ４９の側面部Ｃ４９（ｂ）を示している。次に敷き具表面部Ｃ４９（ａ）は、概略３分割されており、左端部が黒色系色彩部Ｂｋ４９で、右端部が赤色系色彩部Ｒ４９で、黒色系色彩部Ｂｋ４９と赤色系色彩部Ｒ４９の間には白色系色彩部Ｈ４９で、黒色系色彩部Ｂｋ４９の任意部位に国名Ｎ４９の文字が凹状になるように、また白色系色彩部Ｈ４９の約中央付近には、鳥類を意匠化し黄色系色彩で構成されたシンボルＳ４９が形成される。次に敷き具裏面部Ｃ４９（ｃ）は白色系色彩を用いて基台部Ｋ４９となり、側面部Ｃ４９（ｂ）が２層構造だとすると基台部Ｋ４９は下部構造となり、白色系色彩部Ｈ４９の部位は上部構造となり、黒色系色彩部Ｂｋ４９の部位が第一凹状部になり、赤色系色彩部Ｒ４９の部位が第二凹状部になり、シンボルＳ４９の部位が第三凹状部になり、また国名Ｎ４９の部位が凹状になるように設計された金型を用いて、まず白色系色素を混錬した熱硬化性樹脂を注入し押圧しながら熱硬化させ、生じた、第一凹状部に黒色系色素を混錬した熱硬化性樹脂を注入し、第二凹状部に赤色系色素を混錬した熱硬化性樹脂を注入し、第三凹状部に黄色系色素を混錬した熱硬化性樹脂を注入し、押圧しながら熱硬化させた後に、金型を取り外すことで、国名Ｎ４９の部位は凹状に、また黒色系色彩部Ｂｋ４９と白色系色彩部Ｈ４９と赤色系色彩部Ｒ４９の境界、またシンボルＳ４９の輪郭が切り込み状に形成されることになる。次に基台部Ｋ４９にはシルク印刷手段を介して灰色系色彩のドットで構成した世界地図ＭＧを印刷する。
【実施例５０】
【００９０】  図５０を用いて、本考案で記載された考案の内容に基づいて実施例５０を説明する。まずこの図は、熱硬化性樹脂を用いて円盤状で薄板状に形成された敷き具Ｃ５０を説明する３点図であり、「ＥＴＨＩＯＰＩＡ」と示された国名Ｎ５０の国旗をモチーフにして形成した意匠を用いている。該３点図の上端に示した図は敷き具Ｃ５０の表面部Ｃ５０（ａ）を示し、下端に示した図は敷き具Ｃ５０の裏面部Ｃ５０（ｃ）を示し、敷き具表面部Ｃ５０（ａ）と敷き具裏面部Ｃ５０（ｃ）の間には敷き具Ｃ５０の側面部Ｃ５０（ｂ）を示している。次に敷き具表面部Ｃ５０（ａ）は、概略３分割されており、左端部が赤色系色彩部Ｒ５０で、右端部が緑色系色彩部Ｇ５０で、左端部赤色系色彩部Ｒ５０と右端部緑色系色彩部Ｇ５０の間には黄色系色彩部Ｙ５０で、左端部赤色系色彩部Ｒ５０の任意部位に国名Ｎ５０の文字が凹状になるように、また敷き具表面部Ｃ５０（ａ）の約中央付近には、円形状の紺色系色彩部ＤＢ５０を配置し、紺色系色彩部ＤＢ５０の中には黄色系色彩の五芒星と５つの方形体との組合せであるシンボルＳ５０が形成される。次に敷き具裏面部Ｃ５０（ｃ）は黄色系色彩を用いて基台部Ｋ５０となり、側面部Ｃ５０（ｂ）が２層構造だとすると基台部Ｋ５０は下部構造となり、黄色系色彩部Ｙ５０とシンボルＳ５０の部位は上部構造となり、赤色系色彩部Ｒ５０の部位が第一凹状部になり、緑色系色彩部Ｇ５０の部位が第二凹状部になり、紺色系色彩部ＤＢ５０の部位が第三凹状部になり、シンボルＳ５０のデザインの部位が第四凹状部になり、また国名Ｎ５０の部位が凹状になるように設計された金型を用いて、まず黄色系色素を混錬した熱硬化性樹脂を注入し押圧しながら熱硬化させ、生じた、第一凹状部に赤色系色素を混錬した熱硬化性樹脂を注入し、第二凹状部に緑色系色素を混錬した熱硬化性樹脂を注入し、三凹状部に紺色系色素を混錬した熱硬化性樹脂を注入し、押圧しながら熱硬化させた後に、金型を取り外すことで、国名Ｎ５０の部位は凹状に、また赤色系色彩部Ｒ５０と黄色系色彩部Ｙ５０と緑色系色彩部Ｇ５０と紺色系色彩部ＤＢ５０との境界、またシンボルＳ５０の輪郭が切り込み状に形成されることになる。次に基台部Ｋ５０にはシルク印刷手段を介して白色系色彩のドットで構成した世界地図ＭＨを印刷する。
【実施例５１】
【００９１】  図５１を用いて、本考案で記載された考案の内容に基づいて実施例５１を説明する。まずこの図は、熱硬化性樹脂を用いて円盤状で薄板状に形成された敷き具Ｃ５１を説明する３点図であり、「ＧＨＡＮＡ」と示された国名Ｎ５１の国旗をモチーフにして形成した意匠を用いている。該３点図の上端に示した図は敷き具Ｃ５１の表面部Ｃ５１（ａ）を示し、下端に示した図は敷き具Ｃ５１の裏面部Ｃ５１（ｃ）を示し、敷き具表面部Ｃ５１（ａ）と敷き具裏面部Ｃ５１（ｃ）の間には敷き具Ｃ５１の側面部Ｃ５１（ｂ）を示している。次に敷き具表面部Ｃ５１（ａ）は、概略３分割されており、左端部が緑色系色彩部Ｇ５１で、右端部が赤色系色彩部Ｒ５１で、緑色系色彩部Ｇ５１と赤色系色彩部Ｒ５１の間には黄色系色彩部Ｙ５１で、緑色系色彩部Ｇ５１の任意部位に国名Ｎ５１の文字が凹状になるように、また黄色系色彩部Ｙ５１の約中央付近には、星形形状で黒色系色彩で構成されたシンボルＳ５１が配置されている。次に敷き具裏面部Ｃ５１（ｃ）は黄色系色彩を用いて基台部Ｋ５１となり、側面部Ｃ５１（ｂ）が２層構造だとすると基台部Ｋ５１は下部構造となり、黄色系色彩部Ｙ５１の部位は上部構造となり、緑色系色彩部Ｇ５１の部位が第一凹状部になり、シンボルＳ５１の部位が第二凹状部になり、赤色系色彩部Ｒ５１の部位が第三凹状部になり、また国名Ｎ５１の部位が凹状になるように設計された金型を用いて、まず黄色系色素を混錬した熱硬化性樹脂を注入し押圧しながら熱硬化させ、生じた、第一凹状部に緑色系色素を混錬した熱硬化性樹脂を注入し、第二凹状部に黒色系色素を混錬した熱硬化性樹脂を注入し、第三凹状部に赤色系色素を混錬した熱硬化性樹脂を注入し、押圧しながら熱硬化させた後に、金型を取り外すことで、国名Ｎ５１の部位は凹状に、緑色系色彩部Ｇ５１と黄色系色彩部Ｙ５１と赤色系色彩部Ｒ５１の境界、またシンボルＳ５１の輪郭が切り込み状に形成されることになる。次に基台部Ｋ５１にはシルク印刷手段を介して白色系色彩のドットで構成した世界地図ＭＨを印刷する。
【実施例５２】
【００９２】  図５２を用いて、本考案で記載された考案の内容に基づいて実施例５２を説明する。まずこの図は、熱硬化性樹脂を用いて円盤状で薄板状に形成された敷き具Ｃ５２を説明する３点図であり、「ＫＥＮＹＡ」と示された国名Ｎ５２の国旗をモチーフにして形成した意匠を用いている。該３点図の上端に示した図は敷き具Ｃ５２の表面部Ｃ５２（ａ）を示し、下端に示した図は敷き具Ｃ５２の裏面部Ｃ５２（ｃ）を示し、敷き具表面部Ｃ５２（ａ）と敷き具裏面部Ｃ５２（ｃ）の間には敷き具Ｃ５２の側面部Ｃ５２（ｂ）を示している。次に敷き具表面部Ｃ５２（ａ）は、左端部が緑色系色彩部Ｇ５２で、右端部が黒色系色彩部Ｂｋ５２で、緑色系色彩部Ｇ５２に隣接する左側の白色系色彩部Ｈ５２と黒色系色彩部Ｂｋ５２に隣接する右側の白色系色彩部Ｈ５２の間には赤色系色彩部Ｒ５２が配置され、また緑色系色彩部Ｇ５２の任意部位に国名Ｎ５２の文字が凹状になるように、また敷き具表面部Ｃ５２（ａ）の略中央付近には、図示するような図柄で赤色系色彩と白色系色彩と黒色系色彩で構成されるシンボルＳ５２が配置されている。次に敷き具裏面部Ｃ５２（ｃ）は赤色系色彩を用いて基台部Ｋ５２となり、側面部Ｃ５２（ｂ）が２層構造だとすると基台部Ｋ５２は下部構造となり、赤色系色彩部Ｒ５２とシンボルＳ５２の赤色系色彩の部位は上部構造となり、緑色系色彩部Ｇ５２の部位が第一凹状部になり、黒色系色彩部Ｂｋ５２とシンボルＳ５２の黒色系色彩の部位が第二凹状部になり、左側の白色系色彩部Ｈ５２と右側の白色系色彩部Ｈ５２とシンボルＳ５２の白色系色彩の部位が第三凹状部になり、また国名Ｎ５２の部位が凹状になるように設計された金型を用いて、まず赤色系色素を混錬した熱硬化性樹脂を注入し押圧しながら熱硬化させ、生じた、第一凹状部に緑色系色素を混錬した熱硬化性樹脂を注入し、第二凹状部に黒色系色素を混錬した熱硬化性樹脂を注入し、第三凹状部に白色系色素を混錬した熱硬化性樹脂を注入し、３色凹状部に黄色系色素を混錬した熱硬化性樹脂を注入し、押圧しながら熱硬化させた後に、金型を取り外すことで、国名Ｎ５２は凹状に、また緑色系色彩部Ｇ５２と白色系色彩部Ｈ５２と赤色系色彩部Ｒ５２と黒色系色彩部Ｂｋ５２の境界と、またシンボルＳ５２の輪郭が切り込み状に形成されることになる。次に基台部Ｋ５２にはシルク印刷手段を介して白色系色彩のドットで構成した世界地図ＭＨを印刷する。
【実施例５３】
【００９３】  図５３を用いて、本考案で記載された考案の内容に基づいて実施例５３を説明する。まずこの図は、熱硬化性樹脂を用いて円盤状で薄板状に形成された敷き具Ｃ５３を説明する３点図であり、「ＭＯＲＯＣＣＯ」と示された国名Ｎ５３の国旗をモチーフにして形成した意匠を用いている。該３点図の上端に示した図は敷き具Ｃ５３の表面部Ｃ５３（ａ）を示し、下端に示した図は敷き具Ｃ５３の裏面部Ｃ５３（ｃ）を示し、敷き具表面部Ｃ５３（ａ）と敷き具裏面部Ｃ５３（ｃ）の間には敷き具Ｃ５３の側面部Ｃ５３（ｂ）を示している。次に敷き具表面部Ｃ５３（ａ）の略中央部には、五芒星を意匠化し黒色系色彩で構成したシンボルＳ５３を配置し、シンボルＳ５３の中とその周囲を赤色系色彩部Ｒ５３で占めるように形成され、敷き具表面部Ｃ５３（ａ）の任意部位に国名Ｎ５３の文字が凹状になるように設けられる。次に敷き具裏面部Ｃ５３（ｃ）は赤色系色彩を用いて基台部Ｋ５３となり、側面部Ｃ５３（ｂ）が２層構造だとすると基台部Ｋ５３は下部構造となり、赤色系色彩部Ｒ５３の部位は上部構造となり、シンボルＳ５３の部位は凹状部になり、また国名Ｎ５３の部位が凹状になるように設計された金型を用いて、まず赤色系色素を混錬した熱硬化性樹脂を注入し押圧しながら熱硬化させ、生じた凹状部に黒色系色素を混錬した熱硬化性樹脂を注入し押圧しながら熱硬化させた後に、金型を取り外すことで、国名Ｎ５３の部位は凹状に、またシンボルＳ５３の輪郭は切り込み状に形成されることになる。次に基台部Ｋ５３にはシルク印刷手段を介して白色系色彩のドットで構成した世界地図ＭＨを印刷する。
【実施例５４】
【００９４】  図５４を用いて、本考案で記載された考案の内容に基づいて実施例５４を説明する。まずこの図は、熱硬化性樹脂を用いて円盤状で薄板状に形成された敷き具Ｃ５４を説明する３点図であり、「ＮＩＧＥＲＩＡ」と示された国名Ｎ５４の国旗をモチーフにして形成した意匠を用いている。該３点図の上端に示した図は敷き具Ｃ５４の表面部Ｃ５４（ａ）を示し、下端に示した図は敷き具Ｃ５４の裏面部Ｃ５４（ｃ）を示し、敷き具表面部Ｃ５４（ａ）と敷き具裏面部Ｃ５４（ｃ）の間には敷き具Ｃ５４の側面部Ｃ５４（ｂ）を示している。次に敷き具表面部Ｃ５４（ａ）は、概略３分割されており、上端部が緑色系色彩部Ｇ５４で、下端部が緑色系色彩部Ｇ５４で、上端部緑色系色彩部Ｇ５４と下端部緑色系色彩部Ｇ５４の間には白色系色彩部Ｈ５４が設けられ、白色系色彩部Ｈ５４の任意部位に国名Ｎ５４の文字が凹状になるように構成される。次に敷き具裏面部Ｃ５４（ｃ）は緑色系色彩を用いて基台部Ｋ５４となり、側面部Ｃ５４（ｂ）が２層構造だとすると基台部Ｋ５４は下部構造となり、上下の緑色系色彩部Ｇ５４の部位は上部構造となり、白色系色彩部Ｈ５４の部位が凹状部になり、また国名Ｎ５４の部位が凹状になるように設計された金型を用いて、まず緑色系色素を混錬した熱硬化性樹脂を注入し押圧しながら熱硬化させ、生じた凹状部に白色系色素を混錬した熱硬化性樹脂を注入し押圧しながら熱硬化させた後に金型を取り外すことで、国名Ｎ５４は凹状に、上端部緑色系色彩部Ｇ５４と白色系色彩部Ｈ５４と下端部緑色系色彩部Ｇ５４との境界が切り込み状に形成されることになる。次に基台部Ｋ５４にはシルク印刷手段を介して白色系色彩のドットで構成した世界地図ＭＨを印刷する。
【実施例５５】
【００９５】  図５５を用いて、本考案で記載された考案の内容に基づいて実施例５５を説明する。まずこの図は、熱硬化性樹脂を用いて円盤状で薄板状に形成された敷き具Ｃ５５を説明する３点図であり、「ＳＯＵＴＨ  ＡＦＲＩＣＡ」と示された国名Ｎ５５の国旗をモチーフにして形成した意匠を用いている。該３点図の上端に示した図は敷き具Ｃ５５の表面部Ｃ５５（ａ）を示し、下端に示した図は敷き具Ｃ５５の裏面部Ｃ５５（ｃ）を示し、敷き具表面部Ｃ５５（ａ）と敷き具裏面部Ｃ５５（ｃ）の間には敷き具Ｃ５５の側面部Ｃ５５（ｂ）を示している。次に敷き具表面部Ｃ５５（ａ）の略中央付近に（Ｙ）字形状の緑色系色彩部Ｇ５５と、緑色系色彩部Ｇ５５の（Ｙ）字形状の上端部に隣接させた（Ｖ）字形状の黄色系色彩部Ｙ５５と、緑色系色彩部Ｇ５５の（Ｙ）字形状の左端部に隣接させた（〉）字形状の白色系色彩部Ｈ５５と、緑色系色彩部Ｇ５５の（Ｙ）字形状の右端部に隣接させた（〈）字形状の白色系色彩部Ｈ５５と、敷き具表面部Ｃ５５（ａ）の上端部と黄色系色彩部Ｙ５５との間に設けた黒色系色彩部Ｂｋ５５と、敷き具表面部Ｃ５５（ａ）の左端部と左側白色系色彩部Ｈ５５との間に設けた紺色系色彩部ＤＢ５５と、敷き具表面部Ｃ５５（ａ）の右端部と右側白色系色彩部Ｈ５５との間に設けた赤色系色彩部Ｒ５５とで構成され、また敷き具表面部Ｃ５５（ａ）の任意部位に国名Ｎ５５の文字が凹状になるように形成される。次に敷き具裏面部Ｃ５５（ｃ）は緑色系色を用いて基台部Ｋ５５となり、側面部Ｃ５５（ｂ）が２層構造だとすると基台部Ｋ５５は下部構造となり、緑色系色彩部Ｇ５５の部位は上部構造となり、黄色系色彩部Ｙ５５の部位が第一凹状部になるように、黒色系色彩部Ｂｋ５５の部位が第二凹状部になるように、左側白色系色彩部Ｈ５５と右側白色系色彩部Ｈ５５が第三凹状部になるように、紺色系色彩部ＤＢ５５の部位が第四凹状部になるように、赤色系色彩部Ｒ５５の部位が第五凹状部になるように、また国名Ｎ５５の文字が凹状になるように設計された金型を用いて、まず緑色系色素を混錬した熱硬化性樹脂を注入し押圧しながら熱硬化させ、生じた、第一凹状部に黄色系色素を混錬した熱硬化性樹脂を注入し、第二凹状部に黒色系色素を混錬した熱硬化性樹脂を注入し、第三凹状部に白色系色素を混錬した熱硬化性樹脂を注入し、第四凹状部に紺色系色素を混錬した熱硬化性樹脂を注入し、第五凹状部に赤色系色素を混錬した熱硬化性樹脂を注入し、押圧しながら熱硬化させた後に、金型を取り外すことで、国名Ｎ５５の部位は凹状に、また黄色系色彩部Ｙ５５と緑色系色彩部Ｇ５５と左側白色系色彩部Ｈ５５と右側白色系色彩部Ｈ５５の境界は切り込み状に形成されることになる。次に基台部Ｋ５５にはシルク印刷手段を介して白色系色彩のドットで構成した世界地図ＭＨを印刷する。
【実施例５６】
【００９６】  図５６を用いて、本考案で記載された考案の内容に基づいて実施例５６を説明する。まずこの図は、熱硬化性樹脂を用いて円盤状で薄板状に形成された敷き具Ｃ５６を説明する３点図であり、「ＴＡＮＺＡＮＩＡ」と示された国名Ｎ５６の国旗をモチーフにして形成した意匠を用いている。該３点図の上端に示した図は敷き具Ｃ５６の表面部Ｃ５６（ａ）を示し、下端に示した図は敷き具Ｃ５６の裏面部Ｃ５６（ｃ）を示し、敷き具表面部Ｃ５６（ａ）と敷き具裏面部Ｃ５６（ｃ）の間には敷き具Ｃ５６の側面部Ｃ５６（ｂ）を示している。次に敷き具表面部Ｃ５６（ａ）には、左端部が青色系色彩部Ｂ５６で、右端部が緑色系色彩部Ｇ５６で、青色系色彩部Ｂ５６に隣接する左側の黄色系色彩部Ｙ５６と緑色系色彩部Ｇ５６に隣接する右側の黄色系色彩部Ｙ５６の間には黒色系色彩部Ｂｋ５６が配置され、また青色系色彩部Ｂ５６の任意部位に国名Ｎ５６の文字が凹状になるように、配置されている。次に敷き具裏面部Ｃ５６（ｃ）は黒色系色彩を用いて基台部Ｋ５６となり、側面部Ｃ５６（ｂ）が２層構造だとすると基台部Ｋ５６は下部構造となり、黒色系色彩部Ｂｋ５６の部位は上部構造となり、青色系色彩部Ｂ５６の部位が第一凹状部になり、緑色系色彩部Ｇ５６の部位が第二凹状部になり、左側の黄色系色彩部Ｙ５６と右側の黄色系色彩部Ｙ５６の部位が第三凹状部になり、また国名Ｎ５６の部位が凹状になるように設計された金型を用いて、まず黒色系色素を混錬した熱硬化性樹脂を注入し押圧しながら熱硬化させ、生じた、第一凹状部に青色系色素を混錬した熱硬化性樹脂を注入し、第二凹状部に緑色系色素を混錬した熱硬化性樹脂を注入し、第三凹状部に黄色系色素を混錬した熱硬化性樹脂を注入し、押圧しながら熱硬化させた後に、金型を取り外すことで、国名Ｎ５６の部位は凹状に、また青色系色彩部Ｂ５６と左右の黄色系色彩部Ｙ５６と黒色系色彩部Ｂｋ５６と緑色系色彩部Ｇ５６の境界が切り込み状に形成されることになる。次に基台部Ｋ５６にはシルク印刷手段を介して白色系色彩のドットで構成した世界地図ＭＨを印刷する。
【実施例５７】
【００９７】  図５７を用いて、本考案で記載された考案の内容に基づいて実施例５７を説明する。まずこの図は、熱硬化性樹脂を用いて円盤状で薄板状に形成された敷き具Ｃ５７を説明する３点図であり、「ＡＬＧＥＲＩＡ」と示された国名Ｎ５７の国旗をモチーフにして形成した意匠を用いている。該３点図の上端に示した図は敷き具Ｃ５７の表面部Ｃ５７（ａ）を示し、下端に示した図は敷き具Ｃ５７の裏面部Ｃ５７（ｃ）を示し、敷き具表面部Ｃ５７（ａ）と敷き具裏面部Ｃ５７（ｃ）の間には敷き具Ｃ５７の側面部Ｃ５７（ｂ）を示している。次に敷き具表面部Ｃ５７（ａ）は、概略２分割されており、上端部は緑色系色彩部Ｇ５７で、下端部は白色系色彩部Ｈ５７で、緑色系色彩部Ｇ５７と白色系色彩部Ｈ５７の間付近になるように三日月状で赤色系色彩で構成される第一シンボルＳ５７（１）が配置され、第一シンボルＳ５７（１）の白色系色彩部Ｈ５７に部位の中には星型状で赤色系色彩で構成される第二シンボルＳ５７（２）が配置され、敷き具表面部Ｃ５７（ａ）の任意の部位には国名Ｎ５７の文字が凹状になるように形成される。次に敷き具裏面部Ｃ５７（ｃ）は赤色系色彩を用いて基台部Ｋ５７となり、側面部Ｃ５７（ｂ）が２層構造だとすると基台部Ｋ５７は下部構造となり第一シンボルＳ５７（１）と第二シンボルＳ５７（２）の部位は上部構造となり、緑色系色彩部Ｇ５７の部位が第一凹状部になり、白色系色彩部Ｈ５７の部位が第二凹状部になり、国名Ｎ５７の部位が凹状になるように設計された金型を用いて、まず赤色系色素を混錬した熱硬化性樹脂を注入し押圧しながら熱硬化させ、生じた、第一凹状部に緑色系色素を混錬した熱硬化性樹脂を注入し、第二凹状部に白色系色素を混錬した熱硬化性樹脂を注入し、押圧しながら熱硬化させた後に、金型を取り外すことで、国名Ｎ５７の部位は凹状に、緑色系色彩部Ｇ５７と白色系色彩部Ｈ５７の境界と第一シンボルＳ５７（１）と第二シンボルＳ５７（２）の輪郭が切り込み状に形成されることになる。次に基台部Ｋ５７にはシルク印刷手段を介して白色系色彩のドットで構成した世界地図ＭＨを印刷する。
【実施例５８】
【００９８】  図５８を用いて、本考案で記載された考案の内容に基づいて実施例５８を説明する。まずこの図は、熱硬化性樹脂を用いて円盤状で薄板状に形成された敷き具Ｃ５８を説明する３点図であり、「ＲＵＳＳＩＡ」と示された国名Ｎ５８の国旗をモチーフにして形成した意匠を用いている。該３点図の上端に示した図は敷き具Ｃ５８の表面部Ｃ５８（ａ）を示し、下端に示した図は敷き具Ｃ５８の裏面部Ｃ５８（ｃ）を示し、敷き具表面部Ｃ５８（ａ）と敷き具裏面部Ｃ５８（ｃ）の間には敷き具Ｃ５８の側面部Ｃ５８（ｂ）を示している。次に敷き具表面部Ｃ５８（ａ）は、概略３分割されており、一端部が赤色系色彩部Ｒ５８で、他端部が白色系色彩部Ｈ５８で、赤色系色彩部Ｒ５８と白色系色彩部Ｈ５８の間には紺色系色彩部ＤＢ５８で構成され、赤色系色彩部Ｒ５８の任意部位に国名Ｎ５８の文字が凹状になるように形成される。次に敷き具裏面部Ｃ５８（ｃ）は紺色系色彩を用いて基台部Ｋ５８となり、側面部Ｃ５８（ｂ）が２層構造だとすると基台部Ｋ５８は下部構造となり、紺色系色彩部ＤＢ５８の部位は上部構造となり、赤色系色彩部Ｒ５８の部位が第一凹状部になり、白色系色彩部Ｈ５８の部位が第二凹状部になり、国名Ｎ５８の文字が凹状になるように設計された金型を用いて、まず紺色系色素を混錬した熱硬化性樹脂を注入し押圧しながら熱硬化させ、生じた、第一凹状部に赤色系色素を混錬した熱硬化性樹脂を注入し、第二凹状部に白色系色素を混錬した熱硬化性樹脂を注入し押圧しながら熱硬化させた後に、金型を取り外すことで、国名Ｎ５８の部位は凹状に、また赤色系色彩部Ｒ５８と紺色系色彩部ＤＢ５８と白色系色彩部Ｈ５８の境界が切り込み状に形成されることになる。次に基台部Ｋ５８にはシルク印刷手段を介して白色系色彩のドットで構成した世界地図ＭＨを印刷する。
【実施例５９】
【００９９】  図５９を用いて、本考案で記載された考案の内容に基づいて実施例５９を説明する。まずこの図は、熱硬化性樹脂を用いて円盤状で薄板状に形成された敷き具Ｃ５９を説明する３点図であり、「ＡＵＳＴＲＡＬＩＡ」と示された国名Ｎ５９の国旗をモチーフにして形成した意匠を用いている。該３点図の上端に示した図は敷き具Ｃ５９の表面部Ｃ５９（ａ）を示し、下端に示した図は敷き具Ｃ５９の裏面部Ｃ５９（ｃ）を示し、敷き具表面部Ｃ５９（ａ）と敷き具裏面部Ｃ５９（ｃ）の間には敷き具Ｃ５９の側面部Ｃ５９（ｂ）を示している。次に敷き具表面部Ｃ５９（ａ）には、右側斜め上端部に英国の国旗「ユニオンジャック（ＵｎｉｏｎＪａｃｋ）」を意匠化し赤色系色彩と白色系色彩で構成される第一シンボルＳ５９（１）が配置され、第一シンボルＳ５９（１）の近傍には６つの星形形状で白色系色彩で構成される第二シンボルＳ５９（２）が配置され、また第一シンボルＳ５９（１）の周囲と第二シンボルＳ５９（２）の周囲を占める紺色系色彩部ＤＢ５９で構成され、また紺色系色彩部ＤＢ５９の任意の部位には国名Ｎ５９の文字が凹状になるように形成される。次に敷き具裏面部Ｃ５９（ｃ）は紺色系色彩を用いて基台部Ｋ５９となり、側面部Ｃ５９（ｂ）が２層構造だとすると基台部Ｋ５９は下部構造となり紺色系色彩部ＤＢ５９の部位は上部構造となり、赤色系色彩の部位が第一凹状部になり、白色系色彩の部位が第二凹状部になり、国名Ｎ５９の部位が凹状になるように設計された金型を用いて、まず紺色系色素を混錬した熱硬化性樹脂を注入し押圧しながら熱硬化させ、生じた、第一凹状部に赤色系色素を混錬した熱硬化性樹脂を注入し、第二凹状部に白色系色素を混錬した熱硬化性樹脂を注入し、押圧しながら熱硬化させた後に、金型を取り外すことで、国名Ｎ５９の部位は凹状に、第一シンボルＳ５９（１）と第二シンボルＳ５９（２）の輪郭が切り込み状に形成されることになる。次に基台部Ｋ５９にはシルク印刷手段を介して白色系色彩のドットで構成した世界地図ＭＨを印刷する。
【実施例６０】
【０１００】  図６０を用いて、本考案で記載された考案の内容に基づいて実施例６０を説明する。まずこの図は、熱硬化性樹脂を用いて円盤状で薄板状に形成された敷き具Ｃ６０を説明する３点図であり、「ＮＥＷ  ＺＥＡＬＡＮＤ」と示された国名Ｎ６０の国旗をモチーフにして形成した意匠を用いている。該３点図の上端に示した図は敷き具Ｃ６０の表面部Ｃ６０（ａ）を示し、下端に示した図は敷き具Ｃ６０の裏面部Ｃ６０（ｃ）を示し、敷き具表面部Ｃ６０（ａ）と敷き具裏面部Ｃ６０（ｃ）の間には敷き具Ｃ６０の側面部Ｃ６０（ｂ）を示している。次に敷き具表面部Ｃ６０（ａ）には、右側斜め上端部に英国の国旗「ユニオンジャック（Ｕｎｉｏｎ  Ｊａｃｋ）」を意匠化し赤色系色彩と白色系色彩で構成される第一シンボルＳ６０（１）が配置され、第一シンボルＳ６０（１）の近傍には４つの星形形状で赤色系色彩と白色系色彩で構成される第二シンボルＳ６０（２）が配置され、また第一シンボルＳ６０（１）の周囲と第二シンボルＳ６０（２）の周囲を占める紺色系色彩部ＤＢ６０で構成され、また紺色系色彩部ＤＢ６０の任意の部位には国名Ｎ６０の文字が凹状になるように形成される。次に敷き具裏面部Ｃ６０（ｃ）は紺色系色彩を用いて基台部Ｋ６０となり、側面部Ｃ６０（ｂ）が２層構造だとすると基台部Ｋ６０は下部構造となり紺色系色彩部ＤＢ６０の部位は上部構造となり、赤色系色彩の部位が第一凹状部になり、白色系色彩の部位が第二凹状部になり、国名Ｎ６０の部位が凹状になるように設計された金型を用いて、まず紺色系色素を混錬した熱硬化性樹脂を注入し押圧しながら熱硬化させ、生じた、第一凹状部に赤色系色素を混錬した熱硬化性樹脂を注入し、第二凹状部に白色系色素を混錬した熱硬化性樹脂を注入し、押圧しながら熱硬化させた後に、金型を取り外すことで、国名Ｎ６０の部位は凹状に、第一シンボルＳ６０（１）と第二シンボルＳ６０（２）の輪郭が切り込み状に形成されることになる。次に基台部Ｋ６０にはシルク印刷手段を介して白色系色彩のドットで構成した世界地図ＭＨを印刷する。
【実施例６１】
【０１０１】  図６１を用いて、本考案で記載された考案の内容に基づいて実施例６１を説明する。まずこの図は、熱硬化性樹脂を用いて円盤状で薄板状に形成された敷き具Ｃ６１を説明する３点図であり、「ＣＡＮＡＤＡ」と示された国名Ｎ６１の国旗をモチーフにして形成した意匠を用いている。該３点図の上端に示した図は敷き具Ｃ６１の表面部Ｃ６１（ａ）を示し、下端に示した図は敷き具Ｃ６１の裏面部Ｃ６１（ｃ）を示し、敷き具表面部Ｃ６１（ａ）と敷き具裏面部Ｃ６１（ｃ）の間には敷き具Ｃ６１の側面部Ｃ６１（ｂ）を示している。次に敷き具表面部Ｃ６１（ａ）は、概略３分割されており、上端部が赤色系色彩部Ｒ６１で、下端部が赤色系色彩部Ｒ６１で、上端部赤色系色彩部Ｒ６１と下端部赤色系色彩部Ｒ６１の間には白色系色彩部Ｈ６１で構成され、白色系色彩部Ｈ６１の中には「カエデの葉」を意匠化し赤色系色彩で構成したシンボルＳ６１を配置し、また白色系色彩部Ｈ６１の任意部位に国名Ｎ６１の文字が凹状になるように形成される。次に敷き具裏面部Ｃ６１（ｃ）は赤色系色彩を用いて基台部Ｋ６１となり、側面部Ｃ６１（ｂ）が２層構造だとすると基台部Ｋ６１は下部構造となり、上端部赤色系色彩部Ｒ６１と下端部赤色系色彩部Ｒ６１とシンボルＳ６１の部位は上部構造となり、白色系色彩部Ｈ６１の部位が凹状部になり、また国名Ｎ６１の文字が凹状になるように設計された金型を用いて、まず赤色系色素を混錬した熱硬化性樹脂を注入し押圧しながら熱硬化させ、生じた、凹状部に白色系色素を混錬した熱硬化性樹脂を注入し押圧しながら熱硬化させた後に、金型を取り外すことで、国名Ｎ６１の部位は凹状に、また上端部赤色系色彩部Ｒ６１と白色系色彩部Ｈ６１と下端部赤色系色彩部Ｒ６１の境界とシンボルＳ６１の輪郭が切り込み状に形成されることになる。次に基台部Ｋ６１にはシルク印刷手段を介して白色系色彩のドットで構成した世界地図ＭＨを印刷する。
【実施例６２】
【０１０２】  図６２を用いて、本考案で記載された考案の内容に基づいて実施例６２を説明する。まずこの図は、熱硬化性樹脂を用いて円盤状で薄板状に形成された敷き具Ｃ６２を説明する３点図であり、「ＵＳＡ」と示された国名Ｎ６２の国旗をモチーフにして形成した意匠を用いている。該３点図の上端に示した図は敷き具Ｃ６２の表面部Ｃ６２（ａ）を示し、下端に示した図は敷き具Ｃ６２の裏面部Ｃ６２（ｃ）を示し、敷き具表面部Ｃ６２（ａ）と敷き具裏面部Ｃ６２（ｃ）の間には敷き具Ｃ６２の側面部Ｃ６２（ｂ）を示している。次に敷き具表面部Ｃ６２（ａ）は、まず基本構造として棒状形状の赤色系色彩部Ｒ６２と棒状形状の白色系色彩部Ｈ６２のストライプ柄で構成されており、その基本構造の右端部の斜め上の部位に図示するような白色系色彩で３２個の星形形状とこの星形形状の周囲を占める紺色系色彩で構成されたシンボルＳ６２を配置し、また白色系色彩部Ｈ６２の任意部位に国名Ｎ６２の文字が凹状になるように形成される。次に敷き具裏面部Ｃ６２（ｃ）は赤色系色彩を用いて基台部Ｋ６２となり、側面部Ｃ６２（ｂ）が２層構造だとすると基台部Ｋ６２は下部構造となり、赤色系色彩部Ｒ６２の部位は上部構造となり、白色系色彩部Ｈ６２とシンボルＳ６２の白色系色彩の部位が第一凹状部になり、シンボルＳ６２の紺色系色彩の部位が第二凹状部になり、また国名Ｎ６２の文字が凹状になるように設計された金型を用いて、まず赤色系色素を混錬した熱硬化性樹脂を注入し押圧しながら熱硬化させ、生じた、第一凹状部に白色系色素を混錬した熱硬化性樹脂を注入し、第二凹状部に紺色系色素を混錬した熱硬化性樹脂を注入し、押圧しながら熱硬化させた後に、金型を取り外すことで、国名Ｎ６２の部位は凹状に、また夫々ストライプ状の赤色系色彩部Ｒ６２と白色系色彩部Ｈ６２とシンボルＳ６２の境界とシンボルＳ６２の３２個の星形形状の輪郭が切り込み状に形成されることになる。次に基台部Ｋ６２にはシルク印刷手段を介して白色系色彩のドットで構成した世界地図ＭＨを印刷する。【０１０５】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【０１０６】  上述したように、本考案の国旗をモチーフにした敷き具は、２０２０年に東京で開催が予定されている夏季オリンピックに向けて、国内の消費を刺激する商品としての商品価値が増大するもので、相当の売り上げが期待でき、さらにその結果、国内の経済に良好な影響を与えるのが可能になり、産業上の利用可能性は高いと判断できる。
【図面の簡単な説明】
【０１０７】
【図１】国名「ＪＡＰＡＮ」の国旗をモチーフにして形成した敷き具の説明図
【図２】国名「ＣＨＩＮＡ」の国旗をモチーフにして形成した敷き具の説明図
【図３】国名「ＫＯＲＥＡ」の国旗をモチーフにして形成した敷き具の説明図
【図４】国名「ＴＡＩＷＡＮ」の国旗をモチーフにして形成した敷き具の説明図
【図５】国名「ＴＨＡＩＬＡＮＤ」の国旗をモチーフにして形成した敷き具の説明図
【図６】国名「ＩＮＤＩＡ」の国旗をモチーフにして形成した敷き具の説明図
【図７】国名「ＩＮＤＯＮＥＳＩＡ」の国旗をモチーフにして形成した敷き具の説明図
【図８】国名「ＩＲＡＮ」の国旗をモチーフにして形成した敷き具の説明図
【図９】国名「ＭＡＬＡＹＳＩＡ」の国旗をモチーフにして形成した敷き具の説明図
【図１０】国名「ＭＯＮＧＯＬＩＡ」の国旗をモチーフにして形成した敷き具の説明図
【図１１】国名「ＳＩＮＧＡＰＯＲＥ」の国旗をモチーフにして形成した敷き具の説明図
【図１２】国名「ＳＲＩ  ＬＡＮＫＡ」の国旗をモチーフにして形成した敷き具の説明図
【図１３】国名「ＴＵＲＫＥＹ」の国旗をモチーフにして形成した敷き具の説明図
【図１４】国名「ＶＩＥＴＮＡＭ」の国旗をモチーフにして形成した敷き具の説明図
【図１５】国名「ＹＥＭＥＮ」の国旗をモチーフにして形成した敷き具の説明図
【図１６】国名「ＤＥＮＭＡＲＫ」の国旗をモチーフにして形成した敷き具の説明図
【図１７】国名「ＦＩＮＬＡＮＤ」の国旗をモチーフにして形成した敷き具の説明図
【図１８】国名「ＦＲＡＮＣＥ」の国旗をモチーフにして形成した敷き具の説明図
【図１９】国名「ＧＥＲＭＡＮＹ」の国旗をモチーフにして形成した敷き具の説明図
【図２０】国名「ＩＴＡＬＹ」の国旗をモチーフにして形成した敷き具の説明図
【図２１】国名「ＮＯＲＷＡＹ」の国旗をモチーフにして形成した敷き具の説明図
【図２２】国名「ＳＰＡＩＮ」の国旗をモチーフにして形成した敷き具の説明図
【図２３】国名「ＳＷＥＤＥＮ」の国旗をモチーフにして形成した敷き具の説明図
【図２４】国名「ＳＷＩＴＺＥＲＬＡＮＤ」の国旗をモチーフにした敷き具の説明図
【図２５】国名「ＵＫ」の国旗をモチーフにして形成した敷き具の説明図
【図２６】国名「ＢＥＬＧＩＵＭ」の国旗をモチーフにして形成した敷き具の説明図
【図２７】「ＢＯＳＮＩＡ−ＨＥＲＺＥＧＯＶＩＮＡ」の国旗をモチーフにした敷き具の説明図
【図２８】国名「ＣＲＯＡＴＩＡ」の国旗をモチーフにして形成した敷き具の説明図
【図２９】国名「ＥＮＧＬＡＮＤ」の国旗をモチーフにして形成した敷き具の説明図
【図３０】国名「ＧＲＥＥＣＥ」の国旗をモチーフにして形成した敷き具の説明図
【図３１】国名「ＨＵＮＧＡＲＹ」の国旗をモチーフにして形成した敷き具の説明図
【図３２】国名「ＮＥＴＨＥＲ  ＬＡＮＤＳ」の国旗をモチーフにした敷き具の説明図
【図３３】国名「ＰＯＲＴＵＧＡＬ」の国旗をモチーフにして形成した敷き具の説明図
【図３４】国名「ＡＲＧＥＮＴＩＮＡ」の国旗をモチーフにして形成した敷き具の説明図
【図３５】国名「ＭＥＸＩＣＯ」の国旗をモチーフにして形成した敷き具の説明図
【図３６】国名「ＢＲＡＺＩＬ」の国旗をモチーフにして形成した敷き具の説明図
【図３７】国名「ＣＨＩＬＥ」の国旗をモチーフにして形成した敷き具の説明図
【図３８】国名「ＣＯＬＯＭＢＩＡ」の国旗をモチーフにして形成した敷き具の説明図
【図３９】国名「ＤＯＭＩＮＩＣＡ」の国旗をモチーフにして形成した敷き具の説明図
【図４０】国名「ＥＣＵＡＤＯＲ」の国旗をモチーフにして形成した敷き具の説明図
【図４１】国名「ＧＵＡＴＥＭＡＬＡ」の国旗をモチーフにして形成した敷き具の説明図
【図４２】国名「ＨＯＮＤＵＲＡＳ」の国旗をモチーフにして形成した敷き具の説明図
【図４３】国名「ＣＯＳＴＡ  ＲＩＣＡ」の国旗をモチーフにして形成した敷き具の説明図
【図４４】国名「ＪＡＭＡＩＣＡ」の国旗をモチーフにして形成した敷き具の説明図
【図４５】国名「ＣＵＢＡ」の国旗をモチーフにして形成した敷き具の説明図
【図４６】国名「ＵＲＵＧＵＡＩ」の国旗をモチーフにして形成した敷き具の説明図
【図４７】国名「ＣＡＭＥＲＯＯＮ」の国旗をモチーフにして形成した敷き具の説明図
【図４８】国名「ＣＯＴＥ  ＤＩＶＯＩＲ」の国旗をモチーフにした敷き具の説明図
【図４９】国名「ＥＧＹＰＴ」の国旗をモチーフにして形成した敷き具の説明図
【図５０】国名「ＥＴＨＩＯＰＩＡ」の国旗をモチーフにして形成した敷き具の説明図
【図５１】国名「ＧＨＡＮＡ」の国旗をモチーフにして形成した敷き具の説明図
【図５２】国名「ＫＥＮＹＡ」の国旗をモチーフにして形成した敷き具の説明図
【図５３】国名「ＭＯＲＯＣＣＯ」の国旗をモチーフにして形成した敷き具の説明図
【図５４】国名「ＮＩＧＥＲＩＡ」の国旗をモチーフにして形成した敷き具の説明図
【図５５】国名「ＳＯＵＴＨ  ＡＦＲＩＣＡ」の国旗をモチーフにした敷き具の説明図
【図５６】国名「ＴＡＮＺＡＮＩＡ」の国旗をモチーフにして形成した敷き具の説明図
【図５７】国名「ＡＬＧＥＲＩＡ」の国旗をモチーフにして形成した敷き具の説明図
【図５８】国名「ＲＵＳＳＩＡ」の国旗をモチーフにして形成した敷き具の説明図
【図５９】国名「ＡＵＳＴＲＡＬＩＡ」の国旗をモチーフにして形成した敷き具の説明図
【図６０】国名「ＮＥＷ  ＺＥＡＬＡＮＤ」の国旗をモチーフにした敷き具の説明図
【図６１】国名「ＣＡＮＡＤＡ」の国旗をモチーフにして形成した敷き具の説明図
【図６２】国名「ＵＳＡ」の国旗をモチーフにして形成した敷き具の説明図
【符号の説明】
【０１０８】  Ｃ１〜Ｃ６２：敷き具
Ｎ１〜Ｎ６２：国名
Ｃ１（ａ）〜Ｃ６２（ａ）：敷き具表面部
Ｃ１（ｂ）〜Ｃ６２（ｂ）：敷き具側面部
Ｃ１（ｃ）〜Ｃ６２（ｃ）：敷き具裏面部
Ｋ１〜Ｋ６２：基台部
ＭＧ：灰色系色彩のドットで構成した世界地図
ＭＨ：白色系色彩のドットで構成した世界地図
0003191936.tif 000003
【手続補正書】
【提出日】平成26年5月10日(2014.5.10)
【手続補正１】
【補正対象書類名】実用新案登録請求の範囲
【補正対象項目名】全文
【補正方法】変更
【補正の内容】
【実用新案登録請求の範囲】
【請求項１】
飲用容器や食物容器の敷き具であり、円盤状で薄板状に形成された敷き具において、前記敷き具の表面部の少なくとも一部には、世界の国旗の中から選択した少なくとも一つの国旗をモチーフにした意匠を形成し、該国旗に該当する国名を形成させることを特徴とする国旗をモチーフにした敷き具。
【請求項２】
前記敷き具が２層または３層で形成され、前記２層敷き具または前記３層敷き具の第１層部には、世界の国旗の中から選択した少なくとも一つの国旗をモチーフにした意匠を形成し、また該国旗に該当する国名を形成させることを特徴とする、請求項１に記載の国旗をモチーフにした敷き具。
【請求項３】
前記敷き具の裏面部の少なくとも一部に、または前記２層敷き具の第２層部の裏面部の少なくとも一部に、または前記３層敷き具の第３層部の裏面部の少なくとも一部には、世界地図を表示することを特徴とする、請求項１または請求項２に記載の国旗をモチーフにした敷き具。
【請求項４】
前記国旗モチーフ意匠を構成する図形や文字や記号やシンボルの輪郭が切り込みによって形成されることを特徴とする、請求項１または請求項２に記載の国旗をモチーフにした敷き具。
【請求項５】
前記国旗モチーフ意匠を構成する図形や文字や記号やシンボルを構成する色彩の一つを用いて前記敷き具裏面部の主たる色彩を形成するようにした請求項１に記載の国旗をモチーフにした敷き具。
【請求項６】
請求項１に記載の国旗モチーフ意匠を構成する図形や文字や記号やシンボルを構成する色彩の一つを用いて、請求項３に記載の２層敷き具第２層部や請求項３に記載の３層敷き具第３層部の色彩を形成するようにしたことを特徴とする国旗をモチーフにした敷き具。
【手続補正２】
【補正対象書類名】明細書
【補正対象項目名】００２６
【補正方法】変更
【補正の内容】
【００２６】  課題を解決するための第六の手段（含む請求項６）は、課題を解決するための第一の手段（請求項１）に記載の国旗モチーフ意匠を構成する図形や文字や記号やシンボルを構成する色彩の一つを用いて、課題を解決するための第三の手段（請求項３）に記載の２層敷き具第２層部や課題を解決するための第三の手段（請求項３）に記載の３層敷き具第３層部の色彩を形成するようにしたことを特徴とする国旗をモチーフにした敷き具を提供することである。
【手続補正３】
【補正対象書類名】明細書
【補正対象項目名】００２８
【補正方法】削除
【補正の内容】
【手続補正４】
【補正対象書類名】明細書
【補正対象項目名】００３７
【補正方法】変更
【補正の内容】
【００３７】  上述した考案の効果に加えて、本考案の国旗をモチーフにした敷き具は、国旗とその国家名と世界地図という互いに密接な関係にある要素や機能を一体化させたので、その国家の世界の中での位置関係が理解でき、２０１８年に韓国で予定されている冬季五輪国際競技会や２０２０年に東京で予定されている夏季五輪国際競技会で盛り上がりに対応する商品としての商品価値が増大するものであり、相当数の売り上げが期待できる商品の提供が可能である。また上記の考案の効果に加えて、国旗のデザインの要素と国名の要素が飲食容器の滑り止めとして機能するコースターを提供できる。
【手続補正５】
【補正対象書類名】図面
【補正対象項目名】全図
【補正方法】変更
【補正の内容】
【図１】
0003191936.tif 000004
【図２】
0003191936.tif 000005
【図３】
0003191936.tif 000006
【図４】
0003191936.tif 000007
【図５】
0003191936.tif 000008
【図６】
0003191936.tif 000009
【図７】
0003191936.tif 000010
【図８】
0003191936.tif 000011
【図９】
0003191936.tif 000012
【図１０】
0003191936.tif 000013
【図１１】
0003191936.tif 000014
【図１２】
0003191936.tif 000015
【図１３】
0003191936.tif 000016
【図１４】
0003191936.tif 000017
【図１５】
0003191936.tif 000018
【図１６】
0003191936.tif 000019
【図１７】
0003191936.tif 000020
【図１８】
0003191936.tif 000021
【図１９】
0003191936.tif 000022
【図２０】
0003191936.tif 000023
【図２１】
0003191936.tif 000024
【図２２】
0003191936.tif 000025
【図２３】
0003191936.tif 000026
【図２４】
0003191936.tif 000027
【図２５】
0003191936.tif 000028
【図２６】
0003191936.tif 000029
【図２７】
0003191936.tif 000030
【図２８】
0003191936.tif 000031
【図２９】
0003191936.tif 000032
【図３０】
0003191936.tif 000033
【図３１】
0003191936.tif 000034
【図３２】
0003191936.tif 000035
【図３３】
0003191936.tif 000036
【図３４】
0003191936.tif 000037
【図３５】
0003191936.tif 000038
【図３６】
0003191936.tif 000039
【図３７】
0003191936.tif 000040
【図３８】
0003191936.tif 000041
【図３９】
0003191936.tif 000042
【図４０】
0003191936.tif 000043
【図４１】
0003191936.tif 000044
【図４２】
0003191936.tif 000045
【図４３】
0003191936.tif 000046
【図４４】
0003191936.tif 000047
【図４５】
0003191936.tif 000048
【図４６】
0003191936.tif 000049
【図４７】
0003191936.tif 000050
【図４８】
0003191936.tif 000051
【図４９】
0003191936.tif 000052
【図５０】
0003191936.tif 000053
【図５１】
0003191936.tif 000054
【図５２】
0003191936.tif 000055
【図５３】
0003191936.tif 000056
【図５４】
0003191936.tif 000057
【図５５】
0003191936.tif 000058
【図５６】
0003191936.tif 000059
【図５７】
0003191936.tif 000060
【図５８】
0003191936.tif 000061
【図５９】
0003191936.tif 000062
【図６０】
0003191936.tif 000063
【図６１】
0003191936.tif 000064
【図６２】
0003191936.tif 000065